(57)【特許請求の範囲】
【請求項１】
携帯用空気浄化機であって、
第１方向に延びる回転軸を中心に回転し、ハブ及び前記ハブの半径方向周に連結されるファンブレードを含む送風ファン；
前記第１方向の一側に配置された吸入口と前記第１方向の他側に配置された吐出口との間に配置されるバッテリー；及び、
前記吐出口と前記送風ファンと前記バッテリーとの間に配置されるファンカバー；を備えてなり、
前記ファンカバーは、
前記送風ファンが配置される第１領域に配置され、前記送風ファンと結合する上部カバー部、及び、
前記バッテリーが配置される第２領域に配置され、前記バッテリーと結合されている下部カバー部、を備え、
前記上部カバー部は、
前記送風ファン、
前記吐出口との間に配置されて前記ハブを覆う遮蔽板、及び、
前記送風ファンから吐出される空気の吐出方向を案内するガイドベーン、を備え、
前記ファンブレードが回転する領域の前方が、送風面を成し、
前記ガイドベーンは、前記送風面の前方に配置されて、前記回転軸を中心に放射状に延び、
前記ガイドベーンは、前記送風ファンに隣接して配置される第１のガイド面、及び前記第１のガイド面と連結されて、前記第１のガイド面より送風ファンから遠く配置される第２のガイド面、を備え、
第２のガイド面は、前記第１方向に平行であり、
前記第１のガイド面は、送風面と所定の角（ａ）を成すものである、携帯用空気浄化機。
【請求項２】
前記第１のガイド面の長さと前記第２のガイド面の長さが同一である、請求項１に記載の携帯用空気浄化機。
【請求項３】
前記第１のガイド面が送風面と成す角（ａ）は、以下の式で表される関係を満すものである、請求項１に記載の携帯用空気浄化機。
ｒ＝（ｒo+ｒi）／２
Ａ＝π（ｒo2-ｒi2）
ｖa＝Ｑ／Ａ
ｖr＝ω＊ｒ
ａ＝ｔａｎ-1（ｖa／ｖr）
〔上記式中、
ｒoは送風ファンの半径、
ｒiはハブの半径、
Ａは送風面の面積、
Ｑは送風ファンの風量、
ωは送風ファンの角速度、
ｖaは送風ファンの第１方向の吐出速度ベクトル、
ｖrは、送風ファンの半径方向の吐出速度ベクトルである〕
【請求項４】
前記ガイドベーンは、合成樹脂射出物の材質であり、
前記ガイドベーンの厚みは、１ｍｍである、請求項１に記載の携帯用空気浄化機。
【請求項５】
前記送風ファンの回転方向に沿って複数個のガイドベーンが配置される、請求項１に記載の携帯用空気浄化機。
【請求項６】
前記ガイドベーンの個数は、ブレードの個数よりさらに多い、請求項５に記載の携帯用空気浄化機。
【請求項７】
前記ファンカバーは、前記送風ファンが結合する上部カバー部と、前記送風ファンの前方において、前記上部カバー部に貫通するように形成される空気吐出部と、を備え、
前記遮蔽板は、前記空気吐出部に配置され、
前記ガイドベーンは、前記遮蔽板と前記上部カバー部との間を連結する、請求項１に記載の携帯用空気浄化機。
【請求項８】
前記ファンカバーは、前記上部カバー部と前記遮蔽板と前記ガイドベーンが一体に射出された合成樹脂射出物の材質であり、
前記ガイドベーンの厚みは、１ｍｍである、請求項７に記載の携帯用空気浄化機。
【発明の詳細な説明】
【技術分野】
【０００１】
本発明は、携帯用空気浄化機に関し、より詳細には、携帯して使用可能な携帯用空気浄化機に関する。
【背景技術】
【０００２】
空気浄化機は、現代生活において広く使用されている機器であって、ホコリ、微細ホコリ、超微細ホコリ等の物理的粒子、におい粒子、有害ガス等の化学物質及び、細菌、ウイルス等の未生物体を濾して空気を浄化する装置である。
【０００３】
空気浄化機は、都市化、産業化及び国際化等の影響により、一般家庭でも必須不可欠な機器として位置づけている。また、微細ホコリの増加、アレルギー患者の増加及び生活水準の向上等の影響により、その需要も急激に増えつつある。
【０００４】
空気浄化機が一般家庭のように１００ｍ２以上を越える環境を対象とする際には、機器のサイズが大きくなってもよい。このような機器には、ホコリ等の物理的粒子に対応するフィルタ、ガス等の化学物質に対応するフィルタ及び、細菌ウイルス等の微生物に対応するフィルタを複合的に使用することができる。すなわち、広い空間では、色んなフィルタを複合的に収容することのできる大きなサイズの空気浄化機を使用することができる。
【０００５】
しかし、ワンルーム、車内のように狭い空間や、公共図書館等のようにとても広い空間又は室外で大きなサイズの空気浄化機を使用することは、空間活用性、移動性、エネルギー消耗の側面で非効率的である。また、移動の多い使用者には、大きなサイズの空気浄化機よりは、サイズが小さい、且つ個人が携帯用として使用することのできる空気浄化機がさらに好適である。このような背景下で、個人が携帯用として使用することのできる携帯用空気浄化機が開発されている。
【０００６】
携帯用空気浄化機は、携帯が容易であるように、小さくて軽い形態に提供される。このような携帯用空気浄化機は、使用者が携帯しやすい、且つ所望の場所で使用しやすい利点がある。すなわち、携帯用空気浄化機は、家のような一場所で長く泊まるよりは、外出が多いか色んな場所を移動する生活パターンを有する使用者に適した機器である。
【０００７】
しかし、携帯用空気浄化機の浄化空気吐出量は、一場所に設置して使用される一般的な空気浄化機の浄化空気吐出量に比べて少ないしかない。また、携帯用空気浄化機を通じて吐出する浄化空気の前方吐出範囲も相対的に狭いしかない。これは、空気浄化機が小型化するにつれて仕方なく発生する問題であり、携帯用空気浄化機が小型化するほど、浄化空気吐出量及び前方吐出範囲をさらに増加しにくくなる。
【０００８】
このように、携帯用空気浄化機の浄化空気吐出量及び前方吐出範囲が減るようになると、携帯用空気浄化機で浄化した空気が使用者、特に使用者の顔に到逹しにくくなる。このように、携帯用空気浄化機で浄化した空気が使用者の顔に到逹しにくくなると、携帯用空気浄化機が空気浄化性能を十分に提供しにくくなる。
【発明の概要】
【発明が解決しようとする課題】
【０００９】
本発明は、浄化した空気が使用者の顔に効果的に到達できるように構造を改善した携帯用空気浄化機を提供することにその目的がある。
【００１０】
また、本発明の他の目的は、安い費用で製造され、且つ高い空気浄化性能を発揮し得る携帯用空気浄化機を提供することにある。
【課題を解決するための手段】
【００１１】
本発明による携帯用空気浄化機は、第１方向に延びる回転軸を中心に回転し、ハブ及び前記ハブの半径方向周に連結されるファンブレードを含む送風ファン；及び前記送風ファンの吐出側に配置して前記ハブを遮る遮蔽板、及び前記送風ファンから吐出される空気の吐出方向を案内するガイドベーンを備えるファンカバー；を含む空気浄化機において、ファンブレードが回転する領域の前方が送風面を成し、前記ガイドベーンは、前記送風面の前方に配置されて、前記回転軸を中心に放射状に延び、前記ガイドベーンは、前記送風ファンに隣接して配置される第１のガイド面及び前記第１のガイド面と連結されて、前記第１のガイド面より送風ファンから遠く配置される第２のガイド面を含み、第２のガイド面は、前記第１方向に平行であり、前記第１のガイド面は、送風面と所定の角（ａ）を成す。
【００１２】
かかる構成により、ガイドベーンを利用して前方に吐出する浄化空気の直進性を向上させることで、携帯用空気浄化機で浄化した空気が使用者の顔に到逹する量が増加できるようにし、これにより、さらに向上した空気浄化性能を提供することができる。
【００１３】
また、前記送風ファンの回転方向に沿って複数個のガイドベーンが配置され、前記ガイドベーンの個数は、ブレードの個数よりさらに多いのが好ましい。
【００１４】
これによれば、送風ファン５４１によって空気の吐出が行われる地点より、ガイドベーン５３４によって空気の吐出方向が案内される地点が多くなるため、空気吐出方向を案内する作用がさらに効果的に行われるようになる。
【００１５】
また、前記ファンカバーは、前記送風ファンが結合する上部カバー部と、前記送風ファンの前方における前記上部カバー部に貫通して形成される空気吐出部を含み、前記遮蔽板は、前記空気吐出部に配置され、前記ガイドベーンは、前記遮蔽板と前記上部カバー部との間を連結するのが好ましい。
【００１６】
また、前記ファンカバーは、前記上部カバー部と前記遮蔽板と前記ガイドベーンが一体に射出された合成樹脂射出物の材質であり、前記ガイドベーンの厚みは、１ｍｍであるのが好ましい。
【００１７】
これによれば、容易で且つ安いし、さらに向上した空気吐出性能を提供することのできるファンカバーの製造が可能になる。
【発明の効果】
【００１８】
本発明の携帯用空気浄化機によれば、ガイドベーンを利用して前方に吐出される浄化空気の直進性を向上させることで、携帯用空気浄化機で浄化した空気が使用者の顔に到逹する量が増加できるようにし、これにより、さらに向上した空気浄化性能を提供することができる。
【００１９】
また、高価、高性能のファンではなく、安い汎用ファンでさらに向上した空気吐出性能を提供することができるため、安い費用で高性能の携帯用空気浄化機を提供することができるようになる。
【００２０】
また、本実施形態の携帯用空気浄化機は、ファンカバーの設計過程でファンカバーにガイドベーンを共に適用することで、向上した空気浄化性能を提供し、且つ設計及び製造に要する費用の増加を抑えることができる。
【図面の簡単な説明】
【００２１】
【図１】本発明の第１実施形態による携帯用空気浄化機の正面側を示した正面斜視図。
【図２】図１に示した携帯用空気浄化機の後面側を示した後面斜視図。
【図３】図１に示した携帯用空気浄化機の分解状態を示した分解斜視図。
【図４】図１の「III-III」線に沿った断面図。
【図５】図３に示したケースの構成を示す斜視図。
【図６】図３に示したフィルタ装着部の構成を示す斜視図。
【図７】本発明の第１実施形態による携帯用空気浄化機においてフィルタ部を交換する方法を示す図面。
【図８】本発明の第１実施形態による携帯用空気浄化機においてフィルタ部を交換する方法を示す図面。
【図９】本発明の第１実施形態による携帯用空気浄化機においてフィルタ部を交換する方法を示す図面。
【図１０】本発明の第１実施形態による携帯用空気浄化機においてフィルタ部を交換する方法を示す図面。
【図１１】本発明の第１実施形態による携帯用空気浄化機の空気流動の様子を示す斜視図。
【図１２】本発明の第１実施形態による携帯用空気浄化機の空気流動の様子を示す断面図。
【図１３】本発明の第１実施形態による携帯用空気浄化機が適用される様子を示す図面。
【図１４】本発明の第２実施形態による携帯用空気浄化機の正面側を示した正面斜視図。
【図１５】図１４に示した携帯用空気浄化機の分解状態を示した分解斜視図。
【図１６】図１４に示した携帯用空気浄化機の背面側を示した背面斜視図。
【図１７】図１６に示した携帯用空気浄化機の分解状態を示した背面分解斜視図。
【図１８】図１４の「ＸＶIII-ＸＶIII」線に沿った断面図。
【図１９】図１８に示した携帯用空気浄化機の一部構成を分離して示した分解斜視図。
【図２０】図１９に示したファンカバーとケースとの結合状態を示す図面。
【図２１】図２０に示したバッテリーの装着状態を示す図面。
【図２２】図２１に示したファンカバーと後面カバーとの結合状態を示す図面。
【図２３】図１８の「ＸＸIII」部分を拡大して示した拡大図。
【図２４】本発明の第２実施形態による携帯用空気浄化機の正面を示した正面図。
【図２５】本発明の第２実施形態による携帯用空気浄化機の空気流動の様相を示す図面。
【図２６】図２５に示した空気浄化機のカップホールダーの装着状態を示す図面。
【図２７】本発明の第２実施形態による携帯用空気浄化機のバッテリー及びセンサモジュールを分離して示した分解斜視図。
【図２８】図２７に示したセンサモジュールの内部構造を示した断面図。
【図２９】本発明の第２実施形態による携帯用空気浄化機のフィルタモジュールとバッテリー及びセンサモジュール間の結合前状態を示す分解斜視図。
【図３０】図２９に示したフィルタモジュールとバッテリー及びセンサモジュール間の結合状態を示す図面。
【図３１】本発明の第２実施形態による携帯用空気浄化機と据置装置の分離状態を示した斜視図。
【図３２】図３１に示した据置装置を示した斜視図。
【図３３】図３１に示した携帯用空気浄化機と据置装置との結合状態を示した斜視図。
【図３４】図３３に示した携帯用空気浄化機と据置装置との結合状態を示した側面図。
【図３５】図３３の「ＸＸＸＶ−ＸＸＸＶ」線に沿った断面図。
【図３６】本発明の第２実施形態による据置装置の他の例を示した斜視図。
【図３７】図３６に示した据置装置に携帯用空気浄化機が据置される過程を示した図面。
【図３８】図３７に示した据置装置に携帯用空気浄化機が据置された状態を示した図面。
【図３９】本発明の第２実施形態によるケースを示した正面斜視図。
【図４０】本発明の第２実施形態によるケースを示した背面斜視図。
【図４１】図１４の「ＸＸＸＸＩ−ＸＸＸＸＩ」線に沿った断面図。
【図４２】図４１に示したファンカバーとケースとフィルタケース間の結合構造を概略的に示す図面。
【図４３】図１４の「ＸＸＸＸIII−ＸＸＸＸIII」線に沿った断面図。
【図４４】図４３に示したファンカバーとケースとフィルタケース間の結合構造を概略的に示す図面。
【図４５】図１４の「ＸＸＸＸＶ−ＸＸＸＸＶ」線に沿った断面図。
【図４６】本発明の第２実施形態による携帯用空気浄化機のファンカバー及び送風ファンを分離して示した正面図。
【図４７】ファンカバーと送風ファンを示した拡大図。
【図４８】ファンカバーと送風ファンを示した側断面図。
【図４９】送風面を介して吐出される空気の速度成分を示す速度三角形を示した図面。
【図５０】ファンカバーにガイドベーンが適用されていない空気浄化機の流動を解釈した結果を示す図面。
【図５１】本発明の第２実施形態による携帯用空気浄化機の流動を解釈した結果を示す図面。
【図５２】ファンカバーにガイドベーンが適用されていない空気浄化機と、本発明の第２実施形態による空気浄化機の風量を測定した結果を示すグラフ。
【図５３】ファンカバーにガイドベーンが作用されていない空気浄化機と、本発明の第２実施形態による空気浄化機の風量を測定した結果を示す表。
【図５４】本発明の第３実施形態による携帯用空気浄化機と連結される装置の一例を示す図面。
【図５５】本発明の第３実施形態による携帯用空気浄化機の構成を示す構成図。
【図５６】図５４に示した携帯用空気浄化機の動作制御過程を示す流れ図。
【図５７】車両の始動又は走行有無によって携帯用空気浄化機のセンサモジュールによって感知される感知データの例を示した図面。
【図５８】車両の始動又は走行有無によって携帯用空気浄化機のセンサモジュールによって感知される感知データの例を示した図面。
【図５９】車両の始動又は走行有無によって携帯用空気浄化機のセンサモジュールによって感知される感知データの例を示した図面。
【図６０】本発明の実施形態による携帯用空気浄化機が搭乗状態を感知するために使用される学習データを獲得する動作の一例を示す流れ図。
【図６１】図６０に示した実施形態に係り、移動端末機が携帯用空気浄化機から受信された感知データを利用して学習データを生成する過程を示す一例示図。
【図６２】本発明の第３実施形態による携帯用空気浄化機の制御動作の他の例を示す流れ図。
【図６３】本発明の第４実施形態による携帯用空気浄化機の構成を示す構成図。
【図６４】図６３に示した携帯用空気浄化機の動作制御過程の第１例を示す流れ図。
【図６５】図６３に示した携帯用空気浄化機の動作制御過程の第２例を示す流れ図。
【図６６】図６３に示した携帯用空気浄化機の動作制御過程の第３例を示す流れ図。
【図６７】図６３に示した携帯用空気浄化機の動作制御過程の第４例を示す流れ図。
【発明を実施するための形態】
【００２２】
前述した目的、特徴及び長所は、添付の図面を参照して詳細に後述され、これにより、本発明が属する技術分野における通常の知識を有する者が本発明の技術的思想を容易に実施することができる。本発明の説明において、本発明に係る公知の技術に対する具体的な説明が本発明の要旨を曖昧にすると判断される場合には詳細な説明を省略する。以下では、添付の図面を参照して本発明による好ましい実施形態を詳説する。図面における同じ参照符号は、同一又は類似の構成要素を示すことに使用される。
【００２３】
たとえ第１、第２等が多様な構成要素を述べるために使われるものの、これら構成要素は、これら用語によって制限されないことはもちろんである。これら用語は、ただし一つの構成要素を他の構成要素と区別するために使うものであって、特に反対の記載がない限り、第一構成要素は、第二構成要素であってもよいことはもちろんである。
【００２４】
以下に構成要素の「上部 （又は下部）」又は構成要素の「上（又は下）」に任意の構成が配置されるということは、任意の構成が上記構成要素の上面 （又は下面）に接して配置されるだけでなく、上記構成要素と上記構成要素上に （又は下に）配置した任意の構成との間に他の構成が介在し得ることを意味する。
【００２５】
また、ある構成要素が他の構成要素に「連結」、「結合」又は「接続」すると記載された場合、上記構成要素は、互いに直接に連結されるか又は接続されてもよいが、各構成要素との間に他の構成要素が「介在」するか、各構成要素が他の構成要素を介して「連結」、「結合」又は「接続」し得ると理解しなければならない。
【００２６】
全明細書において、特に反対の記載がない限り、各構成要素は、単数であってもよく、複数であってもよい。
【００２７】
本明細書に使われる単数の表現は、文脈上明らかに他に意味しない限り、複数の表現を含む。本出願において、「構成される」又は「含む」等の用語は、明細書上に記載した色んな構成要素、又は幾つのステップを必ずしも全て含むと解釈してはならず、そのうち一部の構成要素又は一部のステップは、含まれなくてもよいし、又は追加の構成要素又はステップをさらに含んでいてもよいと解釈すべきである。
【００２８】
全明細書において、「Ａ及び／又はＢ」とするとき、これは特に反対の記載がない限り、Ａ、Ｂ又はＡ及びＢを意味し、「Ｃ〜Ｄ」とするとき、これは特に反対の記載がない限り、Ｃ以上でありＤ以下であることを意味する。
【００２９】
＜本発明の第１実施形態による携帯用空気浄化機＞
［六面体状を有する携帯用空気浄化機］
図１は、本発明の第１実施形態による携帯用空気浄化機の正面側を示した正面斜視図であり、図２は、図１に示した携帯用空気浄化機の後面側を示した後面斜視図である。また、図３は、図１に示した携帯用空気浄化機の分解状態を示した分解斜視図であり、図４は、図１の「ＩＶ-ＩＶ」線に沿った断面図である。
【００３０】
図１〜図４を参照すれば、本発明の第１実施形態による携帯用空気浄化機１０は、約六面体状に形成することができる。このような携帯用空気浄化機１０は、外観を形成し、複数の部品が収容されるケース１２０と、ケース１２０の前方に結合する前面パネル１１０、及びケース１２０の後方に結合する後面パネル１７０を含む。携帯用空気浄化機１０は、全体として上下方向に長さの長い、立てられた六面体状を有し得る。よって、使用者は、携帯用空気浄化機１０を立てて使用するか又は横にして使用することが可能であり、車内のように揺れが発生する場所で携帯用空気浄化機１０が転がる現象が防止される。
【００３１】
方向を定義する。「前方」とは、ケース１２０から前記前面パネル１１０が位置する方向を意味し、「後方」とは、その反対方向であって、前記ケース１２０から前記後面パネル１７０が位置する方向を意味する。
【００３２】
［ケース］
図５は、図３に示したケースの構成を示す斜視図である。
【００３３】
図１〜図５を参照すれば、携帯用空気浄化機１０は、ケース１２０を含む。ケース１２０は、後面部の開放された六面体状を有し、ケース１２０の内部には内部空間が形成される。このようなケース１２０は、前面部と、前面部と向い合う面が開放される後面部とが含まれる。一例として、ケース１２０は、金属材質、一例としてアルミニウム材質で形成することができる。
【００３４】
ケース１２０の後面部は、外部空気を吸入するために開放される。このように開放された後面部を介して、複数の部品をケース１２０の内部空間に設置することができる。後述するフィルタ部は、開放された後面部を介してケース１２０の内部に装着又は脱着される。開放された後面部には後面パネル１７０が結合し、これにより、開放された後面部をカバーすることができる。
【００３５】
ケース１２０の一側には、電源ボタン１８３が提供されて、携帯用空気浄化機１０の電源をオン又はオフすることができる。また、ケース１２０の一側には、電源ボタン１８３と隣接して配置される風量調節ボタン１８５が提供されて、携帯用空気浄化機１０の風量を増加又は減少させることができる。
【００３６】
ケース１２０の他側には、バンド状の取っ手部１５（図１３参照）が拘束結合する係止部１２２ａが提供される。このような取っ手部１５によって、携帯用空気浄化機１０の携帯便宜性が向上し得る。
【００３７】
［前面パネル］
携帯用空気浄化機１０は、ケース１２０の前方に配置される前面パネル１１０を含む。一例として、前面パネル１１０は、プラスチック樹脂材質で形成されてもよい。前面パネル１１０は、携帯用空気浄化機１０によって浄化した空気が外部へ吐出される部分である。このために、前面パネル１１０には複数個の吐出口１１１が設けられる。一例として、複数個の吐出口１１１は、前面パネル１１０の少なくとも一部分が貫通又は切開されることによって形成することができる。携帯用空気浄化機１０の内部で浄化した空気は、複数個の吐出口１１１を通じて携帯用空気浄化機１０の前方に全体的に吐出されてもよい。
【００３８】
一例として、前面パネル１１０は、プレート状を有してもよい。そして、前面パネル１１０には、枠の少なくとも一部が後方に延びる前面パネル結合部１１３が設けられる。前面パネル結合部１１３は、ケース１２０の前面部に結合するための部材である。このために前面パネル結合部１１３は、ケース１２０の前面部に形成された前面パネル結合溝１２１ａに差し込み結合する。このとき、前面パネル１１０は、ケース１２０の前面部を全部覆うように構成することができる。
【００３９】
また、前面パネル１１０には、ケース１２０の前面部と係止拘束されるための前面パネルロッキング部（図３の１１５）がさらに含まれる。前面パネルロッキング部１１５は、前面パネル結合部１１３とともにケース１２０に結合して、前面パネル１１０を堅固に装着させる構成で提供される。
【００４０】
前面パネルロッキング部１１５は、前面パネル結合部１１３の一側で突き出て形成される。そして、前面パネルロッキング部１１５は、ケース１２０の前面部に形成された前面パネルロッキング溝（図５の１２１ｂ）に係止拘束される。一例として、前面パネルロッキング部１１５は、フック状に形成されて、前面パネルロッキング溝１２１ｂにフック方式に締結することができる。前面パネル結合部１１３には、複数個の前面パネルロッキング部１１５が離隔して配置されてもよい。
【００４１】
［後面パネル］
携帯用空気浄化機１０は、ケース１２０の後方に配置される後面パネル１７０をさらに含んでいてもよい。一例として、後面パネル１７０は、プラスチック樹脂材質で形成することができる。後面パネル１７０は、外部空気が携帯用空気浄化機１０の内部へ吸入する部分である。このために、後面パネル１７０には複数個の吸入口１７３が設けられる。複数個の吸入口１７３は、後面パネル１７０の少なくとも一部分が貫通又は切開されることによって形成することができる。外部空気は、複数個の吸入口１７３を通じて携帯用空気浄化機１０の内部へ容易に吸入し得る。
【００４２】
前記後面パネル１７０は、ケース１２０と結合して、ケース１２０の開放された後面部をカバーする。このような後面パネル１７０には、少なくとも一部が前方から後方に陷沒する陷沒面１７１が設けられる。このような陷沒面１７１には、複数個の吸入口１７３が設けられてもよい。一例として、複数個の吸入口１７３は、陷沒面１７１の両側に対称するように配置されてもよい。このように吸入口１７３を配置することによって、外部空気が吸入口１７３を通じて容易に吸入し得る。
【００４３】
後面パネル１７０に対する詳細な説明は後述する。
【００４４】
［携帯用空気浄化機の構成］
図６は、図３のフィルタ装着部の構成を示す斜視図である。
【００４５】
図３〜図６を参照すれば、携帯用空気浄化機１０は、前面パネル１１０、ケース１２０、上部ファンアセンブリ１３０、下部ファンアセンブリ１３５、フィルタ装着部１４０、バッテリー１５０、フィルタ部１６０及び後面パネル１７０を含む。そして、携帯用空気浄化機１０は、上部ファンアセンブリ１３０、下部ファンアセンブリ１３５又はフィルタ部１６０を制御するためのサブＰＣＢ１８０及びメインＰＣＢ１９０をさらに含んでいてもよい。
【００４６】
ここで、上部ファンアセンブリ１３０、下部ファンアセンブリ１３５、フィルタ装着部１４０、バッテリー１５０、フィルタ部１６０、サブＰＣＢ１８０及びメインＰＣＢ１９０は、いずれもケース１２０の内部に収容される。そして、後面パネル１７０がケース１２０の開放された後面部をカバーすることで、ケース１２０の内部に配置した部品を保護することができる。
【００４７】
［ケースの詳細構成］
前述したように、ケース１２０は、内部空間を形成し、後面部の開放された六面体状を有してもよい。そして、ケース１２０の内部空間には、ファンアセンブリ１３０、１３５、フィルタ装着部１４０及びフィルタ部１６０が順次に配置される。このとき、ファンアセンブリ１３０、１３５、フィルタ装着部１４０及びフィルタ部１６０は、ファンアセンブリ１３０、１３５の送風ファンの軸方向に重畳して配置される。すなわち、携帯用空気浄化機１０を構成する部品は、横方向に並んで設置される。
【００４８】
ケース１２０は、前面部１２１、側面部１２２、上面部１２３及び下面部１２４を含む。
【００４９】
前面部１２１には、前面パネル１１０が結合する。このために前面部１２１には、前面パネル１１０の挿入される前面パネル結合溝１２１ａが含まれる。一例として、前面パネル結合溝１２１ａは、ケース前面部１２１の枠に沿って内側に陷沒した形態に形成することができる。そして、前面パネル結合溝１２１ａは、前面パネル１１０の前面パネル結合部１１３が密着して差し込まれるように構成される。
【００５０】
ケース前面部１２１には、前面パネル１１０の前面パネルロッキング部１１５と結合する前面パネルロッキング溝１２１ｂがさらに設けられてもよい。一例として、前面パネルロッキング溝１２１ｂは、前面パネル結合溝１２１ａの一部がさらに陷沒した形態に形成することができる。そして、前面パネルロッキング溝１２１ｂには、前面パネルロッキング部１１５が係止拘束されてもよい。前面パネルロッキング溝１２１ｂは、複数個が設けられて、前面パネルロッキング部１１５に対応する地点にそれぞれ配置することができる。
【００５１】
また、ケース前面部１２１には、上部ファンアセンブリ１３０を通した空気が吐出される上部空気吐出部１２１ｃがさらに設けられてもよい。上部空気吐出部１２１ｃは、ケースの前面部１２１の一部が貫通又は切開されることによって形成される。ケース前面部１２１には、複数個の上部空気吐出部１２１ｃが離隔して配置されてもよい。一例として、複数個の上部空気吐出部１２１ｃは、放射状に配置されて、ファン（ｆａｎ）状を成すことができる。しかし、これに限定されるものではなく、複数個の上部空気吐出部１２１ｃは、格子状等、多様な形態に配置することができる。
【００５２】
また、ケース前面部１２１には、下部ファンアセンブリ１３５を通した空気が吐出される下部空気吐出部１２１ｄがさらに設けられてもよい。下部空気吐出部１２１ｄは、ケース前面部１２１の一部が貫通又は切開されることによって形成される。ケース前面部１２１には、複数個の下部空気吐出部１２１ｄが離隔して配置されてもよい。一例として、複数個の下部空気吐出部１２１ｄは、上部空気吐出部１２１ｃと同様、放射状に配置されて、ファン状を成すことができる。
【００５３】
すなわち、下部空気吐出部１２１ｄは、上部空気吐出部１２１ｃと同じ形状に形成することができる。このような下部空気吐出部１２１ｄは、上部空気吐出部１２１ｃの下側に離隔して配置される。かかる構成により、上部ファンアセンブリ１３０を通した空気は、上部空気吐出部１２１ｃによって吐出され、下部ファンアセンブリ１３５を通した空気は、下部空気吐出部１２１ｄによって吐出されてもよい。
【００５４】
本実施形態では、携帯用空気浄化機のファンアセンブリが２個からなることについて説明したが、これに限定されるものではなく、１個のファンアセンブリで具現することが可能である。このような場合、上部ファンアセンブリ又は下部ファンアセンブリのうちいずれかを備えることができる。また、他の例として、３個以上のファンアセンブリを備えることもできる。
【００５５】
また、ケース１２０には、バンド状の取っ手部１５が結合する係止部１２２ａがさらに含まれていてもよい。係止部１２２ａは、使用者が携帯用空気浄化機１０を容易に携帯するか又は器具物に吊られるように別途設けられた取っ手部１５と結合する。かかる構成により、携帯用空気浄化機１０の携帯便宜性が向上し得る。係止部１２２ａは、ケース側面部１２２に配置されてもよい。しかし、これに限定されるものではなく、係止部１２２ａは、ケース前面部１２１又はケース上面部１２３に備えることもできる。
【００５６】
また、ケース１２０には、電源ボタン１８３及び風量調節ボタン１８５を外部へ露出させるボタン貫通孔１２３ａがさらに設けられてもよい。ボタン貫通孔１２３ａは、ケース１２０の内部に位置された電源ボタン１８３及び風量調節ボタン１８５がケース１２０の外部へ露出するための孔と理解すればよい。ボタン貫通孔１２３ａは、２個からなり、電源ボタン１８３及び風量調節ボタン１８５を外部へそれぞれ露出させることができる。一例として、ボタン貫通孔１２３ａは、ケース上面部１２３に形成することができるが、これに限定されるものではない。
【００５７】
また、ケース１２０には、後面パネル１７０と結合するための後面パネルロッキング溝（未図示）がさらに設けられてもよい。後面パネルロッキング溝は、ケース１２０の内側面に備えられる。一例として、後面パネルロッキング溝は、ケース上面部１２３の内側一部が陷沒又は切開されて形成することができる。そして、後面パネルロッキング溝には、後述する後面パネルロッキング部１７５が係止拘束されてもよい。後面パネルロッキング溝は、複数個が設けられて、後面パネルロッキング部１７５に対応する地点にそれぞれ配置されてもよい。
【００５８】
また、ケース１２０には、後面パネル１７０が結合するためのマグネット１２４ａがさらに設けられてもよい。マグネット１２４ａは、永久磁石を含んでいてもよい。一例として、マグネット１２４ａは、１個の極を有する単一磁石からなってもよい。そして、マグネット１２４ａは、後述するマグネット結合部１７７と反応して磁気的結合（人力）によりマグネット結合部１７７と結合することができる。
【００５９】
［上部ファンアセンブリ及び下部ファンアセンブリ］
携帯用空気浄化機１０は、携帯用空気浄化機１０の後方から空気を吸入して、前方に空気を吐出させる上部ファンアセンブリ１３０及び下部ファンアセンブリ１３５を含む。このとき、上部ファンアセンブリ１３０と下部ファンアセンブリ１３５は、上下方向に離隔して配置される。すなわち、上部ファンアセンブリ１３０と下部ファンアセンブリ１３５は、垂直方向に重畳して配置することができる。
【００６０】
そして、上部ファンアセンブリ１３０と下部ファンアセンブリ１３５は、ケース前面部１２１に形成された上部空気吐出部１２１ｃ及び下部空気吐出部１２１ｄと向い合うように配置されてもよい。よって、後面パネル１７０を通じて吸入した空気は、上部ファンアセンブリ１３０と下部ファンアセンブリ１３５をそれぞれ通して、前面パネル１１０を通じて吐出されてもよい。
【００６１】
本実施形態では、上部ファンアセンブリ１３０と下部ファンアセンブリ１３５が同様なサイズ及び形状からなることを例示する。しかし、これに限定されるものではなく、上部ファンアセンブリ１３０と下部ファンアセンブリ１３５は、互いに異なるサイズ及び形状を有してもよい。
【００６２】
上部ファンアセンブリ１３０及び下部ファンアセンブリ１３５には、空気の流動を発生させる上部ファン及び下部ファン１３１、１３６と、上部ファン及び下部ファン１３１、１３６に回転力を付与する上部ファンモータ（未図示）及び下部ファンモータ（未図示）と、上部ファン及び下部ファン１３１、１３６と結合する上部ファンブラケット及び下部ファンブラケット１３３、１３８が含まれる。
【００６３】
上部ファン及び下部ファン１３１、１３６には、軸流ファンが含まれていてもよい。よって、後面パネル１７０を通じてケース１２０の内部に吸入した空気は、上部ファン及び下部ファン１３１、１３６の軸方向に吸入して、上部ファン及び下部ファン１３１、１３６の軸方向に吐出されてもよい。
【００６４】
上部ファンモータ及び下部ファンモータには、それぞれモータ軸が結合し、それぞれのモータ軸は、上部ファン及び下部ファン１３１、１３６とそれぞれ結合することができる。一例として、上部ファンモータ及び下部ファンモータには、周波数を調節可能なＢＬＤＣモータが含まれていてもよい。
【００６５】
上部ファンブラケット及び下部ファンブラケット１３３、１３８は、上部ファン及び下部ファン１３１、１３６に結合して、上部ファン及び下部ファン１３１、１３６を通す空気の流動をガイドすることができる。このために、上部ファンブラケット及び下部ファンブラケット１３３、１３８には、上部ファン及び下部ファン１３１、１３６の吸入側に空気をガイドする上部ブラケット開口部及び下部ブラケット開口部１３３ａ、１３８ａが含まれる。
【００６６】
すなわち、後面パネル１７０を通じてケース１２０の内部に吸入した空気は、上部ブラケット開口部及び下部ブラケット開口部１３３ａ、１３８ａを通して、上部ファン及び下部ファン１３１、１３６に吸入することができる。一例として、上部ブラケット開口部及び下部ブラケット開口部１３３ａ、１３８ａは、円形状を有し、上部ファン及び下部ファン１３１、１３６がそれぞれ挿入されるように構成することができる。
【００６７】
また、上部ファンブラケット及び下部ファンブラケット１３３、１３８には、ケース１２０と締結するためのブラケット締結部１３３ｂ、１３８ｂがさらに含まれる。ブラケット締結部１３３ｂ、１３８ｂは、ケース前面部１２１に締結部材によって締結することができる。このとき、ブラケット締結部１３３ｂ、１３８ｂは、ケース前面部１２１の内側に備えられた締結ボス（未図示）に接触することができる。よって、所定の締結部材がブラケット締結部１３３ｂ、１３８ｂを貫通して締結ボスに締結されてもよい。
【００６８】
［フィルタ装着部及びバッテリー］
携帯用空気浄化機１０は、フィルタ部１６０が装着されるフィルタ装着部１４０及びバッテリー１５０をさらに含む。フィルタ装着部１４０は、上部ファンアセンブリ及び下部ファンアセンブリ１３０、１３５の後方に配置される。
【００６９】
フィルタ装着部１４０は、バッテリー１５０が設置されるベース部１４１と、ベース部１４１の一部分が陷沒してフィルタ部１６０が装着される空間を形成する陷沒部１４２を含む。陷沒部１４２は、上部ファンアセンブリ及び下部ファンアセンブリ１３０、１３５の後面に接触することができる。
【００７０】
ベース部１４１は、立てられたプレート状を有してもよい。一例として、ベース部１４１は、上下方向に長さの長い四角プレート状を有してもよい。そして、バッテリー１５０は、ベース部１４１の下部地点に設置されてもよい。バッテリー１５０は、携帯用空気浄化機１０の重心を考慮して、ベース部１４１においてできるだけ下部地点に位置する。一例として、バッテリー１５０は、フィルタ部１６０の下方に配置されてもよい。
【００７１】
バッテリー１５０は、携帯用空気浄化機１０を駆動するための電源を供給することができる。このためにバッテリー１５０は、上部ファンアセンブリ１３０、下部ファンアセンブリ１３５、サブＰＣＢ１８０、メインＰＣＢ１９０及びフィルタ部１６０のうち少なくともいずれかと電気的に連結することができる。
【００７２】
陷沒部１４２は、ベース部１４１の一部分が前方に陷沒しながら、フィルタ部１６０が装着される装着空間を形成する。このような陷沒部１４２は、ベース部１４１におけるバッテリー１５０が設置された領域を除いた他の領域が前方に陷沒する形態に形成することができる。
【００７３】
陷沒部１４２は、フィルタ部１６０の厚みに対応する長さだけ前方に突き出てもよい。これにより、フィルタ部１６０は、陷沒部１４２の内側に安定して支持することができる。このとき、陷沒部１４２の内側面には、フィルタ部１６０が堅固に装着できるようにする安着溝又は安着突起を備えることができる。かかる構成により、フィルタ部１６０は、フィルタ装着部１４０の開放された後面を介してフィルタ装着部１４０の内側に装着されてもよい。
【００７４】
また、陷沒部１４２には、フィルタ部１６０を通した空気を送風ファン１３１、１３６の軸方向の吸入側にガイドするガイド孔１４２ａ、１４２ｂがさらに設けられてもよい。
【００７５】
ガイド孔１４２ａ、１４２ｂには、上部ガイド孔１４２ａと下部ガイド孔１４２ｂが含まれる。上部ガイド孔１４２ａと下部ガイド孔１４２ｂは、陷沒部１４２の前面部に配置される。
【００７６】
本実施形態では、陷沒部１４２の前面部が四角状に形成されることを例示する。そして、陷沒部１４２の前面部の上部には上部ガイド孔１４２ａが配置され、その下部には下部ガイド孔１４２ｂが配置されてもよい。すなわち、上部ガイド孔１４２ａと下部ガイド孔１４２ｂは、上下方向に離隔して配置される。このとき、上部ガイド孔１４２ａと下部ガイド孔１４２ｂは、上部ブラケット開口部１３３ａと下部ブラケット開口部１３８ａとそれぞれ向い合うように配置されてもよい。
【００７７】
一例として、上部ガイド孔１４２ａと下部ガイド孔１４２ｂは、約円形状に形成することができる。そして、上部ガイド孔１４２ａ及び下部ガイド孔１４２ｂは、上部ブラケット開口部１３３ａ及び下部ブラケット開口部１３８ａとそれぞれ同心を成すことができる。よって、後面パネル１７０を通じて吸入した空気は、フィルタ部１６０を経りながら浄化し、浄化した空気は、上部ガイド孔１４２ａと下部ガイド孔１４２ｂをそれぞれ通して、上部ファンアセンブリ１３０と下部ファンアセンブリ１３５側に流動されてもよい。
【００７８】
また、陷沒部１４２の前面には、ケース１２０に上部ファンアセンブリ１３０、下部ファンアセンブリ１３５及びフィルタ装着部１４０を同時に締結するための装着部締結部１４２ｃ、１４２ｄが設けられてもよい。
【００７９】
装着部締結部１４２ｃ、１４２ｄには、上部装着部締結部１４２ｃと、上部装着部締結部１４２ｃの下方に配置される下部装着部締結部１４２ｄが含まれる。このとき、上部装着部締結部１４２ｃ及び下部装着部締結部１４２ｄは、複数個に設けることができ、陷沒部１４２の前面一部が切開されるか貫通して形成されてもよい。
【００８０】
一例として、上部装着部締結部１４２ｃは、上部ガイド孔１４２ａと隣接して配置され、下部装着部締結部１４２ｄは、下部ガイド孔１４２ｂと隣接して配置される。そして、上部装着部締結部及び下部装着部締結部１４２ｃ、１４２ｄは、上部ブラケット締結部及び下部ブラケット締結部１３３ｂ、１３８ｂとそれぞれ向い合うように配置される。
【００８１】
これにより、単一の締結部材によってフィルタ装着部１４０と上部ファン／下部ファンアセンブリ１３０、１３５及びケース１２０を一度に締結することができる。かかる構成により、ケース１２０の内部に上部ファン／下部ファンアセンブリ１３０、１３５及びフィルタ装着部１４０を容易に組み立てることができる。
【００８２】
［フィルタ部］
携帯用空気浄化機１０には、ホコリ／微細ホコリ／超微細ホコリ等の物理的粒子、におい粒子／有害ガス等の化学物質及び、細菌／ウイルス等の未生物体のうちいずれかを濾して空気を浄化するフィルタ部１６０がさらに含まれる。
【００８３】
すなわち、フィルタ部１６０は、ホコリ等の物理的粒子を濾し出すための集じんフィルタ、ガス等の化学物質を濾し出すための脱臭フィルタ又は、細菌ウイルス等の微生物を濾し出すための除菌フィルタのうちいずれかを意味し得る。
【００８４】
本実施形態の携帯用空気浄化機１０には集じんフィルタ、脱臭フィルタ及び除菌フィルタのうちいずれかが含まれるフィルタ部１６０を装着することができる。よって、使用者の好みに応じて集じんフィルタ、脱臭フィルタ及び除菌フィルタのうちいずれかを選択的に使用することができる。すなわち、選択されたフィルタ種類によって携帯用空気浄化機１０の目的又は性能が可変し得る。
【００８５】
一例として、集じんフィルタにはヘパフィルタ（Ｈｉｇｈ ｅｆｆｉｃｉｅｎｃｙ ｐａｒｔｉｃｕｌａｔｅ ａｉｒ ｆｉｌｔｅｒ）が含まれていてもよい。また、脱臭フィルタには、カーボンフィルタ（Ｃａｒｂｏｎ ｆｉｌｔｅｒ）が含まれていてもよい。そして、除菌フィルタには、イオナイザー（Ｉｏｎｉｚｅｒ）が含まれていてもよい。しかし、これに限定されるものではなく、集じんフィルタ、脱臭フィルタ及び除菌フィルタには様々な種類のフィルタが含まれていてもよい。
【００８６】
フィルタ部１６０は、フィルタ装着部１４０に装着するか脱去されてもよい。
【００８７】
具体的には、フィルタ部１６０は、フィルタ装着部１４０の陷沒部１４２の内側に装着されてもよい。このとき、フィルタ部１６０には、陷沒部１４２の内側に備えられた安着溝又は安着突起に結合する突起又は溝を提供することができる。よって、フィルタ部１６０がフィルタ装着部１４０から脱去されるか揺れないで安定して支持することができる。一例として、フィルタ部１６０は、六面体状を有し得るが、これに限定されるものではない。
【００８８】
［サブＰＣＢ及びメインＰＣＢ］
携帯用空気浄化機１０には、電源ボタン１８３及び風量調節ボタン１８５を有するサブＰＣＢ１８０がさらに含まれる。
【００８９】
サブＰＣＢ１８０には、サブ基板１８１と、サブ基板１８１に設置される電源ボタン１８３及び風量調節ボタン１８５が含まれる。電源ボタン１８３は、携帯用空気浄化機１０の電源をオン又はオフさせる機能を行う。また、風量調節ボタン１８５は、携帯用空気浄化機１０の風量を増加又は減少させる機能を行う。サブＰＣＢ１８０は、後述するメインＰＣＢ１９０と電気的に連結される。
【００９０】
サブＰＣＢ１８０は、ケース１２０の内部で最も上側に配置することができる。すなわち、サブＰＣＢ１８０は、上部ファンアセンブリ１３０及びフィルタ部１６０の上側に配置される。このとき、電源ボタン１８３及び風量調節ボタン１８５は、ケース上面部１２３に備えられたボタン貫通孔１２３ａを介してケース１２０の外部へ露出する。よって、使用者は、露出したボタンを操作して、携帯用空気浄化機１０にオン／オフするか、携帯用空気浄化機１０の風量を調節することができる。
【００９１】
また、携帯用空気浄化機１０には、携帯用空気浄化機１０のハードウェアモジュール全体を管理するメインＰＣＢ１９０がさらに含まれる。すなわち、メインＰＣＢ１９０は、携帯用空気浄化機１０の制御部として機能することができる。
【００９２】
メインＰＣＢ１９０は、ケース１２０の内部において下部ファンアセンブリ１３５の下方に配置されてもよい。一例として、メインＰＣＢ１９０は、立てられた形態に配置されて、ケース１２０の内側に備えられた基板支持部によって支持されてもよい。
【００９３】
メインＰＣＢ１９０にはメイン基板１９１、メイン基板１９１に設置される複数の素子１９３が含まれる。メイン基板１９１は、上部ファンアセンブリ１３０、下部ファンアセンブリ１３５、バッテリー１５０及びサブＰＣＢ１８０と電気的に連結されてもよい。このようなメインＰＣＢ１９０は、電源ボタン１８３及び風量調節ボタン１８５を介して入力された命令に基づいて、上部ファンアセンブリ１３０及び下部ファンアセンブリ１３５を制御することができる。
【００９４】
また、メインＰＣＢ１９０は、フィルタ部１６０と電気的に連結することができる。一例として、フィルタ部１６０がイオナイザーを含む場合、メインＰＣＢ１９０は、イオナイザーと電気的に連結して、イオナイザーへ電力を供給するように制御することができる。他の例として、フィルタ部１６０は、バッテリー１５０と電気的に連結され、これにより、フィルタ部１６０がバッテリー１５０から直接に電力を提供されてもよい。
【００９５】
［後面パネルの詳細構成］
前述したように、後面パネル１７０は、ケース１２０の後方に配置されて、外部空気が携帯用空気浄化機１０の内部に吸入する部分である。後面パネル１７０は、ケース１２０の後方に結合して、ケース１２０の開放された後面部をカバーする。
【００９６】
後面パネル１７０には、ケース１２０の後面部に係止拘束されるための後面パネルロッキング部１７５がさらに含まれる。後面パネルロッキング部１７５は、ケース１２０の後端部に結合して、後面パネル１７０を堅固に装着させるための構成で設けられる。
【００９７】
後面パネルロッキング部１７５は、後面パネル１７０の上端部から突き出て形成することができる。そして、後面パネルロッキング部１７５は、ケース１２０の上面部１２３の内側に形成された後面パネルロッキング溝（未図示）に係止拘束される。一例として、後面パネルロッキング部１７５は、フック状に形成されて、後面パネルロッキング溝にフック方式に締結することができる。後面パネル１７０には、複数個の後面パネルロッキング部１７５が離隔して配置されてもよい。
【００９８】
ここで、後面パネルロッキング部１７５を「第１の固定部」と呼ぶことができる。
【００９９】
また、後面パネル１７０には、ケース１２０の後面部に密着するためのマグネット結合部１７７がさらに含まれる。マグネット結合部１７７は、ケース１２０の内側に備えられたマグネット１２４ａと結合して、後面パネル１７０がケース１２０から脱去しないようにする構成で設けられる。
【０１００】
マグネット結合部１７７は、後面パネル１７０の下端部に備えることができる。すなわち、マグネット結合部１７７は、マグネット１２４ａと対応する位置に装着することができる。
【０１０１】
マグネット結合部１７７には、マグネット１２４ａと結合するための磁性体が含まれる。すなわち、マグネット結合部１７７には、金属体又はマグネットが含まれていてもよい。よって、後面パネル１７０がケース１２０の後面に結合すれば、マグネット結合部１７７は、マグネット１２４ａと反応して相互人力によってマグネット１２４ａに固定し得る。これにより、後面パネル１７０が揺れないで固定し得る。
【０１０２】
ここで、マグネット結合部１７７を「第２の固定部」と呼ぶことができる。
【０１０３】
［フィルタ部の装着及び脱着の容易な携帯用空気浄化機］
本実施形態のよる携帯用空気浄化機１０では、ケース１２０内にフィルタ部１６０が容易に装着及び脱着し得る。一例として、フィルタ部１６０に含まれた集じんフィルタに溜まったホコリを掃除するために、フィルタ部１６０がケース１２０内で脱着し得る。他の例として、現在装着したフィルタ部１６０が集じんフィルタである場合、集じんフィルタを他のフィルタ、すなわち、脱臭フィルタ又は除菌フィルタに交換するために、フィルタ部１６０を脱着することができる。
【０１０４】
図７〜図１０は、本発明の実施形態による携帯用空気浄化機においてフィルタ部を交換する方法を示す図面である。
【０１０５】
フィルタ部１６０を交換するためには、図７及び図８に示したように、先ず、ケース１２０の後方に結合した後面パネル１７０を分離する。そして、ケース１２０の内部、すなわち、フィルタ装着部１４０に装着したフィルタ部１６０を外部に取り出す。例えば、フィルタ部１６０が集じんフィルタであれば、フィルタ部１６０を掃除した後、フィルタ部１６０をフィルタ装着部１４０に再度装着することができる。又は、フィルタ部１６０を分離した後に他のフィルタ、すなわち、脱臭フィルタ又は除菌フィルタが含まれたフィルタ部１６０をフィルタ装着部１４０に装着することができる。
【０１０６】
フィルタ部１６０がフィルタ装着部１４０に装着されると、後面パネル１７０をケース１２０の後方に再結合する。このとき、後面パネル１７０をケース１２０の上部に先に結合する。後面パネル１７０をケース１２０に結合させるために、図９に示したように、後面パネル１７０の上端部に備えられた後面パネルロッキング部１７５をケース１２０の内側に形成された後面パネルロッキング溝に差し込み結合させる。これにより、後面パネル１７０の上部がケース１２０に固定する。
【０１０７】
後面パネル１７０の上部がケース１２０に固定すると、図９及び図１０に示したように、後面パネル１７０の下部をケース１２０側に移動させる。そうすると、後面パネル１７０の下部に備えられたマグネット結合部１７７は、ケース１２０の内側に備えられたマグネット１２４ａと近くなる。
【０１０８】
マグネット結合部１７７がマグネット１２４ａに近くなると、マグネット結合部１７７は、マグネット１２４ａと反応して、相互人力によってマグネット１２４ａと結合する。かかる構成により、後面パネル１７０の下部がケース１２０に容易に結合し、後面パネル１７０の下部が堅く固定し得る。
【０１０９】
上述したように、携帯用空気浄化機１０は、ケース１２０内にフィルタ部１６０が簡便に装着及び脱着し得るため、携帯用空気浄化機１０のフィルタの管理及び補修が容易である長所がある。また、フィルタ部１６０には、集じんフィルタのみならず、脱臭フィルタ又は除菌フィルタを適用することができるため、使用者の好みに応じて所望のフィルタを選択的に使用することができる長所がある。
【０１１０】
［携帯用空気浄化機の空気流動］
図１１は、本発明の実施形態による携帯用空気浄化機の空気流動の様相を示す斜視図であり、図１２は、本発明の実施形態による携帯用空気浄化機の空気流動の様子を示す断面図である。
【０１１１】
図１１及び図１２を参照すれば、本発明の実施形態による携帯用空気浄化機１０が作動すると、携帯用空気浄化機１０の後方から前方への空気流動が発生する。すなわち、携帯用空気浄化機１０の空気流路は、直進性を有する。
【０１１２】
詳しくは、携帯用空気浄化機１０の内部の空気流動は、上部ファンアセンブリ１３０及び下部ファンアセンブリ１３５の駆動により発生する。すなわち、上部ファン１３１及び下部ファン１３６が駆動すれば、後面パネル１７０に備えられた吸入口１７３を通じて室外空気がケース１２０の内部に吸入する。
【０１１３】
すなわち、吸入口１７３を通じてケース１２０に吸入した室外空気は、後面パネル１７０と隣接して位置したフィルタ部１６０を通し、この過程で、ホコリ等の物理的粒子、ガス等の化学物質、細菌ウイルス等が空気から濾される。
【０１１４】
このように、フィルタ部１６０を通して浄化した空気は、フィルタ装着部１４０のガイド孔１４２ａ、１４２ｂによって案内されて、フィルタ部１６０の前方に配置された上部ファンアセンブリ１３０及び下部ファンアセンブリ１３５側へ流動する。本実施形態では、空気の流動を発生させるファンアセンブリ１３０、１３５が２個からなるため、携帯用空気浄化機１０の吸入風量及び吐出風量が顕著に増加する長所がある。のみならず、２個のファンアセンブリ１３０、１３５が上下方向に重畳して配置されるため、風量は、増加するものの、サイズはコンパクトになる携帯用空気浄化機１０を具現することができる。
【０１１５】
そして、上部ファンアセンブリ１３０及び下部ファンアセンブリ１３５を通した空気は、ケース前面部１２１の上部空気吐出部１２１ｃ及び下部空気吐出部１２１ｄを通した後、前面パネル１１０に備えられた吐出口１１１を通じて外部に吐出される。かかる構成により、携帯用空気浄化機１０の内部での空気の流動は、直進性を有することができ、これにより、携帯用空気浄化機１０を見る使用者に向けて浄化した空気を速やかに供給することができる。
【０１１６】
［携帯用空気浄化機の使用例］
携帯用空気浄化機１０は、ワンルーム、事務室、車内及び区画した室内空間で使用することができる。特に、携帯用空気浄化機１０は、大型空気浄化機に比べて、浄化能力が相対的に少ない可能性があるため、これにより、一定面積未満の室内空間で使用されるのが好ましい。
【０１１７】
以下では、一例として、携帯用空気浄化機１０が車内に使用されることについて説明する。
【０１１８】
図１３は、本発明の実施形態による携帯用空気浄化機が適用される様子を示す図面である。
【０１１９】
図１３を参照すれば、携帯用空気浄化機１０は、車内２０に位置し得る。携帯用空気浄化機１０は、車内２０の構造物上に上げられる。携帯用空気浄化機１０は、約六面体状に形成されるため、比較的に平たい面に立てられるか又は横にする形態に配置することができる。すなわち、携帯用空気浄化機１０の姿勢又は設置位置に制約がないため、携帯用空気浄化機１０は、多様な姿勢に置かれて使用することができる。
【０１２０】
また、携帯用空気浄化機１０は、一例として、車内２０のダッシュボード（Ｄａｓｈ ｂｏａｒｄ）２１上に置くことができる。また、携帯用空気浄化機１０は、空気が吐出される吐出口が運転席に座った使用者に向けて横にした状態で配置することができる。そうすると、携帯用空気浄化機１０を通じて浄化した空気が吐出口を通じて運転席に座った使用者に向けて供給されてもよい。
【０１２１】
携帯用空気浄化機１０の一側には、バンド状の取っ手部１５が提供されてもよい。これにより、使用者は、取っ手部２０を車内２０の任意の構造物に掛けて使用することもできる。
【０１２２】
このように、携帯用空気浄化機１０は、多様な空間及び多様な姿勢に配置されて、使用者に浄化した空気を安定して提供することのできる長所がある。
【０１２３】
＜本発明の第２実施形態による携帯用空気浄化機＞
［携帯用空気浄化機の外観］
図１４は、本発明の第２実施形態による携帯用空気浄化機の正面側を示した正面斜視図であり、図１５は、図１４に示した携帯用空気浄化機の分解状態を示した分解斜視図である。また、図１６は、図１４に示した携帯用空気浄化機の背面側を示した背面斜視図であり、図１７は、図１６に示した携帯用空気浄化機の分解状態を示した背面分解斜視図で、図１８は、図１４の「ＸＶIII-ＸＶIII」線に沿った断面図である。
【０１２４】
図１４〜図１７を参照すれば、本発明の実施形態による携帯用空気浄化機５０は、約六面体状に形成することができる。このような携帯用空気浄化機５０は、ケース５２０と、前面パネル５１０及び後面パネル５７０を含む。
【０１２５】
ケース５２０は、携帯用空気浄化機５０の外観骨格を形成する。このようなケース５２０には複数の部品が収容される。
【０１２６】
前面パネル５１０は、ケース５２０の前方に結合する。このような前面パネル５１０は、携帯用空気浄化機５０の前面外観を形成する。
【０１２７】
後面パネル５７０は、ケース５２０の後方に結合する。このような後面パネル５７０は、携帯用空気浄化機５０の後面外観を形成する。
【０１２８】
携帯用空気浄化機５０は、全体的に上下方向に長さの長い、立てられた六面体状に形成することができる。これにより、使用者は、携帯用空気浄化機５０を立てて使用するか又は横にして使用することができる。また、車内のように揺れの発生する場所で携帯用空気浄化機５０が横にされた状態で使用されるとしても、携帯用空気浄化機５０が転がらないで、安定的にその位置を保持することができる。
【０１２９】
方向を定義する。「前方」とは、前記ケース５２０から前記前面パネル５１０が位置する方向を意味し、「後方」とは、その反対方向であって、前記ケース５２０から前記後面パネル５２０が位置される方向を意味する。
【０１３０】
［携帯用空気浄化機の全般的な構造］
本実施形態の携帯用空気浄化機５０は、前面パネル５１０とケース５２０とファンカバー５３０とファンアセンブリ５４０、５４５とフィルタモジュール５５０とバッテリー５６０と後面パネル５７０及び後面カバー５８０を含む。
【０１３１】
前面パネル５１０は、携帯用空気浄化機５０の最前方に配置されて、携帯用空気浄化機５０の前面外観を形成する。携帯用空気浄化機５０によって浄化した空気は、前面パネル５１０を通じて外部へ吐出される。このために、前面パネル５１０には複数個の吐出口５１０ａが設けられる。
【０１３２】
ケース５２０は、携帯用空気浄化機５０の外観骨格を形成する。携帯用空気浄化機５０の上面、側面、底面の外観がケース５２０によって形成される。ケース５２０の内部には収容空間が形成される。このような収容空間にはファンカバー５３０、ファンアセンブリ５４０、５４５、バッテリー５６０、フィルタモジュール５５０等のように、携帯用空気浄化機５０を構成する各種部品が収容される。ケース５２０は、このように収容された部品を外部の衝撃から保護するのに十分な強度を有するように形成されるのが好ましい。
【０１３３】
ファンカバー５３０は、ケース５２０の内部の収容空間に収容され、ファンアセンブリ５４０、５４５の前方に配置される。すなわち、ファンカバー５３０は、ケース５２０の内部において、前面パネル５１０とファンアセンブリ５４０、５４５との間に配置される。
【０１３４】
このようなファンカバー５３０は、ファンアセンブリ５４０、５４５をケース５２０の内部に固定させる。また、ファンカバー５３０は、ファンアセンブリ５４０、５４５によって吹き出されず空気が周辺に広がらないで、前方に向けて直進できるように空気の流れを誘導する役割も行う。また、ファンカバー５３０は、フィルタモジュール５５０及びバッテリー５６０の固定にも関与することができる。
【０１３５】
ファンアセンブリ５４０、５４５は、ケース５２０の内部の収容空間に収容され、ファンカバー５３０とフィルタモジュール５５０との間に配置される。すなわち、ファンアセンブリ５４０、５４５は、ファンカバー５３０の後方及びフィルタモジュール５５０の前方に配置される。このようなファンアセンブリ５４０、５４５は、携帯用空気浄化機５０の後方から空気を吸入して、前方へ空気を吐出する役割を行う。
【０１３６】
フィルタモジュール５５０は、ケース５２０の内部の収容空間に収容され、ファンアセンブリ５４０、５４５と後面パネル５７０との間に配置される。すなわち、フィルタモジュール５５０は、ファンアセンブリ５４０、５４５の後方及び後面パネル５７０の前方に配置される。このようなフィルタモジュール５５０は、携帯用空気浄化機５０の後方を通じて吸入した空気を浄化する役割を行う。フィルタモジュール５５０を通して浄化した空気は、ファンアセンブリ５４０、５４５、ファンカバー５３０、前面パネル５１０を通して携帯用空気浄化機５０の前方に吐出される。
【０１３７】
バッテリー５６０は、ケース５２０の内部の収容空間に収容され、ファンアセンブリ５４０、５４５及びフィルタモジュール５５０の下部に配置される。このようなバッテリー５６０は、携帯用空気浄化機５０を駆動するための電源を供給することができる。このためにバッテリー５６０は、ファンアセンブリ５４０、５４５とフィルタモジュール５５０、そして、後述するサブＰＣＢ５９０とメインＰＣＢ５９５のうち少なくともいずれかと電気的に連結することができる。
【０１３８】
後面パネル５７０は、後面カバー５８０とともにケース５２０の最後方に配置されて、携帯用空気浄化機５０の後面外観を形成する。このような後面パネル５７０は、フィルタモジュール５６０の後方に配置される。外部空気は、後面パネル５７０を通じて携帯用空気浄化機５０の内部に吸入する。このために、後面パネル５７０には複数個の第１の吸入口５７０ａが設けられる。
【０１３９】
そして、後面カバー５８０は、後面パネル５７０とともにケース５２０の最後方に配置されて、携帯用空気浄化機５０の後面外観を形成する。このような後面カバー５８０は、バッテリー５６０の後方に配置される。本実施形態によれば、フィルタモジュール５５０の背後領域は、後面パネル５７０によってカバーされる。そして、バッテリー５６０の背後領域は、後面カバー５８０によってカバーされる。
【０１４０】
［ケースの構造］
携帯用空気浄化機５０は、携帯用空気浄化機５０の外観骨格を形成するケース５２０を含む。ケース５２０の内部には収容空間が形成され、収容空間の前方及び後方は、開放される。
【０１４１】
本実施形態によれば、ケース５２０は、前面と後面の開放された六面体状に形成され、ケース５２０の内部には前方及び後方の開放された収容空間が形成される。このようなケース５２０は、金属材質で形成することができる。本実施形態では、ケース５２０が軽くて強度の高いアルミニウム材質で形成されることを例示する。
【０１４２】
ケース５２０の後面は、外部空気を吸入するために開放される。そして、ケース５２０の前面は、ケース５２０の内部の収容空間で浄化した空気を吐出するために開放される。開放されたケース５２０の前面及び後面を介して、携帯用空気浄化機５０を構成する複数の部品がケース５２０の収容空間に設置されてもよい。
【０１４３】
後述するフィルタ５５９は、ケース５２０の開放された後面を介してケース５２０の内部に装着又は脱着される。ケース５２０の開放された後面には、後面パネル５７０が結合する。ケース５２０に結合した後面パネル５７０は、ケース５２０の開放された後面をカバーする。
【０１４４】
前記ケース５２０は、前面及び後面の開放された六面体状に形成されるものの、側面部５２１と上面部５２３と第１の連結面部５２５と底面部５２７及び第２の連結面部５２９を含めてなされてもよい。
【０１４５】
側面部５２１は、ケース５２０の側面を形成する。このような側面部５２１は、ケース５２０の内部の収容空間の側部を隔てる壁面を形成する縦方向の平面で形成される。ケース５２０には一対の側面部５２１が備えら、一対の側面部５２１は、互いに向い合って所定間隔離隔して配置される。このとき、一対の側面部５２１は、側方向に互いに並んで配置される。
【０１４６】
上面部５２３は、側面部５２１の上部に配置され、一対の側面部５２１の離隔方向に並ぶ平面、すなわち、横方向の平面を形成する。このような上面部５２３は、ケース５２０の上部面を形成する。
【０１４７】
第１の連結面部５２５は、側面部５２１と上面部５２３との間に配置される。第１の連結面部５２５は、上面部５２３の一側端部とその下部に配置された側面部５２１との間、そして、上面部５２３の他側端部とその下部に配置された側面部５２１との間にそれぞれ配置される。
【０１４８】
各々の第１の連結面部５２５は、側面部５２１と上面部５２３との間をそれぞれ丸めに連結する。このような第１の連結面部５２５は、側面部５２１と上面部５２３が連結されたケース５２０の上部角を丸めに形成することによって、製品の安全性及び外観美を向上させる役割を行う。
【０１４９】
底面部５２７は、上面部５２３及び側面部５２１の下部に配置され、上面部５２３に並ぶ平面を形成する。このような底面部５２７は、ケース５２０の底面を形成する。また、底面部５２７は、携帯用空気浄化機５０が立てられた姿勢を維持するように携帯用空気浄化機５０を支持する部分でもある。
【０１５０】
第２の連結面部５２９は、側面部５２１と底面部５２７との間に配置される。第２の連結面部５２９は、底面部５２７の一側端部とその上部に配置された側面部５２１との間、そして、底面部５２７の他側端部とその上部に配置された側面部５２１との間にそれぞれ配置される。
【０１５１】
各々の第２の連結面部５２９は、側面部５２１と底面部５２７との間をそれぞれ丸めに連結する。このような第２の連結面部５２９は、側面部５２１と底面部５２７が連結されたケース５２０の底部角を丸めに形成することによって、製品の安全性及び外観美を向上させる役割を行う。
【０１５２】
前記ケース５２０の前方枠には前方溝５２０ａが形成される。前方溝５２０ａは、ケース５２０の前方枠の一部分が後方に陷沒した形態に形成される。これにより、ケース５２０の前方枠には、収容空間に向けた内側が外側よりケース５２０の後方に凹む段差が形成される。
【０１５３】
また、ケース５２０の後方枠には後方溝５２０ｂを形成することができる。後方溝５２０ｂは、ケース５２０の後方枠の一部分が前方に陷沒した形態に形成される。これにより、ケース５２０の後方枠には、収容空間に向けた内側が外側よりケース５２０の前方に凹む段差が形成される。
【０１５４】
一方、前記ケース５２０の上部、すなわち、ケース５２０の上面部５２３には電源ボタン５９２を提供することができる。電源ボタン５９２は、携帯用空気浄化機５０の電源をオン／オフするための操作ボタンとして設けられる。
【０１５５】
また、ケース５２０の上部には、風量調節ボタン５９３を共に提供することができる。風量調節ボタン５９３は、携帯用空気浄化機５０の風量を増加又は減少させるための操作ボタンとして設けられる。このような風量調節ボタン５９３は、使用者が容易に識別して操作することができるように、電源ボタン５９２と隣接して配置されてもよい。
【０１５６】
そして、ケース５２０には、電源ボタン５９２及び前記風量調節ボタン５９３を外部へ露出させるボタン貫通孔５２３ａが設けられる。ボタン貫通孔５２３ａは、前記ケース５２０の内部に位置した前記電源ボタン５９２及び前記風量調節ボタン５９３が前記ケース５２０の外部へ露出するための孔として設けられる。
【０１５７】
本実施形態では、ケース５２０の上面部５２３に２個のボタン貫通孔５２３ａが設けられることを例示する。このうち一つは、電源ボタン５９２を、他の一つは、風量調節ボタン５９３を携帯用空気浄化機５０の外部へ露出させるためのものである。
【０１５８】
他の例として、ボタン貫通孔５２３ａは、携帯用空気浄化機５０に備えるボタンの個数によって１個又は３個以上を設けることができ、上面部５２３ではない他の面に設けることもできる。
【０１５９】
また、ケース５２０には、ストラップ５０１をケース５２０に結合させるためのストラップ結合部５０５が設けられてもよい。ストラップ５０１は、使用者が手でつかむように設けられたものである。使用者は、携帯用空気浄化機５０を直接に手でつかむ代わりに、ストラップ５０１を取って携帯用空気浄化機５０を持ち上げることができる。すなわち、ストラップ５０１によって、携帯用空気浄化機５０の携帯便宜性が向上し得る。
【０１６０】
前記ストラップ結合部５０５及びストラップ５０１は、上面部５２３と第１の連結面部５２５との境界、又は第１の連結面部５２５に配置されてもよい。ストラップ結合部５０５及びストラップ５０１がこのような位置に配置されることは、ストラップ５０１の存在が携帯用空気浄化機５０の使用に悪影響を及ぼすことを最小限にするためである。
【０１６１】
すなわち、ストラップ結合部５０５及びストラップ５０１が上面部５２３と第１の連結面部５２５の境界、又は第１の連結面部５２５に配置されると、携帯用空気浄化機５０が立てられた状態で使用されるときに、ストラップ５０１が電源ボタン５９２又は風向調節ボタン５９３の操作を妨げる可能性を減らすことができる。
【０１６２】
また、ストラップ結合部５０５及びストラップ５０１が上記のように配置されると、携帯用空気浄化機５０が横にされた状態で使用されるときに、ストラップ５０１が携帯用空気浄化機５０の下部に敷かれ、これにより、携帯用空気浄化機５０の安着状態が不安定になる可能性を減らすことができる。
【０１６３】
前記ケース５２０の内部の収容空間は、第１領域（Ａ）と第２領域（Ｂ）とに分けられる。収容空間を上下方向に区分したとき、上部の領域が第１領域（Ａ）となり、その下部の領域が第２領域（Ｂ）となる。第１領域（Ａ）と第２領域（Ｂ）は、物理的に区画した領域ではなく、単に概念的に区分された領域であることを言っておく。
【０１６４】
本実施形態によれば、収容空間に収容された構成のうち、ファンアセンブリ５４０、５４５及びフィルタモジュール５５０は、第１領域（Ａ）に配置され、バッテリー５６０は、第２領域（Ｂ）に配置される。
【０１６５】
［前面パネル］
前面パネル５１０は、携帯用空気浄化機５０の最前方に配置されて、携帯用空気浄化機５０の前面外観を形成する。このような前面パネル５１０には複数個の吐出口５１０ａが設けられる。
【０１６６】
一例として、複数個の吐出口５１０ａは、前面パネル５１０の少なくとも一部分が貫通又は切開されることによって形成することができる。携帯用空気浄化機５０の内部で浄化した空気は、上記のように形成された複数個の吐出口５１０ａを通じて携帯用空気浄化機５０の前方に吐出される。
【０１６７】
本実施形態では、前面パネル５１０がプレート状に形成されることを例示する。このような前面パネル５１０には、前面パネル５１０の枠の少なくとも一部が後方に延びる前面パネル結合部５１３が設けられる。
【０１６８】
前面パネル結合部５１３は、前面パネル５１０をケース５２０の前方に固定させるために設けられた構成である。このような前面パネル結合部５１３は、ケース５２０の内部で最前方に配置されたファンカバー５３０に結合することで、ケース５２０の前方に固定し得る。このとき、前面パネル５１０とファンカバー５３０間の結合は、ファンカバー５３０に形成された前面パネル結合溝５３１ａに前面パネル結合部５１３が差し込み結合する形態に行われてもよい。
【０１６９】
他の例として、前面パネル結合部５１３は、ケース５２０の前方枠に直接に結合する形態でケース５２０の前方に固定してもよい。このとき、ケース５２０の前方枠には、前面パネル結合部５１３が差し込み結合するための結合溝を形成することができる。
【０１７０】
また、前面パネル５１０には、前面パネルロッキング部５１５がさらに設けられてもよい。前面パネルロッキング部５１５は、前面パネル結合部５１３と共に前面パネル５１０をケース５２０の前方に堅固に装着させるために設けられる。
【０１７１】
前面パネルロッキング部５１５は、前面パネル結合部５１３の一側から突き出た形態に形成される。このような前面パネルロッキング部５１５は、ファンカバー５３０の枠に形成された前面パネルロッキング溝５３１ｂを介してファンカバー５３０に結合する。
【０１７２】
一例として、前面パネルロッキング部５１５は、フック状に形成することができる。このような前面パネルロッキング部５１５は、ファンカバー５３０にフック方式に締結することができる。前面パネル結合部５１３には、複数個の前面パネルロッキング部５１５が所定間隔離隔して配置されてもよい。
【０１７３】
［ファンカバーの構造］
ファンカバー５３０は、ケース５２０の内部の収容空間に収容される。このようなファンカバー５３０は、前面パネル５１０とファンアセンブリ５４０、５４５との間、そして、前面パネル５１０とバッテリー５６０との間に配置される。すなわち、ファンカバー５３０の前方には前面パネル５１０が配置され、ファンカバー５３０の後方にはファンアセンブリ５４０、５４５及びバッテリー５６０が配置される。
【０１７４】
ファンカバー５３０には、前面パネル５１０が挿入される前面パネル結合溝５３１ａが設けられてもよい。一例として、前面パネル結合溝５３１ａは、ファンカバー５３０の枠が内側に陷沒して形成されてもよい。前面パネル５１０とファンカバー５３０間の結合は、前面パネル結合溝５３１ａの外側に前面パネル結合部５１３を差し込み結合することによって行われてもよい。
【０１７５】
また、ファンカバー５３０には、前面パネル５１０の前面パネルロッキング部５１５と結合する前面パネルロッキング溝５３１ｂが設けられてもよい。一例として、前面パネルロッキング溝５３１ｂは、前面パネル結合溝５３１ａの一部がさらに陷沒して形成されてもよい。
【０１７６】
このような前面パネルロッキング溝５３１ｂには、前面パネル５１０の前面パネルロッキング部５１５がフック方式に締結されてもよい。ファンカバー５３０には、複数個の前面パネルロッキング溝５３１ｂが前面パネルロッキング部５１５に対応する地点にそれぞれ配置されてもよい。
【０１７７】
一方、ファンカバー５３０は、上部カバー部５３１と下部カバー部５３５を含めて行われてもよい。ファンカバー５３０を上下方向に区分したとき、上部の領域が上部カバー部５３１となり、下部の領域が下部カバー部５３５となる。
【０１７８】
上部カバー部５３１は、ファンアセンブリ５４０、５４５の前方に配置される。上部カバー部５３１には空気吐出部５３２、５３３が設けられる。空気吐出部５３２、５３３は、上部カバー部５３１の一部が貫通又は切開されることによって形成される。このような空気吐出部５３２、５３３は、ケース５２０の前方とファンアセンブリ５４０、５４５の送風ファン５４１、５４６との間を連結する通路をファンカバー５３０上に形成する。
【０１７９】
本実施形態では、携帯用空気浄化機５０に二つのファンアセンブリ５４０、５４５を備えることを例示する。すなわち、ケース５２０の内部の収容空間には、上部ファンアセンブリ５４０と下部ファンアセンブリ５４５が上下に配置される。
【０１８０】
これにより、ファンカバー５３０にも２単位の空気吐出部５３２、５３３が設けられる。すなわち、上部カバー部５３１には、上部空気吐出部５３２と下部空気吐出部５３３が上下に配置される。
【０１８１】
上部ファンアセンブリ５４０を通した空気は、上部空気吐出部５３２を介して前方に吐出され、下部ファンアセンブリ５４５を通した空気は、下部空気吐出部５３３を介して前方に吐出されてもよい。
【０１８２】
他の例として、携帯用空気浄化機には、１個又は３個以上のファンアセンブリを備えることもでき、これにより、ファンカバーにも１個又は３個以上の空気吐出部が設けられてもよい。
【０１８３】
また、上部カバー部５３１には第１の締結ボス５３１ｃが設けられる。第１の締結ボス５３１ｃは、上部カバー部５３１の後面から後方に突き出るように形成される。第１の締結ボス５３１ｃは、ファンアセンブリ５４０、５４５に差し込み結合することができる。第１の締結ボス５３１ｃとファンアセンブリ５４０、５４５との間に行われる結合によって、ファンカバー５３０とファンアセンブリ５４０、５４５間の結合が行われる。
【０１８４】
また、上部カバー部５３１には、第２の締結ボス５３１ｄがさらに設けられてもよい。第２の締結ボス５３１ｄは、上部カバー部５３１の後面から後方に突き出るように形成される。第２の締結ボス５３１ｄは、フィルタモジュール５５０に差し込み結合することができる。このような第２の締結ボス５３１ｄは、ファンアセンブリ５４０、５４５の後方に配置されたフィルタモジュール５５０と結合しなければならないため、第１の締結ボス５３１ｃよりさらに長い長さに突き出る。
【０１８５】
下部カバー部５３５は、空気吐出部５３２、５３３が設けられた上部カバー部５３１の下部に配置される。このような下部カバー部５３５は、ケース５２０の内部の第２領域（Ｂ）に配置される。これに比べて、上部カバー部５３１は、ケース５２０の内部の第１領域（Ａ）に配置される。
【０１８６】
下部カバー部５３５は、バッテリー５６０の前方に配置される。このような下部カバー部５３５は、バッテリー５６０の前方を遮蔽し、バッテリー５６０を前方で支持する。
【０１８７】
下部カバー部５３５には、第３の締結ボス５３５ａが設けられてもよい。第３の締結ボス５３５ａは、下部カバー部５３５の後面から後方に突き出るように形成される。第３の締結ボス５３５ａは、フィルタモジュール５５０に差し込み結合することができる。すなわち、第２の締結ボス５３１ｄは、第１領域（Ａ）においてファンカバー５３０とフィルタモジュール５５０間の結合地点となり、第３の締結ボス５３５ａは、第２領域（Ｂ）においてファンカバー５３０とフィルタモジュール５５０間の結合地点となる。
【０１８８】
ファンカバー５３０とフィルタモジュール５５０は、上部の第２の締結ボス５３１ｄと下部の第３の締結ボス５３５ａによって複数個の地点で互いに結合することができる。これにより、ファンカバー５３０とフィルタモジュール５５０間の結合がさらに強くて安定的に行われる。そして、ファンカバー５３０とフィルタモジュール５５０との間に配置されたファンアセンブリ５４０、５４５も、ファンカバー５３０とフィルタモジュール５５０との間で安定して固定し得るようになる。
【０１８９】
また、下部カバー部５３５には、第４の締結ボス５３５ｂがさらに設けられてもよい。第４の締結ボス５３５ｂは、下部カバー部５３５の後面から後方に突き出るように形成される。第４の締結ボス５３５ｂは、バッテリー５６０に差し込み結合することができる。第４の締結ボス５３５ｂとバッテリー５６０との間に行わる差し込み結合によって、ファンカバー５３０とバッテリー５６０間の結合を行うことができる。
【０１９０】
［ファンアセンブリの構造］
本実施形態の携帯用空気浄化機５０は、携帯用空気浄化機５０の後方から空気を吸入して、前方に空気を吐出させるファンアセンブリ５４０、５４５を含む。
【０１９１】
ファンアセンブリ５４０、５４５は、ファンカバー５３０とフィルタモジュール５５０との間に配置される。すなわち、ファンアセンブリ５４０、５４５の前方にはファンカバー５３０が配置され、ファンアセンブリ５４０、５４５の後方にはフィルタモジュール５５０が配置される。
【０１９２】
このようなファンアセンブリ５４０、５４５は、ケース５２０の内部の収容空間に収容されるものの、第１領域（Ａ）に配置される。よって、ファンアセンブリ５４０、５４５は、ファンカバー５３０の上部カバー部５３１と下部カバー部５３５のうち、上部カバー部５３１の後面と向い合う位置に配置される。
【０１９３】
本実施形態では、携帯用空気浄化機５０に２個のファンアセンブリ５４０、５４５が備えられることを例示する。これによれば、携帯用空気浄化機５０には、上部ファンアセンブリ５４０と下部ファンアセンブリ５４５が設けられる。
【０１９４】
上部ファンアセンブリ５４０と下部ファンアセンブリ５４５は、上下方向に配置される。すなわち、上部ファンアセンブリ５４０と下部ファンアセンブリ５４５は、同じ垂直線上に配置される。
【０１９５】
そして、上部ファンアセンブリ５４０と下部ファンアセンブリ５４５は、ファンカバー５３０に形成された空気吐出部５３２、５３３と向い合うように配置されてもよい。これにより、後面パネル５７０を通じて上部ファンアセンブリ５４０と下部ファンアセンブリ５４５に吸入した空気は、上部空気吐出部５３２と下部空気吐出部５３３をそれぞれ通した後、前面パネル５１０を通じて前方に吐出されてもよい。
【０１９６】
本実施形態では、上部ファンアセンブリ５４０と前記下部ファンアセンブリ５４５が同じサイズ及び形状に形成されることを例示する。しかし、これと違って、上部ファンアセンブリ５４０と下部ファンアセンブリ５４５は、互いに異なるサイズ及び形状に形成することもできる。
【０１９７】
上部ファンアセンブリ５４０及び下部ファンアセンブリ５４５は、送風ファン５４１、５４６とファンモータ（未図示）及びファンブラケット５４３、５４８をそれぞれ含む。
【０１９８】
送風ファン５４１、５４６は、空気の流動を発生させるように設けられる。一例として、送風ファン５４１、５４６は、軸流ファンを含めてなされてもよい。後面パネル５７０を通じてケース５２０の内部に吸入した空気は、送風ファン５４１、５４６の軸方向に吸入した後、送風ファン５４１、５４６の軸方向に吐出されてもよい。
【０１９９】
ファンモータは、送風ファン５４１、５４６と連結されて、送風ファン５４１、５４６に回転力を付与する。このようなファンモータは、周波数を調節可能なＢＬＤＣモータを含めてなされてもよい。
【０２００】
送風ファン５４１、５４６とファンモータのうち少なくともいずれかは、ファンブラケット５４３、５４８と結合する。そして、ファンブラケット５４３、５４８は、送風ファン５４１、５４６をファンカバー５３０に結合させるための構成で設けられる。
【０２０１】
ファンブラケット５４３、５４８には開口部５４３ａ、５４８ａが設けられる。開口部５４３ａ、５４８ａは、送風ファン５４１、５４６側への空気の吸入及び送風ファン５４１、５４６からの空気の排出をガイドするための通路を形成する。
【０２０２】
開口部５４３ａ、５４８ａは、円形状にファンブラケット５４３、５４８に貫通するように形成される。開口部５４３ａ、５４８ａには送風ファン５４１、５４６が挿入される。すなわち、開口部５４３ａ、５４８ａは、送風ファン５４１、５４６を設置するための空間及び送風ファン５４１、５４６側への空気の吸入及び送風ファン５４１、５４６からの空気の排出をガイドするための通路をファンブラケット５４３、５４８の内部に形成する。
【０２０３】
また、ファンブラケット５４３、５４８にはブラケット締結部５４３ｂ、５４８ｂがさらに設けられてもよい。ブラケット締結部５４３ｂ、５４８ｂは、ファンアセンブリ５４０、５４５をファンカバー５３０に結合させるための手段として設けられる。
【０２０４】
このようなブラケット締結部５４３ｂ、５４８ｂには、ファンカバー５３０の上部カバー部５３１に設けられた第１の締結ボス５３１ｃを差し込み結合することができる。このように、第１の締結ボス５３１ｃとブラケット締結部５４３ｂ、５４８ｂ間の差し込み結合が行われた状態で、所定の締結部材を用いて第１の締結ボス５３１ｃとブラケット締結部５４３ｂ、５４８ｂを締結してあげると、ファンアセンブリ５４０、５４５とファンカバー５３０間の締結が行われてもよい。
【０２０５】
［フィルタモジュールの構造］
フィルタモジュール５５０は、ファンアセンブリ５４０、５４５と後面パネル５７０との間に配置される。すなわち、フィルタモジュール５５０の前方にはファンアセンブリ５４０、５４５が配置され、フィルタモジュール５５０の後方には後面パネル５７０が配置される。
【０２０６】
このようなフィルタモジュール５５０は、ケース５２０の内部の収容空間に収容されるものの、第１領域（Ａ）に配置される。よって、フィルタモジュール５５０は、ファンアセンブリ５４０、５４５とその下部に配置されたバッテリー５６０のうち、ファンアセンブリ５４０、５４５と向い合う位置に配置される。このようなフィルタモジュール５５０は、フィルタケース５５１及びフィルタ５５９を含めてなされてもよい。
【０２０７】
フィルタケース５５１は、フィルタモジュール５５０の外観骨格を形成する。このようなフィルタケース５５１は、ケース本体部５５２とファンカバー結合部５５３、５５４を含めてなされてもよい。
【０２０８】
ケース本体部５５２は、フィルタケース５５１の骨格を形成する。本実施形態では、ケース本体部５５２が後面の開放された六面体状に形成されることを例示する。このようなケース本体部５５２の内部には、フィルタ５５９を収容するための挿入空間が形成される。そして、ケース本体部５５２の後方は、開放され、これにより、フィルタ５５９がケース本体部５５２の内部の挿入空間に挿入されるための通路が形成される。
【０２０９】
ケース本体部５５２の内部の挿入空間にはフィルタ５５９が装着される。ケース本体部５５２の内側面には、フィルタ５５９がフィルタケース５５１の内部に堅固に装着し得るようにする安着溝又は安着突起を備えることもできる。
【０２１０】
また、ケース本体部５５２には、前記挿入空間とファンアセンブリ５４０、５４５との間の通路を形成する貫通孔５５２ａが設けられる。貫通孔５５２ａは、ケース本体部５５２の前面に前後方向に貫通するように形成される。このような貫通孔５５２ａは、フィルタ５５９を通した空気が送風ファン５４１、５４６側へ動するための通路を形成する。
【０２１１】
ケース本体部５５２の前面には複数個の貫通孔５５２ａが設けられ、それぞれの貫通孔５５２ａは、ケース本体部５５２の前面に前後方向に貫通するように形成される。
【０２１２】
本実施形態では、ケース本体部５５２の前面に複数個の貫通孔５５２ａが設けられて、各々の貫通孔５５２ａは、六角形に形成されることを例示する。また、複数個の貫通孔５５２ａがハニコム状に配列され、これにより、ケース本体部５５２の前面にはハニコム構造を形成することができる。
【０２１３】
このように、ケース本体部５５２の前面にハニコム構造が形成されることによって、空気の流動のための通路を確保する目的のほか、フィルタケース５５１の剛性の確保と軽量化のような目標も共に達成することができるようになる。
【０２１４】
ファンカバー結合部５５３、５５４は、ケース本体部５５２の上部に設けられる第１のファンカバー結合部５５３と、ケース本体部５５２の下部に設けられる第２のファンカバー結合部５５４を含めてなされてもよい。
【０２１５】
第１のファンカバー結合部５５３は、ケース本体部５５２の上部でファンカバー５３０の第２の締結ボス５３１ｄと結合する。そして、第２のファンカバー結合部５５４は、ケース本体部５５２の下部でファンカバー５３０の第３の締結ボス５３５ａと結合する。
【０２１６】
第１のファンカバー結合部５５３には、第２の締結ボス５３１ｄが差し込み結合されてもよい。そして、第２のファンカバー結合部５５４には、第３の締結ボス５３５ａが差し込み結合されてもよい。このように、第１及び第２のファンカバー結合部５５３、５５４と第２及び第３の締結ボス５３１ｄ、５３５ａ間の差し込み結合が行われた状態で、所定の締結部材を用いて第１及び第２のファンカバー結合部５５３、５５４と第２及び第３の締結ボス５３１ｄ、５３５ａをそれぞれ締結してあげると、ファンカバー５３０とフィルタモジュール５５０間の締結が行われてもよい。
【０２１７】
上記のように、第１及び第２のファンカバー結合部５５３、５５４と第２及び第３の締結ボス５３１ｄ、５３５ａが締結部材によって締結される過程で、ファンカバー５３０とフィルタケース５５１は、互いに近接する方向への力を受けるようになる。すなわち、ファンカバー５３０は、ファンカバー５３０を後方に移動させようとする力を受けるようになり、フィルタケース５５１を前方に移動させようとする力を受けるようになる。
【０２１８】
これにより、ファンカバー５３０とフィルタケース５５１は、ファンカバー５３０とフィルタモジュール５５０との間に配置されたファンアセンブリ５４０、５４５を前方と後方から圧迫する作用を行うようになる。これにより、ファンアセンブリ５４０、５４５は、別途締結作業がなくても、ファンカバー５３０とフィルタモジュール５５０との間に堅たく固定し得るようになる。
【０２１９】
すなわち、ファンカバー５３０とフィルタケース５５１の締結のために用いられる締結部材によって、ファンカバー５３０とファンアセンブリ５４０、５４５及びフィルタケース５５１の締結を共に行うことができる。これにより、ファンカバー５３０とファンアセンブリ５４０、５４５及びフィルタモジュール５５０の組み立てをさらに容易に且つ早く行えるようになる。
【０２２０】
また、フィルタケース５５１には、ファン締結ボス５５５がさらに設けられてもよい。ファン締結ボス５５５は、送風ファン５４１、５４６の後方でブラケット締結部５４３ｂ、５４８ｂに差し込み結合することができる。
【０２２１】
本実施形態によれば、送風ファン５４１、５４６の前方では、第１の締結ボス５３１ｃがブラケット締結部５４３ｂ、５４８ｂに差し込み結合し、送風ファン５４１、５４６の後方では、ファン締結ボス５５５がブラケット締結部５４３ｂ、５４８ｂに差し込み結合する。
【０２２２】
すなわち、一つのブラケット締結部５４３ｂ、５４８ｂに第１の締結ボス５３１ｃとファン締結ボス５５５が前方と後方の両側で差し込み結合する。これにより、ファンアセンブリ５４０、５４５は、ファンカバー５３０とフィルタモジュール５５０との間に差し込まれて、ファンカバー５３０とフィルタモジュール５５０との間に堅たく固定し得るようになる。
【０２２３】
また、第２のファンカバー結合部５５４と第３の締結ボス５３５ａとの間には、後述するバッテリー５６０の上部に設けられた第１の結合部５６２を介在することができる。第２のファンカバー結合部５５４と第３の締結ボス５３５ａは、バッテリー５６０の第１の結合部５６２を介して互いに結合することができる。これにより、一つの締結部材を用いた一度の締結作業により、ファンカバー５３０とフィルタモジュール５５０とバッテリー５６０間の結合を共に行うことができる。
【０２２４】
また、フィルタケース５５１は、突出支持部５５６をさらに含んでいてもよい。突出支持部５５６は、ケース本体部５５２で突き出るように形成される。本実施形態では、突出支持部５５６がケース本体部５５２の上端から上部方向に突き出る形態に形成されることを例示する。このような突出支持部５５６は、ケース本体部５５２の上端に上部に突き出た平面を形成する。このとき、突出支持部５５６は、ケース本体部５５２の後面側に配置され、ケース本体部５５２の前面に並ぶ平面を形成する。
【０２２５】
このような突出支持部５５６には、後面パネルロッキング溝５５５ａが形成される。後面パネルロッキング溝５５５ａは、突出支持部５５６に凹んで形成され、後面パネルロッキング溝５５５ａの後方は、後面パネル５７０に向けて開放される。このような後面パネルロッキング溝５５５ａは、フィルタケース５５１と後面パネル５７０間の結合のために設けられたものである。
【０２２６】
また、フィルタケース５５１は、センサ結合部５５７をさらに含んでいてもよい。センサ結合部５５７は、フィルタケース５５１と後述するセンサモジュール６００間の結合のために設けられたものである。
【０２２７】
携帯用空気浄化機５０には、ホコリ／微細ホコリ／超微細ホコリ等の物理的粒子、におい粒子／有害ガス等の化学物質、及び細菌／ウイルス等の未生物体のうち少なくともいずれかを濾して空気を浄化するフィルタ５５９が設けられる。
【０２２８】
フィルタ５５９は、ホコリ等の物理的粒子を濾し出すための集じんフィルタ、ガス等の化学物質を濾し出すための脱臭フィルタ、又は細菌ウイルス等の微生物を濾し出すための除菌フィルタのうち少なくともいずれかであってもよい。
【０２２９】
携帯用空気浄化機５０には、前記集じんフィルタ、前記脱臭フィルタ及び前記除菌フィルタのうちいずれかを含むフィルタ５５９が装着してもよい。よって、使用者の好みに応じて前記集じんフィルタ、前記脱臭フィルタ及び前記除菌フィルタのうちいずれかを選択的に使用することができる。すなわち、選択されたフィルタの種類によって携帯用空気浄化機５０の目的又は性能が可変し得る。
【０２３０】
一例として、集じんフィルタにはヘパフィルタ（Ｈｉｇｈ ｅｆｆｉｃｉｅｎｃｙ ｐａｒｔｉｃｕｌａｔｅ ａｉｒ ｆｉｌｔｅｒ）が含まれていてもよい。また、脱臭フィルタにはカーボンフィルタ（Ｃａｒｂｏｎ ｆｉｌｔｅｒ）が含まれていてもよい。そして、除菌フィルタにはイオナイザー（Ｉｏｎｉｚｅｒ）が含まれていてもよい。しかし、これに限定されるものではなく、集じんフィルタ、脱臭フィルタ及び除菌フィルタには様々な種類のフィルタが含まれていてもよい。
【０２３１】
フィルタ５５９は、フィルタケース５５１の開放された後面を介してフィルタケース５５１の内部の挿入空間に挿入することができる。すなわち、フィルタ５５９は、フィルタケース５５１に着脱可能に装着することができる。本実施形態によれば、フィルタケース５５１の内部にフィルタ５５９を差し込むだけでフィルタ５５９の装着が完了し、フィルタケース５５１からフィルタ５５９を取り出すだけでフィルタ５５９の脱去が完了する。すなわち、フィルタ５５９が容易に且つ早く装着するか脱去されてもよい。また、必要な際にフィルタ５５９の交換も容易に且つ早く行われるため、携帯用空気浄化機５０のメンテナンスが容易になり、必要によってフィルタの種類の交換も容易になる。
【０２３２】
［バッテリーの構造］
バッテリー５６０は、携帯用空気浄化機５０を駆動するための電源を供給することができる。このためにバッテリー５６０は、ファンアセンブリ５４０、５４５、サブＰＣＢ５９０、前記メインＰＣＢ５９５及びフィルタモジュール５５０のうち少なくともいずれかと電気的に連結することができる。
【０２３３】
バッテリー５６０は、ケース５２０の内部の収容空間に収容されるものの、第２領域（Ｂ）に配置される。第２領域（Ｂ）は、ファンアセンブリ５４０、５４５とフィルタモジュール５５０が配置された第１領域（Ａ）の下部に配置される領域である。第２領域（Ｂ）の上部境界面は、ファンアセンブリ５４０、５４５及びフィルタモジュール５５０によって規定することができ、第２領域（Ｂ）の下部及び側部の境界面は、ケース５２０の底面部５２７と側面部５２１によって規定することができる。
【０２３４】
このような第２領域（Ｂ）に位置したバッテリー５６０は、ファンアセンブリ５４０、５４５及びフィルタモジュール５５０の下部に配置される。また、バッテリー５６０は、ファンカバー５３０と後面カバー５８０との間に配置される。すなわち、バッテリー５６０の上部にはファンアセンブリ５４０、５４５及びフィルタモジュール５５０が配置され、バッテリー５６０の前方にはファンカバー５３０の下部カバー部５３５が配置され、バッテリー５６０の後方には後面カバー５８０が配置される。
【０２３５】
前記バッテリー５６０には、第１の結合部５６２と第２の結合部５６３が設けられてもよい。第１の結合部５６２は、バッテリー５６０とフィルタモジュール５５０間の結合のために設けられる。そして、第２の結合部５６３は、バッテリー５６０とファンカバー５３０間の結合のために設けられる。
【０２３６】
第１の結合部５６２は、バッテリー５６０の上部に設けられる。このような第１の結合部５６２は、フィルタケース５５１の第２のファンカバー結合部５５４と突き合わせられた状態で、締結部材によって第２のファンカバー結合部５５４と結合することができる。このように行われる第１の結合部５６２と第２のファンカバー結合部５５４間の結合によって、バッテリー５６０とフィルタモジュール５５０間の結合を行うことができる。
【０２３７】
このとき、第１の結合部５６２は、ファンカバー５３０の第３の締結ボス５３５ａと第２のファンカバー結合部５５４との間に配置される。このような第１の結合部５６２は、その前面が第３の締結ボス５３５ａと突き合わせられて、その後面が第２のファンカバー結合部５５４と突き合わせられた状態で、第３の締結ボス５３５ａと第１の結合部５６２及び第２のファンカバー結合部５５４を一度に貫通する締結部材によって第３の締結ボス５３５ａ及び第２のファンカバー結合部５５４と結合することができる。すなわち、一つの締結部材を用いた一度の締結作業により、ファンカバー５３０とフィルタモジュール５５０とバッテリー５６０間の結合を共に行うことができる。
【０２３８】
第２の結合部には、ファンカバー５３０の第４の締結ボス５３５ｂが差し込まれてもよい。第２の結合部５６３に第４の締結ボス５３５ｂが差し込まれた状態で、締結部材によって第２の結合部５６３と第４の締結ボス５３５ｂ間の結合を行うことができる。このように行われる第２の結合部５６３と第４の締結ボス５３５ｂ間の結合によって、ファンカバー５３０とバッテリー５６０間の結合を行うことができる。
【０２３９】
また、バッテリー５６０には、第３の結合部５６４がさらに設けられてもよい。第３の結合部５６４は、バッテリー５６０と後面カバー５８０間の結合のために設けられる。
【０２４０】
［サブＰＣＢ及びメインＰＣＢの構造］
携帯用空気浄化機５０は、サブＰＣＢ５９０及びメインＰＣＢ５９５をさらに含んでいてもよい。
【０２４１】
サブＰＣＢ５９０には、サブ基板５９１と、サブ基板５９１に設置される電源ボタン５９２及び風量調節ボタン５９３が含まれる。電源ボタン５９２は、携帯用空気浄化機５０の電源をオン／オフするための操作ボタンとして設けられる。また、風量調節ボタン５９３は、携帯用空気浄化機５０の風量を増加又は減少させるための操作ボタンとして設けられる。サブＰＣＢ５９０は、後述するメインＰＣＢ５９５と電気的に連結される。
【０２４２】
サブＰＣＢ５９０は、ケース５２０の内部の最上部に配置されてもよい。すなわち、サブＰＣＢ５９０は、ファンアセンブリ５４０、５４５及びフィルタモジュール５５０の上側に配置される。このようなサブＰＣＢ５９０に設置される電源ボタン５９２及び風量調節ボタン５９３は、ケース５２０の上面部５２３に備えられたボタン貫通孔５２３ａを通じてケース５２０の外部へ露出する。使用者は、このように露出したボタンを操作して、携帯用空気浄化機５０にオン／オフするか、携帯用空気浄化機５０の風量を調節することができる。
【０２４３】
また、携帯用空気浄化機５０は、携帯用空気浄化機５０のハードウェアモジュール全体を管理するメインＰＣＢ５９５をさらに含んでいてもよい。メインＰＣＢ５９５は、携帯用空気浄化機５０の制御部として機能することができる。
【０２４４】
メインＰＣＢ５９５は、ケース５２０の内部の収容空間でファンアセンブリ５４０、５４５の下部に配置される。すなわち、メインＰＣＢ５９５は、ケース５２０の内部の第２領域（Ｂ）に収容され、ファンカバー５３０の下部カバー部５３５とバッテリー５６０との間に配置されてもよい。
【０２４５】
一例として、メインＰＣＢ５９５は、下部カバー部５３５に並ぶ立てられた形態に配置されてもよい。このようなメインＰＣＢ５９５は、下部カバー部５３５とバッテリー５６０との間で、下部カバー部５３５とバッテリー５６０によって前後方向の両側で支持することができる。
【０２４６】
メインＰＣＢ５９５は、メイン基板５９６と、メイン基板５９６に設置される複数の素子５９７を含めてなされてもよい。メイン基板５９６は、ファンアセンブリ５４０、５４５、バッテリー５６０とサブＰＣＢ５９０及びセンサモジュール６００と電気的に連結することができる。このようなメインＰＣＢ５９５は、電源ボタン５９２及び風量調節ボタン５９３を介して入力された命令又はセンサモジュール６００を介して感知されたデータに基づいて、上部ファンアセンブリ５４０及び前記下部ファンアセンブリ５４５の動作を制御することができる。
【０２４７】
また、メインＰＣＢ５９５は、フィルタモジュール５５０と電気的に連結することができる。一例として、フィルタ５５９がイオナイザーを含む場合、メインＰＣＢ５９５は、イオナイザーと電気的に連結され、イオナイザーへ電力が供給されるようにすることができる。これと違って、前記フィルタ５５９は、バッテリー５６０と電気的に連結されて、バッテリー５６０から直接に電力を提供されることもできる。
【０２４８】
［後面パネルの構造］
携帯用空気浄化機５０は、ケース５２０の後方に配置される後面パネル５７０を含む。一例として、後面パネル５７０は、プラスチック樹脂材質で形成することができる。
【０２４９】
後面パネル５７０は、外部空気が携帯用空気浄化機５０の内部に吸入する部分である。このような後面パネル５７０には、複数個の第１の吸入口５７０ａが含まれる。複数個の第１の吸入口５７０ａは、後面パネル５７０の少なくとも一部分が貫通又は切開されることによって形成することができる。外部空気は、複数個の第１の吸入口５７０ａを通じて携帯用空気浄化機５０の内部へ容易に吸入することができる。
【０２５０】
後面パネル５７０は、ケース５２０の後方に配置されて、ケース５２０の開放された後面部をカバーする。このような後面パネル５７０は、平面部５７１及び傾斜面部５７３を含めてなされてもよい。
【０２５１】
平面部５７１は、後面パネル５７０の側方向の中心部に配置される。平面部５７１は、前面パネル５１０に並ぶ平面で形成され、ケース５２０の開放された後面部をカバーする。このような平面部５７１は、後面パネル５７０の中心部に堅い平面で形成されることによって、後面パネル５７０の剛性向上に寄与することもできる。
【０２５２】
傾斜面部５７３は、平面部５７１の側方向の両側に配置される。このような傾斜面部５７３は、平面部５７１からケース５２０の前方側に傾く傾斜面で形成される。このとき、傾斜面部５７３は、後方に凸む曲面状を含めてなされるのが好ましい。そして、第１の吸入口５７０ａの少なくとも一部分がこの傾斜面部５７３に配置される。
【０２５３】
本実施形態では、第１の吸入口５７０ａほとんどの領域が傾斜面部５７３に配置されることを例示する。そして、複数個の第１の吸入口５７０ａは、後面パネル５７０の両側に配置された傾斜面部５７３に上下方向にそれぞれ所定間隔離隔して配置されることを例示する。
【０２５４】
上記のように、傾斜面部５７３に第１の吸入口５７０ａに配置されるにつれて、第１の吸入口５７０ａは、携帯用空気浄化機５０の後方や側方ではなく、後方と側方との間の方向を向くようになる。
【０２５５】
もし第１の吸入口５７０ａが携帯用空気浄化機５０の後方を向いて配置されると、後面パネル５７０が底を向いて携帯用空気浄化機５０が横にされたとき、第１の吸入口５７０ａが底に塞がれるようになる。この場合、携帯用空気浄化機５０の内部への空気の吸入が十分に行われない現象が発生し得る。
【０２５６】
そうだとして、第１の吸入口５７０ａが携帯用空気浄化機５０の側方を向いて配置されると、携帯用空気浄化機５０の内部へ空気が吸入する方向と携帯用空気浄化機５０から空気が吐出される方向が約直角を成して交わるようになる。これは、携帯用空気浄化機５０の内部で流路抵抗を増加させる原因となり、これにより、携帯用空気浄化機５０の騷音が増加し、空気浄化性能が低下する問題が発生し得る。
【０２５７】
かかる点を考慮して、本実施形態では、第１の吸入口５７０ａが携帯用空気浄化機５０の後方や側方ではなく、後方と側方の間の方向を向くように配置される。これにより、携帯用空気浄化機５０がある方向に横にされても、第１の吸入口５７０ａと底との間に離隔空間を確保することができるようになる。これにより、携帯用空気浄化機５０の横にされた状態に関係なく、空気吸入路を十分に確保できるようになる。また、第１の吸入口５７０ａが携帯用空気浄化機５０の後方に近い方向に配置されるため、携帯用空気浄化機５０の騷音の増加及び空気浄化の性能低下が発生するおそれも解消できるようになる。
【０２５８】
前記後面パネル５７０は、フィルタケース５５１と結合して、ケース５２０の開放された後面部をカバーする。このような後面パネル５７０には、後面パネルロッキング部５７５がさらに設けられてもよい。後面パネルロッキング部５７５は、後面パネル５７０をケース５２０の後方に堅く装着させるために設けられる。
【０２５９】
後面パネルロッキング部５７５は、後面パネル５７０の上端部で突き出た形態に形成される。このような後面パネルロッキング部５７５は、フィルタケース５５１の上部に設けられた後面パネルロッキング溝５５５ａに挿入されて、フィルタケース５５１に拘束される。
【０２６０】
一例として、後面パネルロッキング部５７５は、フック状に形成することができる。このような後面パネルロッキング部５７５は、フィルタケース５５１にフック方式で締結することができる。
【０２６１】
また、後面パネル５７０には後面カバー結合部５７７がさらに設けられてもよい。後面カバー結合部５７７は、後面カバー５８０と向い合う後面パネル５７０の下端に設けられる。このような後面カバー結合部５７７は、後面パネル５７０と後面カバー５８０間の結合のために設けられるものである。
【０２６２】
［後面カバーの構造］
本実施形態の携帯用空気浄化機５０は、ケース５２０の後方及び後面パネル５７０の下部に配置される後面カバー５８０をさらに含んでいてもよい。一例として、後面カバー５８０は、後面パネル５７０と同様なプラスチック樹脂材質で形成することができる。
【０２６３】
後面カバー５８０は、後面パネル５７０と共にケース５２０の後方に配置されて、ケース５２０の開放された後面部をカバーする。すなわち、ケース５２０の開放された後面部は、上部の後面パネル５７０と下部の後面カバー５８０によってカバーされる。
【０２６４】
本実施形態によれば、後面パネル５７０は、ケース５２０の内部の収容空間のうち、第１領域（Ａ）の後方を遮蔽する構成であり、後面カバー５８０は、第２領域（Ｂ）の後方を遮蔽する構成である。
【０２６５】
第１領域（Ａ）には空気の吸入、浄化、排出に係る構成が配置される。すなわち、第１領域（Ａ）にはフィルタモジュール５５０とファンアセンブリ５４０、５４５が配置され、これにより、第１領域（Ａ）では、空気の流動が行われる。よって、後面パネル５７０には空気吸入のための通路として複数個の第１の吸入口５７０ａが設けられる。
【０２６６】
第２領域（Ｂ）には、空気浄化のための空気の流動と直接に関連ない構成が配置される。すなわち、第２領域（Ｂ）には、メインＰＣＢ５９５とバッテリー５６０及びセンサモジュール６００が配置される。後面カバー５８０は、このような構成が配置された空間の開放された後方をカバーする。
【０２６７】
前記後面カバー５８０は、後面パネル５７０に類似する形状に形成される。すなわち、後面パネル５７０と後面カバー５８０は、互いに結合したとき、一つの部材のように認識できるように設けられる。
【０２６８】
これによれば、後面カバー５８０は、後面パネル５７０に類似に平面部５８１と傾斜面部５８３を含めてなされてもよい。平面部５８１は、後面カバー５８０の側方向の中心部に配置され、後面パネル５７０の平面部５７１に並ぶ平面で形成される。
【０２６９】
傾斜面部５８３は、平面部５８１の側方向の両側及び下部に配置される。このような傾斜面部５８３は、平面部５８１からケース５２０の前方側に傾く傾斜面で形成される。
【０２７０】
また、後面カバー５８０は、横面部５８５をさらに含んでいてもよい。横面部５８５は、後面パネル５７０と向い合う後面カバー５８０の上端に横方向の平面を形成する。すなわち、後面カバー５８０の背面は、平面部５８１によって形成され、後面カバー５８０の両側面及び下部面は、傾斜面部５８３によって形成され、後面カバー５８０の上部面は、横面部５８５によって形成される。
【０２７１】
また、後面カバー５８０には第２の吸入口５８０ａが設けられてもよい。第２の吸入口５８０ａは、後面カバー５８０に貫通するように形成される。このような第２の吸入口５８０ａは、ケース５２０の後方とバッテリー５６０及びセンサモジュール６００との間を連結する通路を形成する。このように形成された第２の吸入口５８０ａを通じて、外部空気が第２領域（Ｂ）の内部のバッテリー５６０及びセンサモジュール６００側に流入することができる。
【０２７２】
前記後面カバー５８０は、後面パネル５７０と別途設けられ、ケース５２０及び後面パネル５７０と結合して、バッテリー５６０の後方を遮蔽する。このような後面カバー５８０は、後面パネル結合部５８６及びケース結合部５８７をさらに含んでいてもよい。
【０２７３】
後面パネル結合部５８６は、後面パネル５７０と後面カバー５８０間の結合のために設けられるものである。後面パネル結合部５８６は、後面パネル５７０と向い合う後面カバーの上部面、すなわち、横面部５８５から上部方向に突き出るように形成される。
【０２７４】
このような後面パネル結合部５８６は、後面パネル５７０の下端に設けられた後面カバー結合部５７７と結合する。後面パネル結合部５８６と後面カバー結合部５７７間の結合によって、後面パネル５７０の下部が固定する。すなわち、後面パネル５７０の上部で行われる後面パネルロッキング部５７５とフィルタケース５５１間の結合と、後面パネル５７０の下部で行われる後面パネル結合部５８６と後面カバー結合部５７７間の結合によって、後面パネル５７０の固定が安定して行われるようになる。
【０２７５】
本実施形態では、突起状の後面パネル結合部５８６が後面カバー結合部５７７の内側に形成された差し込み溝に差し込まれる形態であり、後面パネル結合部５８６と後面カバー結合部５７７間の結合が行われることを例示する。
【０２７６】
ケース結合部５８７は、後面カバー５８０とケース５２０間の結合のために設けられるものである。ケース結合部５８７は、ケース５２０の後方下部に設けられた後面カバー結合溝５２０ｃに挿入してケース５２０に拘束される。
【０２７７】
一例として、後面カバー結合溝５２０ｃは、ケース５２０の底面部５２７に上下方向に貫通するように形成することができる。そして、ケース結合部５８７は、後面カバー５８０の下部面から下部方向に突き出た突起状に形成することができる。
【０２７８】
ケース結合部５８７と後面カバー結合溝５２０ｃ間の結合によって、後面カバー５８０の下部がケース５２０に固定し得る。すなわち、後面カバー５８０の上部は、後面パネル５７０に固定し、後面カバー５８０の下部は、ケース５２０に固定する後面カバー５８０の固定構造を形成することができる。これにより、後面カバー５８０がケース５２０の後方に安定して固定し、後面パネル５７０と後面カバー５８０が互いに固定状態を保持する後面パネル５７０と後面カバー５８０の固定構造を提供することができるようになる。
【０２７９】
また、本実施形態の後面カバー５８０は、バッテリー係止部５８８をさらに含んでいてもよい。バッテリー係止部５８８は、後面カバー５８０とバッテリー５６０間の結合のために設けられるものである。バッテリー係止部５８８は、上部の後面パネル結合部５８６と下部のケース結合部５８７との間に配置される。このようなバッテリー係止部５８８は、バッテリー５６０の後面側に設けられた第３の結合部５６４に挿入して、バッテリー５６０に拘束される。
【０２８０】
また、バッテリー５６０は、第４の結合部５６８をさらに含んでいてもよい。第４の結合部５６８は、第３の結合部５６４のように、後面カバー５８０とバッテリー５６０間の結合のために設けられるものである。第４の結合部５６８は、バッテリーケース５６１の後面５６１ａから後面カバー５８０側に突き出た構造物状に形成される。
【０２８１】
そして、第４の結合部５６８の内部及び後面カバー５８０の横面部５８５には、締結孔が上下方向に貫通するように形成される。第４の結合部５６８と横面部５８５の締結孔が互いに重なった状態で、所定の締結部材で第４の結合部５６８と横面部５８５を締結してあげると、バッテリー５６０と後面カバー５８０間の結合を行うことができる。
【０２８２】
バッテリー５６０は、第１の結合部５６２と第２のファンカバー結合部５５４間の結合及び第２の結合部５６３と第４の締結ボス５３５ｂ間の結合によってフィルタケース５５１及びファンカバー５３０に固定した状態である。よって、バッテリー係止部５８８が第３の結合部５６４に挿入してバッテリー５６０に拘束されれば、後面カバー５８０がケース５２０の後方に離脱しないように、後面カバー５８０の動きが拘束されてもよい。
【０２８３】
すなわち、後面カバー５８０の上部が後面パネル５７０に固定し、後面カバー５８０の下部は、ケース５２０に固定し、後面カバー５８０の上下方向の中間部分がバッテリー５６０によって拘束される後面カバー５８０の固定構造が提供され、これにより、後面カバー５８０の固定をさらに安定して行えるようになる。
【０２８４】
［センサモジュールの構造］
本実施形態の携帯用空気浄化機５０は、センサモジュール６００をさらに含んでいてもよい。センサモジュール６００は、ケース５２０の内部の収容空間に配置されるものの、第２領域（Ｂ）に配置される。このようなセンサモジュール６００は、バッテリー５６０と後面カバー５８０との間に配置される。すなわち、センサモジュール６００の前方にはバッテリー５６０が配置され、センサモジュール６００の後方には後面カバー５８０が配置される。
【０２８５】
センサモジュール６００は、携帯用空気浄化機５０の周辺又は携帯用空気浄化機５０が配置された室内空間の空気質を感知する多様なセンサを含んでいてもよい。例えば、前記センサは、ホコリセンサ、ガスセンサ等を含んでいてもよい。センサモジュール６００は、前記センサを利用して空気質を感知し、感知された情報を携帯用空気浄化機５０のハードウェアモジュール全体を管理するメインＰＣＢ５９５に伝送することができる。
【０２８６】
［携帯用空気浄化機の部品配置構造］
図１９は、図１８に示した携帯用空気浄化機の一部構成を分離して示した分解斜視図であり、図２０は、図１９に示したファンカバーとケースとの結合状態を示す図面で、図２１は、図２０に示したバッテリーの装着状態を示す図面である。また、図２２は、図２１に示したファンカバーと後面カバーとの結合状態を示す図面であり、図２３は、図１８の「ＸＸIII」部分を拡大して示した拡大図である。また、図２４は、本発明の第２実施形態による携帯用空気浄化機の前面を示した前面図であり、図２５は、本発明の第２実施形態による携帯用空気浄化機の空気流動の様相を示す図面で、図２６は、図２５に示した空気浄化機のカップホールダの装着状態を示す図面である。
【０２８７】
先ず、図１８〜図２３を参照すれば、携帯用空気浄化機５０の骨格を形成するケース５２０の内部の収容空間は、上部の第１領域（Ａ）と第２領域（Ｂ）とに分けられる。
【０２８８】
第１領域（Ａ）には空気の吸入、浄化、吐出に係る構成が配置される。すなわち、第１領域（Ａ）にはフィルタモジュール５５０とファンアセンブリ５４０、５４５が配置され、これにより、第１領域（Ａ）では、空気の流動が行われる。よって、後面パネル５７０には空気の吸入のための通路として複数個の第１の吸入口５７０ａが設けられる。ファンカバー５３０及び前面パネル５１０には、第１領域（Ａ）で浄化した空気吐出のための通路として空気吐出部５３２、５３３及び吐出口５１０ａが設けられる。そして、第１領域（Ａ）には、第１の吸入口５７０ａと空気吐出部５３２、５３３及び吐出口５１０ａとの間を連結する流路が形成される。
【０２８９】
すなわち、第１領域（Ａ）には第１の吸入口５７０ａとフィルタモジュール５５０とファンアセンブリ５４０、５４５と空気吐出部５３２、５３３及び吐出口５１０ａが設けられ、携帯用空気浄化機５０の内部に吸入した空気が空気浄化機５０の内部を通すために要する流路は、第１領域（Ａ）に形成される。
【０２９０】
第２領域（Ｂ）には、空気浄化のための空気の流動と直接に関連ない構成が配置される。すなわち、第２領域（Ｂ）には、メインＰＣＢ５９５とバッテリー５６０及びセンサモジュール６００が配置される。後面カバー５８０は、このような構成が配置された空間の開放された後方をカバーする。
【０２９１】
本実施形態によれば、ケース５２０は、側方向の長さより上下方向の長さが長い六面体状に形成される。そして、上部に配置された第１領域（Ａ）が下部に配置された第２領域（Ｂ）より上下方向の長さが長く形成される。すなわち、携帯用空気浄化機５０が縦方向に立てられたとき、上部の第１領域（Ａ）が下部の第２領域（Ｂ）よりケース５２０内でさらに広い領域を占めるようになる。
【０２９２】
第２領域（Ｂ）の最前方には、ファンカバー５３０の下部カバー部５３５が配置される。バッテリー５６０は、第２領域（Ｂ）に配置されるものの、下部カバー部５３５の後方に配置される。バッテリー５６０の上部にはファンアセンブリ５４０、５４５及びフィルタモジュール５５０が配置され、バッテリー５６０の後方には後面カバー５８０が配置される。そして、バッテリー５６０と後面カバー５８０との間には、センサモジュール６００が配置されてもよい。
【０２９３】
すなわち、バッテリー５６０は、上部境界面がファンアセンブリ５４０、５４５及びフィルタモジュール５５０によって規定され、側部及び下部境界面がケース５２０の側面部５２１及び底面部５２７によって規定され、後方境界面が後面カバー５８０によって規定される空間内に収容される。
【０２９４】
本実施形態によれば、バッテリー５６０は、ファンアセンブリ５４０、５４５及びフィルタモジュール５５０より重量物として設けられる。好ましくは、バッテリー５６０は、ファンアセンブリ５４０、５４５とフィルタモジュール５５０を合わせた重さよりさらに重い重さを有するように設けられてもよい。
【０２９５】
通常、バッテリー５６０の単位体積当たりの重さがファンアセンブリ５４０、５４５及びフィルタモジュール５５０の単位体積当たりの重さよりさらに重いため、バッテリー５６０の重さやサイズを人為的に増加させなくても、バッテリー５６０がファンアセンブリ５４０、５４５及びフィルタモジュール５５０より重量物として設けられることが難しくない。
【０２９６】
すなわち、携帯用空気浄化機５０の通常の使用に要する用量のバッテリー５６０が携帯用空気浄化機５０に適用されても、自然にバッテリー５６０がファンアセンブリ５４０、５４５及びフィルタモジュール５５０より重量物として設けられるものである。
【０２９７】
このように、重量物であるバッテリー５６０が携帯用空気浄化機５０の下部に配置されると、次のような効果が提供され得る。
【０２９８】
第一に、重量物であるバッテリー５６０が携帯用空気浄化機５０の下部に配置されると、携帯用空気浄化機５０の重心は、上下方向の中心から下部側に振れて配置される。すなわち、バッテリー５６０が配置された携帯用空気浄化機５０の下部側に携帯用空気浄化機５０の重心が偏るようになる。
【０２９９】
このように、バッテリー５６０が配置された携帯用空気浄化機５０の下部側に携帯用空気浄化機５０の重心が偏るようになれば、携帯用空気浄化機５０を縦方向に立てたとき、携帯用空気浄化機５０が転倒するリスクが低くなるようになる。
【０３００】
すなわち、携帯用空気浄化機５０を縦方向に立てたとき、携帯用空気浄化機５０の下部に配置されたバッテリー５６０によって携帯用空気浄化機５０の重心が下部側に位置するようになるため、携帯用空気浄化機５０が倒れやすくならない。
【０３０１】
一方、本実施形態の携帯用空気浄化機５０によれば、図２４に示したように、ケース５２０の底面部５２７が上面部５２３より広い面積の平面を形成する。すなわち、底面部５２７は、上面部５２３より側方向の長さが長い平面を形成する。すなわち、底面部５２７の側方向の長さがｄ1であり、上面部５２３の側方向の長さがｄ2であるとするとき、ｄ1＞ｄ2の関係を満す。そして、底面部５２７と側面部５２１との間を連結する第２の連結面部５２９は、第１の連結面部５２５よりＲ値の小さい曲面を形成する。
【０３０２】
ケース５２０の底面部５２７は、携帯用空気浄化機５０を縦方向に立てたとき、底面と接触する部分である。すなわち、底面部５２７は、携帯用空気浄化機５０が立てられた姿勢を維持するように携帯用空気浄化機５０を支持する部分である。
【０３０３】
このようなケース５２０の底面部５２７が上面部５２３より広い面積の平面を形成することによって、ケース５２０の底面部５２７は、縦方向に立てられた携帯用空気浄化機５０をさらに安定して支持できるようになる。
【０３０４】
すなわち、携帯用空気浄化機５０の重心が下部側に位置するように、バッテリー５６０が、携帯用空気浄化機５０の下部に配置される構造と、縦方向に立てられた携帯用空気浄化機５０を支持するケース５２０の底面部５２７が、上面部５２３より広い面積の平面を形成する構造の組み合わせにより、携帯用空気浄化機５０の転倒の発生を効果的に抑え、且つ縦方向に立てられた携帯用空気浄化機５０の姿勢を安定して保持できるようになる。
【０３０５】
第二に、重量物であるバッテリー５６０が携帯用空気浄化機５０の下部に配置されると、携帯用空気浄化機５０を構成する他の部品、例えば、フィルタモジュール５５０とファンアセンブリ５４０、５４５は、バッテリー５６０より上部に配置しなければならない。すなわち、空気の吸入、浄化、吐出に係る構成がバッテリー５６０より高い位置に配置しなければならない。
【０３０６】
携帯用空気浄化機５０の円滑な使用に要するバッテリー５６０の充電容量を確保するためには、バッテリー５６０のサイズが一定以上であることが求められる。よって、携帯用空気浄化機５０の内部にも、バッテリー５６０の設置のため一定サイズ以上の設置空間が求められる。そして、バッテリー５６０が設置された空間に空気の流動のための流路を形成することは、不合理であるため、空気の吸入、浄化、吐出に係る構成は、バッテリー５６０を避けた位置、すなわち、バッテリー５６０より高い位置に配置するしかない。
【０３０７】
このような配置構造により、携帯用空気浄化機５０における空気の吸入、浄化、吐出のための流路は、図２５に示したように、バッテリー５６０より高い位置である第１領域（Ａ）に形成される。よって、携帯用空気浄化機５０への空気の吸入、携帯用空気浄化機５０で浄化した空気の吐出もバッテリー５６０が設置された位置より高い位置で行われるようになる。
【０３０８】
このように、携帯用空気浄化機５０の上部で浄化空気の吐出が行われようになると、携帯用空気浄化機５０で浄化した空気が使用者の顔に到逹することがさらに容易になる。
【０３０９】
使用者の顔より低い位置の底面に携帯用空気浄化機５０を置いて使用するとき、携帯用空気浄化機５０で浄化した空気が使用者の顔に到逹する量を増加させるためには、携帯用空気浄化機５０を横方向に横にして使用するより、縦方向に立てて使用することが有利である。
【０３１０】
このために、携帯用空気浄化機５０を縦方向に立てたとき、携帯用空気浄化機５０の上部で浄化した空気の吐出が行われるようになると、携帯用空気浄化機５０で浄化した空気が使用者の顔に到逹する量がさらに増加するだろう。
【０３１１】
本実施形態によれば、バッテリー５６０が携帯用空気浄化機５０の下部に配置されることによって、携帯用空気浄化機５０における空気の吸入、浄化、吐出のための流路がバッテリー５６０が設置された位置より高い位置に形成される。これにより、浄化した空気の吐出も携帯用空気浄化機５０の上部で行われ、これにより、携帯用空気浄化機５０で浄化した空気が使用者の顔に到逹する量がさらに増加し得るようになる。
【０３１２】
すなわち、バッテリー５６０が携帯用空気浄化機５０の下部に配置される構造により、縦方向に立てられた携帯用空気浄化機５０の転倒リスクが低くなるように、携帯用空気浄化機５０の構造的安全性が向上すると共に、携帯用空気浄化機５０で浄化した空気が使用者の顔に到逹する量が増加し得るようにする効率的な流路の構成も可能になる。
【０３１３】
第三に、重量物であるバッテリー５６０が携帯用空気浄化機５０の下部に配置され、これにより、空気の吸入、浄化、吐出に係る構成がバッテリー５６０より高い位置に配置される構造は、携帯用空気浄化機５０の設置範囲の拡張にも寄与することができる。
【０３１４】
一例として、図２６に示したように、携帯用空気浄化機５０が車内のコップホルダー（ｈ）に差し込まれた状態で使用されるとき、空気が吸入する領域及び浄化空気が吐出される領域がコップホルダー（ｈ）より高い位置に配置され、これにより、携帯用空気浄化機５０は、車内に安定して据置する、且つ高い水準の空気浄化性能を保持することができる。このために、バッテリー５６０が配置される第２領域（Ｂ）の上下方向の長さがコップホルダー（ｈ）の深さ以上に設定されることが好ましい。
【０３１５】
他の例として、ニッパー方式の据置台等を利用して、携帯用空気浄化機５０の下部領域を固定させると、これも携帯用空気浄化機５０の空気が吸入する領域及び浄化空気が吐出される領域を塞がない、且つ携帯用空気浄化機５０の安定した固定が可能になる。
【０３１６】
すなわち、バッテリー５６０のように、空気浄化のための空気の流動と直接に関連ない構成が携帯用空気浄化機５０の下部に配置されるようにして、このような携帯用空気浄化機５０の下部を介して携帯用空気浄化機５０の据置、固定するようにすることで、携帯用空気浄化機５０の高い水準の空気浄化性能の提供と安定した固定が共に行われるようになる。
【０３１７】
［センサモジュールの詳細構造］
図２７は、本発明の第２実施形態による携帯用空気浄化機のバッテリー及びセンサモジュールを分離して示した分解斜視図であり、図２８は、図２７に示したセンサモジュールの内部構造を示した断面図である。  
【０３１８】
図２２と図２３と図２７及び図２８を参照すれば、本実施形態による携帯用空気浄化機５０は、センサモジュール６００をさらに含んでいてもよい。センサモジュール６００は、ケース５２０の内部の収容空間に配置されるものの、第２領域（Ｂ）に配置される。このようなセンサモジュール６００は、バッテリー５６０と後面カバー５８０との間に配置され、バッテリー５６０の後方に設置される。
【０３１９】
本実施形態では、センサモジュール６００がホコリセンサ６１０を含めてなされることを例示する。ホコリセンサ６１０は、センシングケース６１１とセンシング部６１３及びファン６１５を含めてなされてもよい。
【０３２０】
センシングケース６１１は、ホコリセンサ６１０の外観を形成し、センシングケース６１１の内部にはセンシング部６１３及びファン６１５が収容される。このようなセンシングケース６１１には流入口６１１ａと排気口６１１ｂが設けられる。
【０３２１】
流入口６１１ａは、ホコリセンサ６１０の外部空気がセンシングケース６１１の内部に流入するための通路を形成する。そして、排気口６１１ｂは、センシングケース６１１の内部に流入した空気がセンシングケース６１１の外部へ排出されるための通路を形成する。本実施形態では、流入口６１１ａがセンシング部６１３の下部に配置され、排気口６１１ｂがセンシング部６１３の上部に配置されることを例示する。
【０３２２】
センシング部６１３は、センシングケース６１１の内部に収容される。センシング部６１３は、センシングケース６１１の内部に流入した空気質を感知するセンサを含めてなされてもよい。例えば、センシング部６１３は、ホコリセンサ、ガスセンサのうち少なくともいずれかを含めてなされてもよい。このようなセンシング部６１３は、センサを利用して空気質を感知し、感知された情報を携帯用空気浄化機５０のハードウェアモジュール全体を管理するメインＰＣＢ５９５に伝送することができる。
【０３２３】
ファン６１５は、センシング部６１３とともにセンシングケース６１１の内部に収容される。このようなファン６１５は、外部空気が流入口６１１ａを通じてセンシングケース６１１の内部に流入し、センシングケース６１１の内部に流入した空気が排気口６１１ｂを通じてセンシングケース６１１の外部へ排出される気流を形成するように動作する。
【０３２４】
ファン６１５の動作によって上記のような気流が形成されると、携帯用空気浄化機の外部空気が第２の吸入口５８０ａを通じて第２領域（Ｂ）に流入する。そして、このように、第２領域（Ｂ）に流入した空気は、流入口６１１ａを通じてセンシングケース６１１の内部に流入する。
【０３２５】
センシングケース６１１の内部に流入した空気は、センシングケース６１１の内部に収容されたセンシング部６１３を通すようになり、センシング部６１３は、このようにセンシング部６１３を通す空気質を感知することになる。センシング部６１３を通した空気は、排気口６１１ｂを通じてホコリセンサ６１０の外部へ排出される。
【０３２６】
本実施形態では、ファン６１５がセンシング部６１３と排気口６１１ｂとの間に配置されることを例示する。これによれば、流入口６１１ａを通じてセンシングケース６１１の内部に流入した空気が、センシング部６１３を通した後にこそ、ファン６１５を通すようになる。すなわち、ホコリセンサ６１０の内部に流入した空気がファン６１５を通す前に、先にセンシング部６１３を通すようになる。
【０３２７】
センシングケース６１１の内部に流入した空気中のホコリ又はガスの濃度は、空気がファン６１５を通す過程で変化し得る。このような現象は、ファン６１５に付いたホコリが空気中に混入するか、空気中のホコリがファン６１５に付着することによって発生し得る。
【０３２８】
もしセンシングケース６１１の内部に流入した空気がセンシング部６１３側に移動する前にファン６１５を先に通すと、外部空気とセンシング部６１３を通す空気との間のホコリ又はガスの濃度に差が発生し、これは、センシング部６１３の感知正確性を下げる原因になる。
【０３２９】
また、ファン６１５がセンシング部６１３より流入口６１１ａに近い位置に配置されると、それだけセンシング部６１３は、流入口６１１ａから遠い位置に配置しなければならない。こうなると、センシングケース６１１の内部に流入した空気がセンシングケース６１１の内部環境に影響を受けて、外部空気とセンシング部６１３を通す空気間のホコリ又はガスの濃度に差が発生する可能性が高くなる。これもセンシング部６１３の感知正確性を下げる原因になる。
【０３３０】
かかる点を考慮して、本実施形態では、ファン６１５がセンシング部６１３と排気口６１１ｂとの間に配置され、これにより、ホコリセンサ６１０の内部に流入した空気がファン６１５を通す前に、先にセンシング部６１３を通す空気の流れがホコリセンサ６１０の内部に形成される。これにより、ホコリセンサ６１０は、さらに正確な感知結果を提供することができるようになる。
【０３３１】
［バッテリーとセンサモジュールとフィルタモジュール間の結合構造］
図２９は、本発明の第２実施形態による携帯用空気浄化機のフィルタモジュールとバッテリー及びセンサモジュール間の結合前状態を示す分解斜視図であり、図３０は、図２９に示したフィルタモジュールとバッテリー及びセンサモジュール間の結合状態を示す図面である。
【０３３２】
図２７及び図２９を参照すれば、バッテリー５６０は、バッテリーケース５６１を含む。バッテリーケース５６１は、バッテリー５６０の外観を形成し、バッテリー５６０を構成する内部部品を保護する。
【０３３３】
本実施形態において、バッテリーケース５６１は、六面体状に形成されることを例示する。このようなバッテリーケース５６１の背面５６１ａ、すなわち、ホコリセンサ６１０と向い合う面は、平面で形成される。そして、このように平面で形成されたバッテリーケース５６１の背面５６１ａには装着部５６５が設けられる。
【０３３４】
装着部５６５は、ホコリセンサ６１０とバッテリー５６０間の結合位置を規制するために設けられたものである。このような装着部５６５は、バッテリーケース５６１の背面５６１ａと第１リブ５６６及び第２リブ５６７を含めてなされてもよい。
【０３３５】
バッテリーケース５６１の背面５６１ａは、装着部５６５を成す構成要素であって、ホコリセンサ６１０、さらに具体的には、センシングケース６１１の前面と接触し、ホコリセンサ６１０を前方で支持する縦方向の支持壁を形成する。
【０３３６】
第１リブ５６６は、バッテリーケース５６１の背面５６１ａから後方に突き出て形成される。装着部５６５には一対の第１リブ５６６が設けられ、一対の第１リブ５６６は、ホコリセンサ６１０の幅に対応する幅だけ互いに離隔して配置される。このような一対の第１リブ５６６は、センシングケース６１１の両側面とそれぞれ接触し、ホコリセンサ６１０を側方で支持する縦方向の支持壁をそれぞれ形成する。
【０３３７】
第２リブ５６７は、バッテリーケース５６１の背面５６１ａから後方に突き出るように形成され、第１リブ５６６の下部に配置される。本実施形態では、第２リブ５６７が第１リブ５６６の下部から後方に突き出た突起状に形成されることを例示する。このような第２リブ５６７は、後方から見たとき、第１リブ５６６の下部及び一対の第１リブ５６６との間に配置される。このように設けられた第２リブ５６７は、バッテリーケース５６１の背面５６１ａに設置されたホコリセンサ６１０の下部を支持する構造物の役割を行うようになる。
【０３３８】
また、本実施形態では、一対の第１リブ５６６間の下部に一対の第２リブ５６７が側方向に所定間隔離隔して配置されることを例示する。しかし、これに限定されるものではなく、装着部５６５には一つの第２リブ５６７を備えることもでき、３つ以上の第２リブ５６７を備えることもできる。
【０３３９】
また、第２リブ５６７は、突起状の代わりに第１リブ５６６の下部を横方向に連結する横方向を支持壁を形成する形態に設けられてもよい。
【０３４０】
このように、装着部５６５は、バッテリーケース５６１の背面５６１ａによって形成される前方の縦方向支持壁と、一対の第１リブ５６６によって形成される側方の縦方向の支持壁、そして、第２リブ５６７によって形成される下部の支持構造物を含めてなされる。
【０３４１】
上記のように設けられる装着部５６５によって、ホコリセンサ６１０とバッテリー５６０間の結合位置が規制され、ホコリセンサ６１０とバッテリー５６０間の結合が行われてもよい。
【０３４２】
ホコリセンサ６１０が装着部５６５に設置されるとき、ホコリセンサ６１０の前面は、バッテリーケース５６１の背面５６１ａと当接し、ホコリセンサ６１０の両側面は、第１リブ５６６の内側面と当接する。そして、ホコリセンサ６１０の下部面は、第２リブ５６７の内側面に当接する。
【０３４３】
このとき、ホコリセンサ６１０の前面がバッテリーケース５６１の背面５６１ａと当接するにつれて、ホコリセンサ６１０の前後方向の位置が規制され、ホコリセンサ６１０の両側面が第１リブ５６６の内側面と当接するにつれて、ホコリセンサ６１０の側方向位置が規制される。そして、ホコリセンサ６１０の下部面が第２リブ５６７の内側面に当接するにつれて、ホコリセンサ６１０の上下方向の位置が規制される。
【０３４４】
すなわち、装着部５６５によってホコリセンサ６１０とバッテリー５６０との間の前後方向、側方向、上下方向の結合位置が規制されるため、装着部５６５の内部にホコリセンサ６１０を差し込むことだけで、センサモジュール６００とバッテリー５６０間の結合が容易に且つ早く行われるようになる。
【０３４５】
前記装着部５６５は、バッテリー５６０、より具体的には、バッテリーケース５６１と一体に形成される。これによれば、装着部５６５を成す構成のうちバッテリーケース５６１の背面５６１ａは、それ自体としてバッテリーケース５６１の一部分であり、第１リブ５６６と第２リブ５６７もバッテリーケース５６１と一体に形成された構造物である。
【０３４６】
すなわち、ブラケット（Ｂｒａｃｋｅｔ）等のように、ホコリセンサ６１０とバッテリー５６０間の結合のための別途構造物を加えることなく、バッテリー５６０自体に形成された装着部５６５を利用してホコリセンサ６１０とバッテリー５６０間の結合が行われる。
【０３４７】
携帯が容易でなければならない携帯用空気浄化機５０の特性上、携帯用空気浄化機５０は、できるだけ軽い重さと小さなサイズを有するように設計されるのが好ましい。このためにファンアセンブリ５４０、５４５、フィルタモジュール５５０のサイズを減らすと、空気浄化性能が下げるしかなくなる。また、バッテリー５６０のサイズを減らすと、それほど携帯用空気浄化機５０の稼動可能時間が減少するしかない。
【０３４８】
すなわち、小さくて軽いながらも高い空気浄化性能を有する携帯用空気浄化機５０を提供するためには、ケース５２０内に配置される部品らを狭い空間内に効率的に配置する設計が求められる。
【０３４９】
このために本実施形態では、バッテリー５６０自体に形成された装着部５６５を利用して、ホコリセンサ６１０とバッテリー５６０間の結合が行われる。これにより、ブラケット（Ｂｒａｃｋｅｔ）等のように、ホコリセンサ６１０とバッテリー５６０間の結合のための別途構造物を加えることなく、ホコリセンサ６１０とバッテリー５６０間の結合を行うことができる。
【０３５０】
もしホコリセンサ６１０とバッテリー５６０間の結合のために、別途構造物を加えるべきであれば、その別途構造物が占める大きさだけホコリセンサ６１０とバッテリー５６０の組立体のサイズが大きくなるしかなくなり、よって、ケース１２０内の狭い空間内にセンサモジュール６００とバッテリー５６０ともを効率的に配置するのに困難であるようになる。
【０３５１】
特に、携帯用空気浄化機５０の空気浄化性能を上げるために空気の吸入、浄化、排出に係る構成、すなわち、ファンアセンブリ５４０、５４５、フィルタモジュール５５０のサイズを増やすほど、センサモジュール６００とバッテリー５６０を設置するために、ケース５２０内に確保され得る空間は、それほど減少するしかない。
【０３５２】
そうだとして、バッテリー５６０のサイズを減らすと、それほど携帯用空気浄化機５０の稼動可能時間が減少する問題が発生し、ホコリセンサ６１０のサイズを無計画に減らすことも好ましい方法ではない。本実施形態では、ホコリセンサ６１０の内部にファン６１５を備えており、このファン６１５のサイズを考慮すれば、ホコリセンサ６１０のサイズを減らす設計も容易に行いにくいからである。
【０３５３】
かかる点を考慮して、本実施形態では、ホコリセンサ６１０とバッテリー５６０間の結合のための別途構造物なしに、ホコリセンサ６１０とバッテリー５６０間の結合が行われるようにし、これにより、バッテリー５６０とホコリセンサ６１０が結合した組立体のサイズが減少できるようにする構造を採用した。
【０３５４】
すなわち、バッテリー５６０自体に形成された装着部５６５を利用して、ホコリセンサ６１０とバッテリー５６０間の結合が行われるようにすることで、ホコリセンサ６１０とバッテリー５６０間の結合のための別途構造物が占めるサイズだけバッテリー５６０とホコリセンサ６１０とが結合した組立体のサイズが減少するようにした。
【０３５５】
これにより、バッテリー５６０及びホコリセンサ６１０のサイズを減らなくても、ケース５２０内の狭い空間内にセンサモジュール６００とバッテリー５６０がいずれも効率的に配置されるようになるため、高い水準の空気浄化性能を提供することができ、且つコンパクトなサイズを保持できる携帯用空気浄化機を提供することができるようになる。
【０３５６】
図２９及び図３０を参照すれば、ホコリセンサ６１０は、バッテリー５６０の下部に配置される一方、フィルタモジュール５５０、より具体的には、フィルタケース５５１の下部に配置される。このようなホコリセンサ６１０の上部領域は、ホコリセンサ６１０が結合したバッテリーケース５６１より上部に突き出て、バッテリー５６０とフィルタケース５５１との間の空間に配置される。すなわち、ホコリセンサ６１０の一部分がバッテリー５６０の上部に突き出て、このように突き出たホコリセンサ６１０の上部領域がフィルタケース５５１にほとんど触れるほどの距離でフィルタケース５５１に近接する。
【０３５７】
ホコリセンサ６１０と向い合うフィルタケース５５１の下部には、センサ結合部５５７が設けられる。センサ結合部５５７は、バッテリー５６０とフィルタケース５５１との間の空間に配置されて、ホコリセンサ６１０の上部領域と結合する。
【０３５８】
センサ結合部５５７は、フィルタケース５５１の下部面から下部方向に突き出る突起状に形成することができる。このようなセンサ結合部５５７の背面、すなわち、ホコリセンサ６１０の上部領域と向い合う面には、ホコリセンサ６１０の前方でホコリセンサ６１０を支持する支持面が形成される。このような支持面は、バッテリーケース５６１の背面５６１ａと同じ平面で形成される。
【０３５９】
本実施形態によれば、ホコリセンサ６１０の前面ほとんどの領域は、バッテリーケース５６１の背面５６１ａと当接し、バッテリーケース５６１と当接しないホコリセンサ６１０の一部領域、すなわち、バッテリーケース５６１の上部に突き出たホコリセンサ６１０の上部領域は、センサ結合部５５７の背面に形成された支持面と当接するようになる。すなわち、バッテリーケース５６１の背面５６１ａとセンサ結合部５５７の背面がいずれもホコリセンサ６１０を前方で支持する支持面になる。
【０３６０】
ホコリセンサ６１０の上部領域とセンサ結合部５５７は、締結部材によって締結することができる。これにより、ホコリセンサ６１０とフィルタモジュール５５０間の結合が行われる。このように、フィルタモジュール５５０と結合したホコリセンサ６１０は、装着部５６５の内部に差し込み結合することによってバッテリー５６０との結合を行う。そして、バッテリー５６０は、第１の結合部５６２と第２のファンカバー結合部５５４間の結合によってフィルタモジュール５５０との結合を行う。
【０３６１】
すなわち、フィルタモジュール５５０とバッテリー５６０間の結合、バッテリー５６０とホコリセンサ６１０間の結合、そして、ホコリセンサ６１０とフィルタモジュール５５０間の結合が共に行われる。このように、相互補完的に行われるフィルタモジュール５５０とバッテリー５６０とホコリセンサ６１０間の結合によって、バッテリー５６０とホコリセンサ６１０間の結合安全性がさらに向上し得るようになる。
【０３６２】
また、フィルタケース５５１には一対のバッテリー結合部が設けられてもよい。本実施形態では、一対の第２のファンカバー結合部５５４が一対のバッテリー結合部の役割を行うことを例示する。このような一対の第２のファンカバー結合部５５４は、側方向に所定間隔離隔して配置される。このとき、一対の第２のファンカバー結合部５５４は、ホコリセンサ６１０の幅方向の長さより長い距離だけ離隔する。すなわち、後方から見たとき、ホコリセンサ６１０の側方向外側に一対の第２のファンカバー結合部５５４がそれぞれ配置される。これと共に、第１の結合部５６２も一対が設けられて、第２のファンカバー結合部５５４と対応する位置に配置される。
【０３６３】
そして、センサ結合部５５７は、一対の第２のファンカバー結合部５５４との間に配置される。これにより、第１の結合部５６２と第２のファンカバー結合部５５４間の結合及びホコリセンサ６１０の上部領域とセンサ結合部５５７間の結合がいずれも共に行われるものの、これら結合部位間の干渉が発生しないように結合部位が配置されるようになる。
【０３６４】
［バッテリー冷却構造］
図２３及び図２８を参照すれば、ホコリセンサ６１０の内部にはファン６１５が備えられる。このようなファン６１５は、外部空気が流入口６１１ａを通じてセンシングケース６１１の内部に流入し、センシングケース６１１の内部に流入した空気が排気口６１１ｂを通じてセンシングケース６１１の外部に排出される気流を形成するように動作される。
【０３６５】
ファン６１５の動作によって上記のような気流が形成されると、携帯用空気浄化機の外部空気が第２の吸入口５８０ａを通じて第２領域（Ｂ）に流入する。このとき、第２領域（Ｂ）に流入した空気のうち一部は、流入口６１１ａを通じてセンシングケース６１１の内部に流入し、その他は、ホコリセンサ６１０及びバッテリー５６０の周辺を流動するようになる。
【０３６６】
すなわち、上記のようなファン６１５の動作によって、空気がホコリセンサ６１０の内部を通す気流と、ホコリセンサ６１０及びバッテリー５６０の周辺を流動する気流を共に誘導することができる。
【０３６７】
ホコリセンサ６１０及びバッテリー５６０の周辺を流動する空気は、バッテリー５６０と接触し得る。このように、バッテリー５６０と接触した空気は、携帯用空気浄化機の動作過程で発熱したバッテリー５６０を冷凍させる作用を行うようになる。
【０３６８】
そして、ホコリセンサ６１０を通す気流に乗って、ホコリセンサ６１０の内部に流入した空気は、排気口６１１ｂを通じてホコリセンサ６１０の外部へ排出される。このように、ホコリセンサ６１０の外部に排出された空気も、バッテリー５６０と接触し得るし、これにより、バッテリー５６０の冷却作用が起こるようになる。
【０３６９】
すなわち、携帯用空気浄化機の内部の狭い空間にホコリセンサ６１０とバッテリー５６０を両方とも効率的に配置するために、装着部５６５を利用してホコリセンサ６１０とバッテリー５６０間の結合を行う構造により、ホコリセンサ６１０とバッテリー５６０を両方とも効率的に配置するための空間確保の効果のほか、バッテリー５６０の過度な温度上昇を抑制することのできる効果も共に得ることができるようになる。
【０３７０】
［据置装置の全般的な構造］
図３１は、本発明の第２実施形態による携帯用空気浄化機と据置装置と据置装置の分離状態を示した斜視図であり、図３２は、図３１に示した据置装置を示した斜視図である。
【０３７１】
図３１及び図３２を参照すれば、本実施形態の携帯用空気浄化機５０は、据置装置７００と結合して一つの空気浄化機を成すことができる。据置装置７００は、携帯用空気浄化機５０を固定させる機能を行う。携帯用空気浄化機５０は、据置装置７００に据置されて、使用者の所望の位置に固定することができる。
【０３７２】
本実施形態によれば、据置装置７００は、支持部７１０と固定部７２０、７２５及び突出部７３０を含めてなされてもよい。
【０３７３】
支持部７１０は、携帯用空気浄化機５０の外観骨格を形成する。このような支持部７１０には、携帯用空気浄化機５０の背面ほとんどの領域が支持される。本実施形態において、支持部７１０は、携帯用空気浄化機５０の背面形状、例えば、四角状のプレート状に形成されることを例示する。
【０３７４】
このような支持部７１０の一側、すなわち、携帯用空気浄化機５０の背面と向い合う側には安着面７１１が形成される。安着面７１１には携帯用空気浄化機５０の背面、すなわち、後面パネル５７０及び後面カバー５８０が安着される。
【０３７５】
また、支持部７１０は、支持壁７１３をさらに含んでいてもよい。支持壁７１３は、安着面７１１の枠を囲む形態に設けられるものの、安着面７１１から突き出るように形成される。このような支持壁７１３は、据置装置７００に据置された携帯用空気浄化機５０を向いた方向、例えば、安着面７１１が形成する平面と直交する方向に突き出るように形成される。
【０３７６】
これにより、安着面７１１は、支持壁７１３で囲まれた内側に陷沒した据置溝状に形成することができる。そして、携帯用空気浄化機５０の背面は、このような据置溝にその一部分が挿入した形態で支持部７１０に据置される。このように、支持部７１０に据置された携帯用空気浄化機５０は、安着面７１１と支持壁７１３によってその位置が拘束され、支持部７１０に揺れることなく、安定して据置され得る。
【０３７７】
固定部７２０、７２５は、安着面７１１に背面が安着した携帯用空気浄化機５０を支持部７１０に着脱可能に固定させるように設けられた構成である。固定部７２０、７２５の構造に対する詳細な説明は後述する。
【０３７８】
突出部７３０は、後面カバー５８０を囲む形状に支持部７１０から突き出る。このような突出部７３０は、据置装置７００に据置された携帯用空気浄化機５０の側方向の位置を規制することによって、携帯用空気浄化機５０が据置装置７００にさらに安定して据置できるようにする。
【０３７９】
用語を定義する。「据置装置７００の上部」とは、据置装置７００のうち据置装置７００に携帯用空気浄化機５０が据置されたとき、携帯用空気浄化機５０の上部が位置するようになる側を意味する。そして、「据置装置７００の下部」とは、据置装置７００のうち据置装置７００に携帯用空気浄化機５０が据置されたとき、携帯用空気浄化機５０の下部が位置するようになる側を意味する。また、「据置装置７００の前方」とは、据置装置７００に携帯用空気浄化機５０が据置されたとき、携帯用空気浄化機５０の前方を向く方向を意味する。
【０３８０】
本実施形態では、突出部７３０が据置装置７００の下部に配置されることを例示する。このような突出部７３０は、支持部７１０から据置装置７００の前方側に突き出るものの、後面カバー５８０の下部と両側部を囲む形態に形成される。  
【０３８１】
［携帯用空気浄化機と据置装置間の結合構造］  
固定部７２０、７２５は、安着面７１１に背面が安着した携帯用空気浄化機５０を支持部７１０に着脱可能に固定するように設けられた構成である。本実施形態では、固定部７２０、７２５が第１の固定部７２０と第２の固定部７２５を含めてなされることを例示する。
【０３８２】
第１の固定部７２０と第２の固定部７２５は、据置装置７００の上部と下部にそれぞれ配置される。本実施形態では、第１の固定部７２０が据置装置７００の上部に、第２の固定部７２５が据置装置７００の下部に配置されることを例示する。
【０３８３】
第１の固定部７２０は、携帯用空気浄化機５０の上部と結合し、携帯用空気浄化機５０の上部を支持部７１０に固定させる。このような第１の固定部７２０は、上部突起７２１と差し込む突起７２２を含めてなされてもよい。
【０３８４】
上部突起７２１は、据置装置７００の上部に配置され、支持壁７１３から据置装置７００の前方を向いて突き出るように形成される。差し込み突起７２２は、上部突起７２１から据置装置７００の下部に向けて突き出るように形成される。このような差し込み突起７２２は、据置装置７００の上部に配置されるものの、安着面７１１から据置装置７００の前方に所定間隔離隔して配置される。
【０３８５】
一方、携帯用空気浄化機５０の背面には、上部差し込み部５７７（図１６参照）が設けられる。本実施形態では、上部差し込み部５７７が後面パネル５７０に設けられることを例示する。このような上部差し込み部５７７は、後面パネル５７０の上部側に設けられた後面パネルロッキング部５７５と隣接した位置に配置される。
【０３８６】
上部差し込み部５７７は、後面パネル５７０に貫通するように形成される。後面パネル５７０の上部には、後面パネル５７０の上端と後面パネル５７０の平面部５７１との間を凹む曲面に連結する曲面部（符号省略）が形成される。そして、上部差し込み部５７７は、このような曲面部に貫通するように形成されて、後面パネル５７０上に上下方向に貫通した孔を形成する。  
【０３８７】
このような上部差し込み部５７７には差し込み突起７２２を差し込み結合することができる。差し込み突起７２２と上部差し込み部５７７との間に行われる差し込み結合によって、携帯用空気浄化機５０の上部が据置装置７００に着脱可能に結合されてもよい。
【０３８８】
第２の固定部７２５は、携帯用空気浄化機５０の下部と結合し、携帯用空気浄化機５０の下部を支持部７１０に着脱可能に固定させる。このような第２の固定部７２５は、フック部７２６と操作部７２７を含めてなされてもよい。
【０３８９】
フック部７２６は、据置装置７００の下部に配置される。本実施形態において、フック部７２６は、後述する突出部７３０から据置装置７００の上部に向けた方向に突き出るフック状に形成されることを例示する。
【０３９０】
そして、操作部７２７は、据置装置７００の下部に配置される。フック部７２６が支持部７１０と突出部７３０で囲まれた据置装置７００の内側に配置されるとしたら、操作部７２７は、据置装置７００の外側に配置される。このような操作部７２７は、突出部７３０を貫通してフック部７２６と連結される。
【０３９１】
一方、携帯用空気浄化機５０の背面には下部差し込み部５８９（図１６参照）が設けられる。本実施形態では、下部差し込み部５８９が後面カバー５８０に設けられることを例示する。このような下部差し込み部５８９は、後面カバー５８０の下部側に設けられたフック部７２６と隣接した位置に配置される。
【０３９２】
下部差し込み部５８９は、後面カバー５８０、より具体的には、後面カバー５８０の下部に配置された傾斜面部５８３に貫通するように形成される。後面カバー５８０の下部に配置された傾斜面部５８３は、平面部５８１からケース５２０の前方側に傾く傾斜面で形成される。そして、下部差し込み部５８９は、このような傾斜面部５８３に貫通するように形成されて、後面カバー５８０上に上下方向に貫通した孔を形成する。
【０３９３】
このような下部差し込み部５８９には、第２の固定部７２５のフック部７２６を差し込み結合することができる。フック部７２６と下部差し込み部５８９との間に行われる差し込み結合によって、携帯用空気浄化機５０の下部が据置装置７００に着脱可能に結合し得る。
【０３９４】
前記フック部７２６は、弾性変形可能な材質で形成することができる。これによれば、フック部７２６は、後面カバー５８０と接触し、後面カバー５８０によって押されるにつれてその形状が変化し得る。このようなフック部７２６は、後面カバー５８０によって押さらた状態で、フック部７２６と下部差し込み部５８９の位置が一致するようになれば、下部差し込み部５８９に差し込み結合することができる。そして、このようなフック部７２６と下部差し込み部５８９間の差し込み結合状態は、フック部７２６が有する弾性力によって維持し得る。
【０３９５】
すなわち、携帯用空気浄化機５０の下部を据置装置７００側に押し込むだけで、フック部７２６と下部差し込み部５８９間の差し込み結合が行われ、このようなフック部７２６と下部差し込み部５８９間の差し込み結合の状態は、外力が作用しない限り、安定して保持することができる。
【０３９６】
また、フック部７２６は、操作部７２７と連結されて、操作部７２７の動きに連動する。すなわち、操作部７２７が使用者の操作によって据置装置７００の後方側に押されると、フック部７２６が操作部７２７によって据置装置７００の前方側に持ち上げられて、これにより、下部差し込み部５８９に差し込み結合していたフック部７２６が下部差し込み部５８９から離脱できる状態になる。
【０３９７】
上記のような第１の固定部７２０と上部差し込み部５７７間の差し込み結合、及び第２の固定部７２５と下部差し込み部５８９間の差し込み結合によって、携帯用空気浄化機５０と据置装置７００間の着脱可能な結合が行われる。
【０３９８】
携帯用空気浄化機５０と据置装置７００間の着脱可能な結合は、次のような形態に行われてもよい。
【０３９９】
先ず、携帯用空気浄化機５０の上部に設けられた上部差し込み部５７７を据置装置７００に設けられた第１の固定部７２０の差し込み突起７２２に差し込む。これにより、携帯用空気浄化機５０の上部が据置装置７００の上部に固定する。
【０４００】
携帯用空気浄化機５０の上部が据置装置７００に固定すると、携帯用空気浄化機５０の下部を据置装置７００側に移動させる。これにより、携帯用空気浄化機５０の下部に設けられた下部差し込み部５８９は、据置装置７００の下部に設けられた第２の固定部７２５のフック部７２６に近接するようになる。
【０４０１】
下部差し込み部５８９がフック部７２６に近接した状態で、携帯用空気浄化機５０の下部を据置装置７００側に押してあげると、下部差し込み部５８９とフック部７２６間の差し込み結合が行われる。これにより、携帯用空気浄化機５０の下部が据置装置７００の下部に固定し、これにより、携帯用空気浄化機５０と据置装置７００間の着脱可能な結合が行われる。
【０４０２】
このように、据置装置７００に据置された携帯用空気浄化機５０を据置装置７００から脱去しようとする場合には、第２の固定部７２５の操作部７２７を押して、携帯用空気浄化機５０の下部を携帯用空気浄化機５０の前方側に持ち上げることさえすればよい。
【０４０３】
すなわち、携帯用空気浄化機５０を据置装置７００側に押し込むだけで、携帯用空気浄化機５０を据置装置７００に安定して据置させることができ、操作部７２７を押して、携帯用空気浄化機５０の下部を携帯用空気浄化機５０の前方側に持ち上げるだけで、携帯用空気浄化機５０を容易に且つ早く脱去することができる。
【０４０４】
一方、本実施形態の据置装置７００には、第１の通過孔７４０及び第２の通過孔７４５を形成することができる。第１の通過孔７４０及び第２の通過孔７４５は、据置装置７００を目的物に固定させるための固定バンド（未図示）等を据置装置７００に差し込むための目的に設けられる。
【０４０５】
第１の通過孔７４０は、据置装置７００の支持壁７１３に側方向に貫通するように形成される。据置装置７００には、一対の第１の通過孔７４０が側方に互いに向い合うように配置される。このように形成された一対の第１の通過孔７４０を介して、固定バンドが据置装置７００を側方向に貫通して据置装置７００に差し込まれてもよい。このように、据置装置７００に差し込まれた固定バンドは、据置装置７００を車の肘掛け（Ａｒｍ-ｒｅｓｔ）等に固定する用途に使用することができる。
【０４０６】
第２の通過孔７４５は、据置装置７００の後面に上下方向を貫通するように形成される。据置装置７００には、一対の第２の通過孔７４５が前後方向に所定間隔離隔して配置される。このように形成された一対の第２の通過孔７４５を介して、固定バンドが据置装置７００の後面に差し込まれてもよい。このように、据置装置７００に差し込まれた固定バンドは、据置装置７００を車のヘッドレスト（Ｈｅａｄ-ｒｅｓｔ）等に固定する用途に使用することができる。
【０４０７】
［据置装置に据置された携帯用空気浄化機の空気吸入構造］
図３３は、図３１に示した携帯用空気浄化機と据置装置との結合状態を示した斜視図であり、図３４は、図３３に示した携帯用空気浄化機と据置装置との結合状態を示した側面図で、図３５は、図３３の「ＸＸＸＶ-ＸＸＸＶ」線に沿った断面図である。また、図３６は、本発明の第２実施形態による据置装置の他の例を示した斜視図であり、図３７は、図３６に示した据置装置に携帯用空気浄化機が据置される過程を示した図面で、図３８は、図３７に示した据置装置に携帯用空気浄化機が据置された状態を示した図面である。
【０４０８】
図３１〜図３４を参照すれば、据置装置７００は、第１の据置領域（Ｃ）と第２の据置領域（Ｄ）とに分けられる。第１の据置領域（Ｃ）は、支持壁７１３が配置される領域であって、据置装置７００のうち上部に配置される領域に該当する。そして、第２の据置領域（Ｄ）は、突出部７３０が配置される領域であって、据置装置７００のうち下部に配置される領域に該当する。すなわち、据置装置７００は、支持壁７１３が配置される上部の第１の据置領域（Ｃ）と突出部７３０が配置される下部の第２の据置領域（Ｄ）とに分けられる。
【０４０９】
携帯用空気浄化機５０が据置装置７００に据置されると、第１の据置領域（Ｃ）には携帯用空気浄化機５０の第１領域に配置される部分、すなわち、後面パネル５７０が配置される。また、第２の据置領域（Ｄ）には、携帯用空気浄化機５０の第２領域に配置される部分、すなわち、後面カバー５８０が配置される。
【０４１０】
よって、携帯用空気浄化機５０が据置装置７００に据置されているとき、後面パネル５７０に形成された第１の吸入口５７０ａは、第１の据置領域（Ｃ）に配置され、後面カバー５８０に形成された第２の吸入口５８０ａは、第２の据置領域（Ｄ）に配置される。
【０４１１】
また、携帯用空気浄化機５０が据置装置７００に据置されているとき、これらを側部から見ると、第１の据置領域（Ｃ）に配置された支持壁７１３の突出長さが、第２の据置領域（Ｄ）に配置された突出部７３０の突出長さより短い。
【０４１２】
第１の据置領域（Ｃ）において、支持壁７１３とケース５２０との間には離隔空間が形成される。第２の据置領域（Ｄ）において、突出部７３０がケース５２０の後方の後面カバー５８０を覆い切れる長さに突き出る一方、第１の据置領域（Ｃ）に配置された支持壁７１３は、ケース５２０の後方の後面パネル５７０全体を覆わない長さに突き出るからである。
【０４１３】
このように、支持壁７１３とケース５２０との間に離隔空間が形成されるにつれて、据置装置７００に据置された携帯用空気浄化機５０を側部から見ると、後面パネル５７０に形成された第１の吸入口５７０ａが前記離隔空間を通じて据置装置７００の外側へ露出する。
【０４１４】
このとき、第１の吸入口５７０ａは、携帯用空気浄化機５０の後方と側方との間の方向に向けるように配置され、これにより、外部空気が第１の吸入口５７０ａを通じて携帯用空気浄化機５０の内部へ円滑に流入することができる。
【０４１５】
すなわち、据置装置７００に携帯用空気浄化機５０が据置された状態でも、外部空気が第１の吸入口５７０ａを通じて携帯用空気浄化機５０の内部へ円滑に流入することができる。
【０４１６】
一方、突出部７３０が配置された第２の据置領域（Ｄ）では、突出部７３０が後面カバー５８０の側部及び下部ほとんどを覆うように後面カバー５８０を囲んでおり、後面カバー５８０の後方は、支持部７１０によって覆われる。
【０４１７】
すなわち、携帯用空気浄化機５０が据置装置７００に据置されているとき、後面カバー５８０のほとんどが支持部７１０及び突出部７３０によって覆われ、特に、後面カバー５８０の両側部及び下部が突出部７３０によって囲まれるようになる。このように、後面カバー５８０を囲む突出部７３０は、携帯用空気浄化機５０が据置装置７００にさらに安定して据置されるように、携帯用空気浄化機５０の下部を握る役割を行うようになる。  
【０４１８】
このように、後面カバー５８０の両側部及び下部が突出部７３０によって囲まれた状態では、後面カバー５８０に形成された第２の吸入口５８０ａも据置装置７００によって覆われた状態になる。
【０４１９】
すなわち、据置装置７００に据置された携帯用空気浄化機５０の下部に対する固定安全性を向上させるために突出部７３０の突出長さを増加させた結果、突出部７３０が第２の吸入口５８０ａを外側で塞ぐようになる問題点が発生する。
【０４２０】
このような問題点を解決するために本実施形態では、図３２及び図３５に示したように、据置装置７００に吸気通路部７３５ａ、７３５ｂが設けられる。吸気通路部７３５ａ、７３５ｂは、据置装置７００の外部と第２の吸入口５８０ａとの間の通路を形成するために設けられる。これと共に、据置装置７００の内部には空間部７１５が形成される。
【０４２１】
吸気通路部７３５ａ、７３５ｂは、第３の吸入口７３５ａと第４の吸入口７３５ｂを含めてなされてもよい。第３の吸入口７３５ａは、据置装置７００の外部と空間部７１５との間を連結する通路を形成する。そして、第４の吸入口７３５ｂは、空間部７１５と第２の吸入口５８０ａとの間を連結する通路を形成する。
【０４２２】
第３の吸入口７３５ａは、突出部７３０に貫通するように形成される。本実施形態では、突出部７３０に複数個の第３の吸入口７３５ａが配置されることを例示する。このように形成された第３の吸入口７３５ａを通じて、外部空気が据置装置７００内部の空間部７１５に流入することができる。
【０４２３】
第４の吸入口７３５ｂは、支持部７１０に貫通するように形成される。本実施形態によれば、後面カバー５８０に設けられた第２の吸入口５８０ａは、据置装置７００に携帯用空気浄化機５０が据置されたとき、支持部７１０に向けるようになる。かかる点を考慮して、第４の吸入口７３５ｂは、支持部７１０に貫通するように形成されるものの、第２の吸入口５８０ａと向い合う位置に配置される。このように形成された第４の吸入口７３５ｂを通じて空間部７１５に流入した空気が第２の吸入口５８０ａに流入することができる。
【０４２４】
すなわち、据置装置７００の外部空気は、図３３〜図３５に示したように、第３の吸入口７３５ａを通じて据置装置７００の内部の空間部７１５に流入し、第４の吸入口７３５ｂを通じて空間部７１５から第２の吸入口５８０ａに流入することができる。
【０４２５】
このように、据置装置７００の内部を通して第２の吸入口５８０ａに流入した空気は、第２領域（Ｂ）の内部のバッテリー５６０及びセンサモジュール６００側に流入することができる。このように流入した空気は、センサモジュール６００の空気質感知用として用いられることもでき、発熱したバッテリー５６０の冷却用として用いることもできる。
【０４２６】
携帯用空気浄化機５０の構造、機能を考慮すれば、空気浄化のための空気の流動と直接に関連する構成への空気流入通路を形成する第１の吸入口５７０ａの周辺には、相対的に広い幅の通路を形成することが求められる。
【０４２７】
すなわち、第１の吸入口５７０ａが配置される第１の据置領域（Ｃ）では、携帯用空気浄化機５０の内部に吸入する空気の流量を確保するために、外部空気が第１の吸入口５７０ａに流入するため最大限に広い幅の通路を確保することが重要である。
【０４２８】
かかる点を考慮して、本実施形態における据置装置７００は、第１の吸入口５７０ａが配置された第１の据置領域（Ｃ）において、ケース５２０と支持部７１０との間に離隔空間が形成されるようにして、これにより、据置装置７００の外部と第１の吸入口５７０ａとの間に広い幅の通路が確保されるように設けられる。このような据置装置７００は、十分な流量の外部空気が第１の吸入口５７０ａを通じて携帯用空気浄化機５０の内部に流入できるようにし、携帯用空気浄化機５０は、据置装置７００に据置された状態でも、十分な流量の外部空気を吸入して、高い水準の空気浄化性能を提供することができる。
【０４２９】
これに比べて、空気浄化のための空気の流動と直接に関係ない構成により、空気流入通路を形成する第２の吸入口５８０ａの周辺には、第１の吸入口５７０ａの周辺より相対的に狭い幅の通路が形成されてもよい。第２の吸入口５８０ａを通じて流入する空気の量が携帯用空気浄化機５０の空気浄化性能を向上させるのに別に影響を与えないからである。
【０４３０】
かかる点を考慮して、外部空気が第２の吸入口５８０ａに流入することを妨げる突出構造物である突出部７３０が第２の据置領域（Ｄ）に配置される。突出部７３０の存在によって外部空気が第２の吸入口５８０ａに流入する通路の幅が細くなり得るが、その代わり、第２の据置領域（Ｄ）では、携帯用空気浄化機５０が据置装置７００にさらに安定して据置されるように、携帯用空気浄化機５０の下部を支える構造物が設けられるようになる。
【０４３１】
さらに、第２の据置領域（Ｄ）には突出部７３０と第２の吸入口５８０ａとの間の通路を形成する吸気通路部７３５ａ、７３５ｂが設けられているため、外部空気が第２の吸入口５８０ａに流入する通路も十分な水準に確保することができる。
【０４３２】
これにより、据置装置７００は、携帯用空気浄化機５０が据置装置７００にさらに安定して据置されるように、携帯用空気浄化機５０の下部を支える構造物を提供し、且つホコリ濃度測定又はバッテリー冷却に要する空気の吸入のための通路も充分に確保することができるようになる。
【０４３３】
上記のような据置装置７００を備える携帯用空気浄化機５０によれば、据置装置７００に携帯用空気浄化機５０が安定して据置され、且つ空気浄化の性能を向上するために十分な流量の空気が携帯用空気浄化機５０に流入してもよい。
【０４３４】
これにより、本実施形態の携帯用空気浄化機５０は、所望の場所に安定して固定し、且つ空気の吸入及び排出性能を効果的に維持しながら、さらに向上した空気浄化性能を提供することができる。
【０４３５】
また、上記のような据置装置７００を備える携帯用空気浄化機５０によれば、携帯用空気浄化機５０が早くて便利に据置装置７００に据置されるか、据置装置７００から脱去することができ、且つ携帯用空気浄化機５０の据置状態を安定して保持することができる。
【０４３６】
他の例として、据置装置７００は、図３６〜図３８に示したように、据置装置７００の上端と下端との間の距離が変化し得るように設けられてもよい。これによれば、据置装置７００には延長支持部７５０がさらに含まれる。
【０４３７】
延長支持部７５０は、支持部７１０に上下方向にスライディング移動可能に設置される。このような延長支持部７５０は、支持部７１０の内部に挿入し、延長支持部７５０を後方に引くと、延長支持部７５０は、支持部７１０から引き出され、再び延長支持部７５０を前方に移動させると、延長支持部７５０は、支持部７１０の内部に挿入することができる。
【０４３８】
そして、延長支持部７５０の端部には下部固定部７６０が設けられる。下部固定部７６０は、延長支持部７５０と一体に移動されるように設けられ、携帯用空気浄化機５０の下部と噛み合って携帯用空気浄化機５０の下部を固定する。
【０４３９】
示していないものの、据置装置７００の内部には弾性部材がさらに設けられてもよい。弾性部材は、下部固定部７６０を据置装置７００の上端と離隔する方向に移動された延長支持部７５０を原位置に復帰させるための弾性力を提供するように設けられる。
【０４４０】
延長支持部７５０が支持部７１０の内部に挿入した状態で、延長支持部７５０及び下部固定部７６０を後方に引く力が加えられると、延長支持部７５０が後方にスライディング移動されながら、下部固定部７６０と据置装置７００の上端との間の距離が遠くなる。このような状態で、延長支持部７５０及び下部固定部７６０を後方に引いた力が解除されると、弾性部材の弾性力によって延長支持部７５０及び下部固定部７６０がさらに前方に復帰し、これにより、下部固定部７６０と据置装置７００の上端間の距離がまた元の状態に狭くなる。
【０４４１】
上記のような構成の据置装置７００によれば、延長支持部７５０及び下部固定部７６０を後方に引いた状態で、据置装置７００に携帯用空気浄化機５０を据置した後、引いた延長支持部７５０及び下部固定部７６０を置く易しい操作だけで、携帯用空気浄化機５０を据置装置７００に安定して固定させることができる。
【０４４２】
［ケースと異なる構成間の結合構造］
図３９は、本発明の第２実施形態によるケースを示した正面斜視図であり、図４０は、本発明の第２実施形態によるケースを示した背面斜視図である。また、図４１は、図１４の「ＸＸＸＸＩ-ＸＸＸＸＩ」線に沿った断面図であり、図４２は、図４１に示したファンカバーとケースとフィルタケース間の結合構造を概略的に示す図面である。また、図４３は、図１４の「ＸＸＸＸIII-ＸＸＸＸIII」線に沿った断面図であり、図４４は、図４３に示したファンカバーとケースとフィルタケース間の結合構造を概略的に示す図面で、図４５は、図１４の「ＸＸＸＸＶ-ＸＸＸＸＶ」線に沿った断面図である。
【０４４３】
図４１〜図４５では、携帯用空気浄化機において前面カバーが前方に分離されるか除去された状態を示した。
【０４４４】
図１５と図１７と図３９及び図４０を参照すれば、ケース５２０には第１の支持面５２２と第２の支持面５２４が設けられる。第１の支持面５２２は、ケース５２０の内周面に突き出て、ファンカバー５３０の後方でファンカバー５３０と向い合う面で形成される。そして、第２の支持面５２４は、ケース５２０の内周面に突き出て、フィルタモジュール５５０の前方でフィルタモジュール５５０を向い合う面で形成される。
【０４４５】
本実施形態によれば、ケース５２０の前方枠には、内側が外側よりケース５２０の後方で凹む段差が形成される。第１の支持面５２２は、ケース５２０の前方枠の内側にファンカバー５３０と向い合う平面で形成される。すなわち、第１の支持面５２２は、ケース５２０の前方枠のうち後方に凹む面で形成されるものの、ファンカバー５３０の後面と向い合う平面で形成される。
【０４４６】
前記第１の支持面５２２は、ファンカバー５３０と干渉して、ファンカバー５３０の位置を規制する。第１の支持面５２２は、ファンカバー５３０の後面枠と向い合う平面で形成され、ファンカバー５３０の後面枠と干渉して、ファンカバー５３０の後方への位置変化を規制することができる。
【０４４７】
また、ケース５２０には、ケース５２０の内周面からケース５２０の内部に向けて突き出る支持突起５２０ｄが設けられる。このような支持突起５２０ｄは、ケース５２０の内周面から突き出て、前後方向に延びる長さを有する棒状に形成することができる。ケース５２０には、ケース５２０の周方向に沿って複数個の支持突起５２０ｄが所定間隔離隔して配置される。
【０４４８】
そして、第２の支持面５２４は、このような支持突起５２０ｄの後方端部において、後面パネル５７０と向い合う平面で形成される。このとき、第２の支持面５２４は、第１の支持面５２２に比べて、相対的にケース５２０の内側にさらに振れた位置に配置される。
【０４４９】
前記第２の支持面５２４は、フィルタモジュール５５０と干渉して、フィルタモジュール５５０の位置を規制する。一例として、フィルタモジュール５５０のフィルタケース５５１の上端には突出支持部５５６が設けられ、突出支持部５５６は、フィルタケース５５１の上端に上部へ突き出た平面を形成する。第１の支持面５２２は、このような突出支持部５５６と向い合う平面で形成され、突出支持部５５６と干渉して、フィルタモジュール５５０の前方への位置変化を規制することができる。
【０４５０】
本実施形態によれば、上記のように、ケース５２０に設けられる第１の支持面５２２と第２の支持面５２４を介してファンカバー５３０とフィルタモジュール５５０が前後方向に互いに結合し、このような結合によってファンカバー５３０とフィルタモジュール５５０がケースに固定する。以下では、第１の支持面５２２と第２の支持面５２４を介して成されるファンカバー５３０とフィルタモジュール５５０間の結合構造について詳説する。
【０４５１】
図１７と図３９〜図４５を参照すれば、第１の支持面５２２の前方には前面パネル５１０及びファンカバー５３０が配置される。ケース５２０の前方でファンカバー５３０がケース５２０に密着すると、ファンカバー５３０の後面枠が第１の支持面５２２に当接するようになる。すなわち、ケース５２０の前方でファンカバー５３０がケース５２０に密着すると、第１の支持面５２２にファンカバー５３０の後面枠が干渉する。
【０４５２】
このように、第１の支持面５２２にファンカバー５３０の後面枠が干渉するにつれて、ファンカバー５３０の後方への位置変化が規制される。そして、このようにケース５２０の前方に設置されたファンカバー５３０には、前面パネル５１０を結合することができる。
【０４５３】
ファンカバー５３０の後方にはフィルタケース５５１が配置される。本実施形態によれば、フィルタケース５５１ほとんどの領域が第２の支持面５２４より前方に配置されるものの、フィルタケース５５１の一部領域、例えば、フィルタケース５５１の後方端部は、第２の支持面５２４より後方に配置される。
【０４５４】
フィルタケース５５１は、ケース５２０の後方からケース５２０の内部に挿入して、ファンカバー５３０と結合する。このとき、フィルタケース５５１ほとんどの領域は、第２の支持面５２４より前方に配置されるように挿入するが、フィルタケース５５１の後方端部は、第２の支持面５２４に当接するようになる。
【０４５５】
すなわち、ケース５２０の後方からケース５２０の内部にフィルタケース５５１を挿入すれば、第２の支持面５２４にフィルタモジュール５５０の後方端部が干渉する。このように、第２の支持面５２４にフィルタモジュール５５０の後方端部が干渉するにつれて、フィルタモジュール５５０の後方への位置変化が規制される。
【０４５６】
本実施形態によれば、ケース５２０にはケース５２０の周方向に沿って複数個の支持突起５２０ｄが所定間隔離隔して配置される。このとき、複数個の支持突起５２０ｄのうち少なくともいずれかは、ケース５２０の上部側に配置される。
【０４５７】
本実施形態では、図１７と図４１及び図４２に示したように、ケース５２０の上部側に一対の支持突起５２０ｄが配置されることを例示する。そして、この支持突起５２０ｄの後方端部に形成された第２の支持面５２４には、フィルタケース５５１の上端に突き出た突出支持部５５６が当接するようになる。
【０４５８】
すなわち、ケース５２０の後方からケース５２０の内部にフィルタケース５５１を挿入すれば、第２の支持面５２４に突出支持部５５６が干渉する。このように、第２の支持面５２４に突出支持部５５６が干渉するにつれて、フィルタケース５５１の後方への位置変化が規制される。
【０４５９】
上記のように、第１の支持面５２２にファンカバー５３０の後面枠が干渉し、第２の支持面５２４に突出支持部５５６が干渉した状態で、ファンカバー５３０とフィルタケース５５１とが互いに結合する。
【０４６０】
ファンカバー５３０とフィルタケース５５１間の結合は、第１のファンカバー結合部５５３と第２の締結ボス５３１ｄ間の結合、及び第２のファンカバー結合部５５４と第３の締結ボス５３５ａ間の結合によって行われてもよい。このとき、第１のファンカバー結合部５５３と第２の締結ボス５３１ｄ間の結合、及び第２のファンカバー結合部５５４と第３の締結ボス５３５ａ間の結合は、締結部材によって行われる。
【０４６１】
締結部材による締結作業を引き続いて、ファンカバー５３０の後面枠とフィルタケース５５１の突出支持部５５６との間の距離が第１の支持面５２２と第２の支持面５２４との間の距離より狭くなる程に、ファンカバー５３０とフィルタケース５５１間の結合が行われると、ファンカバー５３０の後面枠が第１の支持面５２２を圧迫して、突出支持部５５６が第２の支持面５２４を圧迫することになる。
【０４６２】
すなわち、ファンカバー５３０とフィルタケース５５１が第１の支持面５２２と第２の支持面５２４を介して互いに近接しながら、第１の支持面５２２と第２の支持面５２４を前方と後方でそれぞれ圧迫するようになる。これにより、ケース５２０は、第１の支持面５２２と第２の支持面５２４を前方と後方でそれぞれ圧迫して結合するファンカバー５３０とフィルタケース５５１との結合を行うようになる。
【０４６３】
その結果、ファンカバー５３０とフィルタケース５５１間の結合が行われると共に、互いに結合したファンカバー５３０とフィルタケース５５１との間に、ケース５２０の前方枠の内側と支持突起５２０ｄが挟まれながら、ファンカバー５３０とフィルタケース５５１とケース５２０間の結合が行われるようになる。
【０４６４】
すなわち、ケース５２０の内部で第１の支持面５２２と第２の支持面５２４を介してファンカバー５３０とフィルタケース５５１間の結合が行われるだけで、ファンカバー５３０とフィルタケース５５１がケース５２０と分離されないように互いに結合することができる。言い換えれば、ケース５２０の内部でファンカバー５３０とフィルタケース５５１を結合させるだけで、ファンカバー５３０とフィルタモジュール５５０とケース５２０間の結合が一度に行われるようになるものである。
【０４６５】
一方、フィルタケース５５１には、図１７と図４３及び図４４に示したように、枠突起５５８がさらに設けられてもよい。枠突起５５８は、フィルタケース５５１の後面枠で側方向に突き出たフランジ状に形成することができる。
【０４６６】
本実施形態によれば、フィルタケース５５１のケース本体部５５２は、フィルタケース５５１がケース５２０の後方からケース５２０の内部に挿入するとき、支持突起５２０ｄと干渉しないほどの幅に形成される。例えば、ケース本体部５５２の幅は、ケース５２０の側面部５２１の内周面で互いに向い合う一対の支持突起５２０ｄ間の距離と同様であるか、それより狭い幅で決定される。
【０４６７】
そして、枠突起５５８は、ケース本体部５５２の後面枠で側方向に突き出るように形成されるものの、各支持突起５２０ｄの突出長さに対応する長さだけ突き出るように形成される。このような枠突起５５８は、第２の支持面５２４と向い合って第２の支持面５２４に並ぶ平面で形成することができる。
【０４６８】
よって、ファンカバー５３０とフィルタケース５５１との結合が行われるときには、ケース５２０の上面部５２３側に配置された支持突起５２０ｄの第２の支持面５２４と突出支持部５５６間の干渉のみならず、ケース５２０の側面部５２１側に配置された支持突起５２０ｄの第２の支持面５２４と枠突起５５８間の干渉も共に行われるようになる。
【０４６９】
すなわち、ファンカバー５３０とフィルタケース５５１の結合が行われるときは、ケース５２０の上面部５２３側と両側面部５２１側の内周面でファンカバー５３０とフィルタケース５５１とケース５２０間の結合が行われる。これは、締結部材による締結が行われるある特定部位だけでのみファンカバー５３０とフィルタケース５５１とケース５２０間の結合が行われるものではなく、ケース５２０の内周面ほとんどの領域にわたってファンカバー５３０とケース５２０間の結合、フィルタケース５５１とケース５２０間の結合が行われることを意味する。
【０４７０】
このように、ファンカバー５３０とケース５２０間の結合、フィルタケース５５１とケース５２０間の結合がケース５２０の内周面ほとんどの領域にわたって成行われることによって、ケース５２０に加えられる衝撃は、ケース５２０の内周面ほとんどの領域に分散して伝達されてもよい。
【０４７１】
すなわち、ファンカバー５３０とケース５２０間の結合部位、フィルタケース５５１とケース５２０間の結合部位がケース５２０の内周面ほとんどの領域に分散されるため、ケース５２０に加えられる衝撃がある一部位に集中せずに広く分散されてもよい。
【０４７２】
これにより、携帯用空気浄化機５０に衝撃が加えられても、携帯用空気浄化機５０に加えられた衝撃の影響がある一部位に集中せずに広く分散されるようになる。
【０４７３】
このように、携帯用空気浄化機５０に加えられた衝撃の影響のある一部位に集中せずに広く分散されるようにすることで、ケース５２０へ伝達される衝撃の影響が特定部位に集中することを緩和するようになり、これにより、ケース５２０と異なる部品間の締結が行われる特定部位が破損するリスクを低くすることができるようになる。
【０４７４】
すなわち、ケース５２０へ伝達される衝撃の影響が特定部位に集中することを緩和する構造を採用することで、衝撃によって特定部位が破損しにくい、且つ耐久性の高い携帯用空気浄化機５０を提供することができるようになる。
【０４７５】
また、本実施形態では、ケース５２０が金属材質、より具体的には、アルミニウム材質で形成されることを例示する。アルミニウム材質で形成されたケース５２０は、軽くて強度が高いため、軽くて携帯が容易でなければならない携帯用空気浄化機５０に適用するのに好適であり、ケース５０の内部に収容された多くの部品を保護するのに十分な剛性を有し得る。
【０４７６】
また、アルミニウム材質で形成されたケース５２０は、樹脂材質で形成されたケースに比べて、滑らかな外観の表面と光沢を有する等、携帯用空気浄化機５０の外観の品質向上にも寄与することができる。
【０４７７】
このようなケース５２０に樹脂材質で形成されたファンカバー５３０及びフィルタケース５５１のような部品を結合させるために、締結部材を用いる方法が一般的に利用される。すなわち、ファンカバー５３０及びフィルタケース５５１のような部品とケース５２０を締結部材で貫通する方法によりファンカバー５３０と異なる部品間の締結作業が行われることである。
【０４７８】
このように、締結部材を用いた締結作業を行うためには、ケース５２０に締結孔を形成しれなければならない。しかし、強度の高いアルミニウム材質で形成されたケース５２０の特性上、ケース５２０に締結孔を形成する作業は、多くの費用と時間を要する難しい作業である。すなわち、ケース５２０に締結孔を形成するためには多くの費用と時間がかかり、その作業難易度も非常に高い。
【０４７９】
また、上記のように、ケース５２０に締結部材が締結される構造では、ケース５２０の外部へ締結孔又は締結部材が露出するしかなくなる。かかる構造では、ケース５２０の滑らかな外観の表面が損傷し、これにより、携帯用空気浄化機５０の外観の品質も低下するしかなくなる。
【０４８０】
かかる点を考慮して、本実施形態では、ケース５２０に締結部材が締結される必要なく、第１の支持面５２２と第２の支持面５２４を介してファンカバー５３０とフィルタケース５５１間の結合が行われるだけで、ファンカバー５３０とフィルタケース５５１がケース５２０と分離されないように互いに結合することのできる結合構造が提供される。すなわち、ケース５２０の内部でファンカバー５３０とフィルタケース５５１を結合させるだけで、ファンカバー５３０とフィルタモジュール５５０を締結部材でケース５２０に結合させる必要なく、ファンカバー５３０とフィルタモジュール５５０とケース５２０間の結合が一度に行われるようになる。
【０４８１】
これにより、ケース５２０と各部品間の締結作業に要する時間と費用を節減し、且つ滑らかな高い外観の品質を保持し得る携帯用空気浄化機５０を提供することができるようになる。
【０４８２】
一方、ケース５２０の後方では、後面カバー５８０の上部は、後面パネル５７０に固定し、後面カバー５８０の下部は、ケース５２０に固定する後面カバー５８０の固定構造を形成することができる。
【０４８３】
これにより、後面カバー５８０がケース５２０の後方に安定して固定し、後面パネル５７０と後面カバー５８０が互いに固定状態を支持する後面パネル５７０と後面カバー５８０の固定構造を提供することができるようになる。
【０４８４】
後面カバー５８０と後面パネル５７０間の結合は、後面カバー５８０の上部に設けられた後面パネル結合部５８６と、後面パネル５７０の下部に設けられた後面カバー結合部５７７間の結合によって行うことができる。そして、後面カバー５８０とケース５２０間の結合は、後面カバー５８０の下部に設けられたケース結合部５８７と、ケース５２０の後方下部に設けられた後面カバー結合溝５２０ｃ間の結合によって行うことができる。
【０４８５】
また、図１７及び図４５を参照すれば、ケース５２０と後面カバー５８０との間には、後面カバー５８０の前方への位置変化を規制するための構造物が設けられる。
【０４８６】
これによれば、ケース５２０の第２領域（Ｂ）の内部、又は第１領域（Ａ）と第２領域（Ｂ）間の境界及びその近くの領域に支持突起５２０ｄが配置される。このとき、支持突起５２０ｄは、ケース５２０の側面部５２１の内周面に配置される。
【０４８７】
このように配置された支持突起５２０ｄの後方端部に形成される第２の支持面５２４は、後面カバー５８０の前面枠と向い合う平面で形成することができる。このような第２の支持面５２４に後面カバー５８０の前面枠が干渉すれば、後面カバー５８０の前方への位置変化が規制される。
【０４８８】
後面カバー５８０の下部は、ケース結合部５８７と後面カバー結合溝５２０ｃ間の結合によって固定する。そして、このような結合により、後面カバー５８０の下部の前後方向の位置が規制される。
【０４８９】
これに比べて、後面カバー５８０の上部では、後面パネル結合部５８６と後面カバー結合部５７７間の結合によって、後面カバー５８０と後面パネル５７０間の結合だけ行われ、後面カバー５８０とケース５２０間の結合は行われない。
【０４９０】
本実施形態では、第２の支持面５２４と後面カバー５８０の前面枠間の干渉によって、後面カバー５８０の上部の前方への位置変化が規制されるようにする構造が提供される。
【０４９１】
これにより、後面カバー５８０をケース５２０に設置するとき、後面カバー５８０の下部のみならず、後面カバー５８０の上部においても後面カバー５８０の前後方向の位置規制が行われるようになる。
【０４９２】
これにより、後面カバー５８０の設置位置が後面カバー５８０の下部と上部で共に案内された状態で、後面カバー５８０の設置作業が行わなるようになるため、後面カバー５８０の設置作業が容易に且つ早く行われるだけでなく、ケース５２０に設置された後面カバー５８０がケース５２０の定位置に安定して固定し得るようになる。
【０４９３】
［ファンカバーの詳細構成］
図４６は、本発明の第２実施形態による携帯用空気浄化機のファンカバー及び送風ファンを分離して示した正面図であり、図４７は、ファンカバーと、送風ファンを示した拡大図で、図４８は、ファンカバーと、送風ファンを示した側断面図である。
【０４９４】
図１５及び図４６を参照すれば、ファンカバー５３０には空気吐出部５３２、５３３が設けられる。空気吐出部５３２、５３３は、上部カバー部５３１の一部が貫通又は切開されることによって形成される。このような空気吐出部５３２、５３３は、ケース５２０の前方とファンアセンブリ５４０、５４５の送風ファン５４１、５４６との間を連結する通路をファンカバー５３０上に形成する。
【０４９５】
そして、この空気吐出部５３２、５３３の後方にはファンアセンブリ５４０、５４５が配置され、それぞれのファンアセンブリ５４０、５４５には送風ファン５４１、５４６がそれぞれ備えられる。送風ファン５４１、５４６は、空気の流動を発生させるように設けられる。一例として、送風ファン５４１、５４６は、軸流ファンを含めてなされてもよい。後面パネル５７０を通じてケース５２０の内部に吸入した空気は、送風ファン５４１、５４６の軸方向に吸入した後、送風ファン５４１、５４６の軸方向に吐出されてもよい。
【０４９６】
本実施形態のファンカバー５３０は、遮蔽板５３０ａ及びガイドベーン５３４をさらに含んでいてもよい。遮蔽板５３０ａ及びガイドベーン５３４は、空気吐出部５３２、５３３の形成した領域に配置される。本実施形態では、上部空気吐出部５３２と下部空気吐出部５３３両方ともに遮蔽板５３０ａ及びガイドベーン５３４が配置されることを例示する。
【０４９７】
上部空気吐出部５３２に配置される遮蔽板５３０ａ及びガイドベーン５３４と、下部空気吐出部５３３に配置される遮蔽板５３０ａ及びガイドベーン５３４は、その構成と機能が同様に設けられてもよい。よって、以下では、上部空気吐出部５３２に配置される遮蔽板５３０ａ及びガイドベーン５３４についてのみ代表的に説明する。
【０４９８】
図１５と図４６〜図４８を参照すれば、送風ファン５４１は、ハブ５４２とファンブレード５４４を含めてなされてもよい。
【０４９９】
ハブ５４２は、送風ファン５４１の回転中心になる回転軸に結合する部分である。回転軸は、送風ファン５４１に回転力を付与するファンモータによって回転される。ハブ５４２は、このような回転軸に結合して、回転軸を中心に回転することができる。このようなハブ５４２は、ファンブレード５４４を回転軸に連結させるための構造物として設けられる。
【０５００】
ファンブレード５４４は、ハブ５４２の半径方向周、すなわち、ハブ５４２の外周面に連結される。このようなファンブレード５４４は、回転軸を中心にハブ５４２とともに回転されてもよい。ハブ５４２の外周面には、送風ファン５４１の回転方向に沿って複数個のファンブレード５４４が配置される。
【０５０１】
ファンブレード５４４は、ハブ５４２とともに回転され、このように回転されるファンブレード５４４らによって送風ファン５４１の後方の空気が送風ファン５４１に吸入した後、送風ファン５４１の前方に吐出される空気の流れを誘導することができる。
【０５０２】
このとき、ファンブレード５４４が回転する領域の前方が送風面（Ｓｗ）を成して、送風ファン５４１の風量は、この送風面（Ｓｗ）を通す風の速度に比例して増加するか減少し得る。
【０５０３】
前記送風ファン５４１の吐出側、言い換えれば、送風面（Ｓｗ）の前方には遮蔽板５３０ａ及びガイドベーン５３４が配置される。
【０５０４】
遮蔽板５３０ａは、送風ファン５４１の吐出側に配置される。本実施形態において、遮蔽板５３０ａは、空気吐出部５３２上に配置されるものの、空気吐出部５３２の中央部分に配置されることを例示する。このような遮蔽板５３０ａは、ハブ５４２の前方に配置されてハブ５４２を遮る役割を行う。
【０５０５】
ガイドベーン５３４は、送風ファン５４１の吐出側に配置される。本実施形態において、ガイドベーン５３４は、空気吐出部５３２上に配置されるものの、空気吐出部５３２を側方向の外側で囲むファンカバー５３０の内周面と遮蔽板５３０ａとの間に配置されることを例示する。このようなガイドベーン５３４は、回転軸を中心に放射状に延びる。
【０５０６】
前記ガイドベーン５３４は、空気吐出部５３２の中央部分に配置される遮蔽板５３０ａをファンカバー５３０に支持させる連結構造物の役割を行うことができる。
【０５０７】
送風ファン５４１のハブ５４２部分を遮るために遮蔽板５３０ａが必要であるが、送風ファン５４１から吐出される空気の通路を確保するためには、遮蔽板５３０ａが空気吐出部５３２を全部遮ってはならない。このために遮蔽板５３０ａは、空気吐出部５３２の一部分のみを遮るように空気吐出部５３２より小さなサイズに設けられ、ファンカバー５３０の内周面と遮蔽板５３０ａとの間は、ガイドベーン５３４によって連結される。
【０５０８】
また、ガイドベーン５３４は、ハブ５４２を支持する役割のほか、送風ファン５４１から吐出される空気の吐出方向を案内する役割も共に行うことができる。このようなガイドベーン５３４は、送風面（Ｓｗ）の前方に配置され、回転軸を中心に放射状に連結される。
【０５０９】
本実施形態によれば、ガイドベーン５３４は、第１のガイド面５３４ａと第２のガイド面５３４ｂを含めてなされてもよい。
【０５１０】
第１のガイド面５３４ａは、送風ファン５４１に隣接して配置される。第１のガイド面５３４ａは、ファンブレード５４４と向い合う平面状に形成されるものの、ファンブレード５４４を斜めに向い合う平面状に形成される。言い換えれば、第１のガイド面５３４ａは、送風面（Ｓｗ）を傾いて向い合う平面状に形成される。
【０５１１】
第２のガイド面５３４ｂは、第１のガイド面５３４ａより送風ファン５４１から遠く配置される。第２のガイド面５３４ｂは、第１方向（Ｄ１）に並ぶ平面状に形成することができる。ここで第１方向（Ｄ１）は、回転軸の延長方向、すなわち、前後方向であると定義する。
【０５１２】
ガイドベーン５３４は、第１のガイド面５３４ａと第２のガイド面５３４ｂとが連結された形態に提供される。すなわち、ガイドベーン５３４は、送風面（Ｓｗ）と所定の各を成し、傾いた平面で形成された第１のガイド面５３４ａと第１方向（Ｄ１）に平行な平面で形成された第１のガイド面５３４ａが連結された形態に提供される。
【０５１３】
本実施形態では、送風ファン５４１が小型軸流ファン（Ａｘｉａｌ-ｆｌｏｗ ｆａｎ）を含めてなされることを例示する。携帯性を向上させるためにコンパクトな大きさを有する携帯用空気浄化機５０の特性上、送風ファン５４１のサイズを増やすには限界がある。よって、本実施形態の携帯用空気浄化機５０には、小型軸流ファンが送風ファン５４１として適用される。
【０５１４】
しかし、軸流ファンのサイズが小くなるほど、軸流ファンの送風性能は、それだけ低くなるのが一般的である。小型且つ高い送風性能を提供する高価の軸流ファンを送風ファン５４１として適用する方法もあるが、この場合、携帯用空気浄化機５０の製造費用が必要以上に増加するようになる。
【０５１５】
高価、高性能の軸流ファンを用いることなく、携帯用空気浄化機５０の送風性能を向上させる方法として、携帯用空気浄化機５０の送風方向を集中させる方法がある。すなわち、携帯用空気浄化機５０の送風方向を前方側に集中させることである。
【０５１６】
軸流ファンは、空気の流れ方向が送風機の回転軸に平行なファンであって、後方から空気を吸入して前方に空気を吐出する。このとき、軸流ファンの前方に吐出される空気のほとんどは、軸流ファンの半径方向の外側に傾いた方向に吐出される。すなわち、軸流ファンを介して吐出される空気のほとんどは、携帯用空気浄化機５０の前方に直進せずに、携帯用空気浄化機５０の側方へ広く広がる様相を示す。
【０５１７】
これは、軸流ファンの回転によって発生する力、すなわち、軸流ファンの回転方向に発生する力が軸流ファンの空気の吐出に関与するからである。すなわち、軸流ファンから吐出される空気には、軸流ファンが空気を前方へ押し出す力のほか、軸流ファンの回転方向に発生する力も共に作用される。
【０５１８】
これにより、軸流ファンを通じて吐出される空気のほとんどは、携帯用空気浄化機５０の前方に直進せずに、携帯用空気浄化機５０の側方に広く広がる様相を示す。このように、軸流ファンを通じて吐出される空気のほとんどが携帯用空気浄化機５０の側方へ広く広がるようになると、携帯用空気浄化機５０から吐出される浄化空気の前方吐出範囲は、減少するしかない。
【０５１９】
よって、携帯用空気浄化機５０から吐出される浄化空気の前方吐出範囲を増加するためには、軸流ファンを通じて吐出される空気の進行方向を前方に誘導することが好ましい。すなわち、携帯用空気浄化機５０から吐出される浄化空気の側方向の吐出幅が多少狭くなっても、軸流ファンを通じて吐出される空気の進行方向を前方に集中させることが浄化空気の前方の吐出範囲を増加させるのに有利である。
【０５２０】
使用者が携帯して使用する携帯用空気浄化機５０の特性上、浄化空気の側方向の吐出幅が多少狭くなることによる影響より、浄化空気の前方吐出範囲を増加させることで得られる効果の影響がさらに大きいと言える。よって、軸流ファンを通じて吐出される空気の進行方向を前方に集中させることのできる構造物の設計が求められる。
【０５２１】
本実施形態によれば、送風ファン５４１を通じて吐出される空気の進行方向を前方に集中させることのできる構造物としてガイドベーン５３４が提供される。そして、このガイドベーン５３４は、ファンカバー５３０に設けられる。
【０５２２】
ガイドベーン５３４のような構造物がファンアセンブリ５４０、５４５自体に適用されるためには、送風ファン５４１を囲んでいるファンブラケット５４３、５４８等を含むファンアセンブリ５４０、５４５全体を再度設計しなければならない。
【０５２３】
通常、ファンアセンブリ５４０、５４５は、携帯用空気浄化機５０のみのために製造されるものではなく、汎用に製作されたことが使用される。携帯用空気浄化機５０のみのためのファンアセンブリを別途設計するよりは、汎用に製作されたファンアセンブリを使用することが部品管理や費用面でさらに有利であるからである。
【０５２４】
これに比べて、ファンカバー５３０は、本実施形態の携帯用空気浄化機５０に適用されるために別途設計されるものである。よって、ファンカバー５３０の設計過程で、ファンカバー５３０にガイドベーン５３４が適用されるようにすれば良く、このため多くの費用や時間が加えられるものではない。
【０５２５】
また、ファンカバー５３０には送風ファン５４１のハブ５４２部分を遮るための遮蔽板５３０ａをファンカバー５３０に連結させるための構造物が必要である。かかる点を考慮して、本実施形態では、空気吐出部５３２の中央部分に配置される遮蔽板５３０ａをファンカバー５３０に支持させるガイドベーン５３４に、送風ファン５４１から吐出される空気の吐出方向を案内するための形状設計が適用される。
【０５２６】
これによれば、ガイドベーン５３４には第１のガイド面５３４ａ及び第２のガイド面５３４ｂが形成され、送風ファン５４１から吐出される空気は、第１のガイド面５３４ａ及び第２のガイド面５３４ｂが配置された領域を通して、携帯用空気浄化機５０の前方に吐出される。
【０５２７】
［ガイドベーンの構成］
図４９は、送風面を介して吐出される空気の速度成分を示す速度三角形を示した図面である。
【０５２８】
以下では、図１５と図４７〜図４９を参照して、第１のガイド面５３４ａと第２のガイド面５３４ｂの形状をより具体的に説明する。
【０５２９】
図１５と図４７〜図４９を参照すれば、第１のガイド面５３４ａは、送風面（Ｓｗ）と所定の角（ａ）を成す平面で形成される。そして、第２のガイド面５３４ｂは、第１方向（Ｄ１）に平行な平面で形成される。このとき、第１のガイド面５３４ａが送風面（Ｓｗ）と成す角（ａ）は、次の関係を満す。
【０５３０】
ａ＝ｔａｎ-１（ｖａ／ｖｒ）
【０５３１】
ここで、ａは、第１のガイド面５３４ａが送風面（Ｓｗ）と成す角であり、ｖａは、送風面（Ｓｗ）を介して吐出される空気の速度ベクトルのうち、第１方向（Ｄ１）への速度ベクトル（以下、「第１方向の速度ベクトル」と言う）であり、ｖｒは、送風面（Ｓｗ）を通す空気の速度ベクトルのうち、送風ファン５４１の半径方向（Ｄ２、以下、「第２方向」という）速度ベクトル（以下、「第２方向の速度ベクトル」と言う）である。
【０５３２】
そして、ｖａとｖｒは、次のような数式によって把握することができる。
【０５３３】
ｒ＝（ｒｏ+ｒｉ）／２
Ａ＝π（ｒｏ２-ｒｉ２）
ｖａ＝Ｑ／Ａ
ｖｒ＝ω＊ｒ
【０５３４】
ここで、ｒは、回転軸からファンブレード５４４の中心までの距離であり、ｒ１は、ハブ５４２の半径で、ｒｏは、送風ファン５４１の半径で、Ａは、送風面（Ｓｗ）の面積で、Ｑは、送風ファン５４１の風量で、ωは、送風ファンの角速度である。
【０５３５】
これによれば、送風ファン５４１の規格事項から把握することのできるハブ５４２の半径、ファンブレード５４４の長さ、送風ファン５４１の回転速度に対する情報を利用して、第１方向の速度ベクトル（ｖａ）と第２方向の速度ベクトル（ｖｒ）が分かる。
【０５３６】
そして、このように把握した第１方向の速度ベクトル（ｖａ）と第２方向の速度ベクトル（ｖｒ）に対する情報を利用して、送風面（Ｓｗ）を介して吐出される空気の速度ベクトル（ｖ）と送風面（Ｓｗ）との夾角が分かる。
【０５３７】
送風ファン５４１から吐出される空気は、先ず、第１のガイド面５３４ａが配置された領域を通した後、第２のガイド面５３４ｂが配置された領域を通すことうになる。第２のガイド面５３４ｂは、第１方向（Ｄ１）に並ぶ平面状に形成され、第１のガイド面５３４ａが配置された領域を通した空気は、第２のガイド面５３４ｂによってその流動方向が案内される。
【０５３８】
これによれば、第１方向（Ｄ１）に並ぶ平面を形成する第２のガイド面５３４ｂに沿って空気が流動する過程で、第２のガイド面５３４ｂに沿って流動する空気の第１方向の速度ベクトル（ｖａ）が第２のガイド面５３４ｂの影響を受けて増加する。第１方向の速度ベクトル（ｖａ）と第２方向の速度ベクトル（ｖｒ）の合計、すなわち、送風面（Ｓｗ）を介して吐出される空気の速度ベクトル（ｖ）は、変わらないため、第１方向の速度ベクトル（ｖａ）が増加しただけ第２方向の速度ベクトル（ｖｒ）は、減少する。
【０５３９】
このように、第１方向の速度ベクトル（ｖａ）が増加し、第２方向の速度ベクトル（ｖｒ）が減少するということは、送風面（Ｓｗ）を介して吐出される空気の速度ベクトル（ｖ）の方向が第１方向（Ｄ１）にさらに近い方向に変化することを意味する。
【０５４０】
すなわち、第２のガイド面５３４ｂは、送風ファン５４１から吐出される空気の第１方向の速度ベクトル（ｖａ）を増加させ、第２方向の速度ベクトル（ｖｒ）は、減少させることで、送風ファン５４１から吐出される空気の吐出方向を第１方向（Ｄ１）に変化させ、これにより、携帯用空気浄化機５０から吐出される浄化空気の進行方向を前方に集中させる作用を行うようになる。
【０５４１】
これにより、ガイドベーン５３４が配置された領域を通す空気は、第１方向の速度ベクトル（ｖａ）が増加し、第２方向の速度ベクトル（ｖｒ）が減少して、新しい形態に変化した速度ベクトル（Ｖｘ）を有するようになる。このような速度ベクトル（Ｖｘ）を有して吐出される空気は、ガイドベーン５３４が配置された領域を通す前より、さらに前方に集中した進行方向に吐出されてもよい。これにより、携帯用空気浄化機５０は、空気の吐出方向を前方に集中させて、浄化空気をより遠い位置まで到達させることができるようになる。
【０５４２】
もし上記のような空気の流動方向の変化が急激に行われると、空気がガイドベーン５３４を通す過程で、乱流（Ｔｕｒｂｕｌｅｎｃｅ）が発生するリスクが高くなるようになる。
【０５４３】
かかる点を考慮して、本実施形態では、第２のガイド面５３４ｂと送風ファン５４１との間に第１のガイド面５３４ａが配置され、第２のガイド面５３４ｂへの空気の進入が第１のガイド面５３４ａによって案内される。
【０５４４】
送風ファン５４１から吐出される空気が乱流を起こさないで、第２のガイド面５３４ｂを通らせるために第１のガイド面５３４ａは、送風ファン５４１から吐出される空気の吐出方向に並ぶ方向の平面を形成するのが好ましい。
【０５４５】
このためには、送風ファン５４１から吐出される空気の吐出方向を把握することが必要である。送風ファン５４１から吐出される空気の吐出方向は、送風ファン５４１から吐出される空気が送風面（Ｓｗ）を通す方向と送風面（Ｓｗ）とが成す夾角（ａ）に表現されてもよい。
【０５４６】
前記夾角（ａ）は、上記で算出された第１方向の速度ベクトル（ｖａ）と第２方向の速度ベクトル（ｖｒ）を利用して把握することができる。すなわち、
【０５４７】
ａ＝ｔａｎ-１（ｖａ／ｖｒ）
という関係を利用して前記夾角（ａ）を算出することができる。
【０５４８】
そして、第１方向の速度ベクトル（ｖａ）と第２方向の速度ベクトル（ｖｒ）は、送風ファン５４１の規格事項から把握することのできるハブ５４２の半径、ファンブレード５４４の長さ、送風ファン５４１の回転速度に対する情報から算出することができる。
【０５４９】
上記のように把握された夾角（ａ）を介して、第１のガイド面５３４ａが送風面（Ｓｗ）と成す角（ａ）を決定することができる。すなわち、第１のガイド面５３４ａは、上記のように把握された夾角（ａ）に対する情報に基づいて、送風ファン５４１から吐出される空気の吐出方向に並ぶ方向の平面を形成するように設けられてもよい。
【０５５０】
本実施形態では、第１のガイド面５３４ａの長さと第２のガイド面５３４ｂの長さが同様であることを例示する。送風ファン５４１から吐出される空気が乱流を起こさないで、第２のガイド面５３４ｂを通るようにするために、第１のガイド面５３４ａを十分な長さに形成しなければならない。よって、本実施形態では、第１のガイド面５３４ａの長さが、少なくても第２のガイド面５３４ｂと同様な長さになるようにガイドベーン５３４の形状が決定される。
【０５５１】
第２のガイド面５３４ｂの長さが長くなるほど、第１方向の速度ベクトル（ｖａ）がさらに増加し得ることを期待することができ、これにより、第１のガイド面５３４ａの長さも共に増加しなければならない。しかし、携帯用空気浄化機５０の特性上、ガイドベーン５３４の長さを増やすには限界がある。よって、第２のガイド面５３４ｂの長さは、ファンカバー５３０が占める長さ範囲内で最大限に長く決定され、第１のガイド面５３４ａの長さもこれと同様に決定することができる。
【０５５２】
また、乱流の発生を回避するために、互いに傾いて連結された第１のガイド面５３４ａと第２のガイド面５３４ｂとの間、そして、第１のガイド面５３４ａの端部と第２のガイド面５３４ｂの端部とは、曲面状に形成される。
【０５５３】
一方、ファンカバー５３０には、送風ファン５４１の回転方向に沿って複数個のガイドベーン５３４が所定間隔離隔して配置される。好ましくは、ファンカバー５３０には、複数個のガイドベーン５３４が同じ間隔で離隔して配置されてもよい。
【０５５４】
このように配置されたガイドベーン５３４は、遮蔽板５３０ａを複数の地点で安定して支持することができるだけでなく、送風ファン５４１から吐出される空気の吐出方向を複数の地点で効果的に案内することができる。
【０５５５】
好ましくは、前記ガイドベーン５３４の個数は、ファンブレード５４４の個数より多く設定される。例えば、ファンブレード５４４の個数が９個であれば、ガイドベーン５３４の個数は、１１個に設定される。これにより、送風ファン５４１によって空気の吐出がなされる地点より、ガイドベーン５３４によって空気の吐出方向の案内が行われる地点が多くなるため、空気吐出方向の案内作用がさらに効果的に行われるようになる。
【０５５６】
また、本実施形態のファンカバー５３０は、合成樹脂射出物の材質で形成することができる。ファンカバー５３０は、高い強度を求める構造物ではないため、製造が容易であり、値段が安い合成樹脂射出物の材質で形成されても十分である。このようなファンカバー５３０は、上部カバー部５３１と下部カバー部５３５と遮蔽板５３０ａとガイドベーン５３４が一体に射出された合成樹脂射出物に形成することができる。
【０５５７】
ガイドベーン５３４の厚み（ｔ）が薄いほど、空気がファンカバー５３０を通すことのできる通路が広くなるため、ガイドベーン５３４の厚み（ｔ）は、薄いほど良い。しかし、ガイドベーン５３４の厚み（ｔ）が薄すぎると、ガイドベーン５３４の強度が弱くて射出が難しくなる。かかる点を考慮して、ガイドベーン５３４の厚み（ｔ）は、１ｍｍに設定されるのが好ましい。
【０５５８】
［ガイドベーンの作用、効果］
図５０は、ガイドベーンが適用されていない空気浄化機の流動を解釈した結果を示す図面であり、図５１は、本発明の第２実施形態による携帯用空気浄化機の流動を解釈した結果を示す図面である。また、図５２は、ガイドベーンが適用されていない空気浄化機と、本発明の第２実施形態による空気浄化機の風量を測定した結果を示すグラフであり、図５３は、ガイドベーンが作用されていない空気浄化機と、本発明の第２実施形態による空気浄化機の風量を測定した結果を示す表である。
【０５５９】
図５０と図５２は、ファンカバーにガイドベーンが適用されていない携帯用空気浄化機を利用した実験結果を示すものである。そして、図５１と図５３は、本発明の第２実施形態による携帯用空気浄化機、すなわち、ファンカバーにガイドベーンが適用された携帯用空気浄化機を利用した実験結果を示すものである。
【０５６０】
このとき、送風ファン５４１の半径（ｒｏ）は２９ｍｍ、ハブの半径（ｒｉ）は１６ｍｍ、ガイドベーン５３４の長さ（Ｌ）は５ｍｍである。図５０及び図５１では、送風ファン５４１の回転速度が４５００ＲＰＭである条件で実験を行っており、図４７及び図５３では、送風ファン５４１の回転速度が４５００ＲＰＭ〜４９００ＲＰＭである条件で実験が行われた。そして、ファンカバーにガイドベーンが適用されたか否かを除いた他の実験条件は、同様である。
【０５６１】
以下では、図１５及び図４７〜図５３を参照して、本実施形態によるガイドベーンの作用、効果について説明する。
【０５６２】
実験の結果、従来の空気浄化機から吐出される浄化空気の前方吐出距離は、約６０ｍｍに過ぎなかったが（図５０参照）、本実施形態の携帯用空気浄化機５０から吐出される浄化空気の前方吐出距離は、約１５０ｍｍに至るものと確認された（図５１参照）。
【０５６３】
すなわち、本実施形態の携帯用空気浄化機５０が従来の空気浄化機より約２．５倍程さらに遠く浄化空気を前方に吐出し得ることが確認された。このような結果は、送風ファン５４１から吐出される空気の第１方向の速度ベクトル（ｖａ）がガイドベーン５３４によって増加し、これにより、携帯用空気浄化機５０から吐出される浄化空気の直進性が向上することによるものである。これにより、ガイドベーン５３４が携帯用空気浄化機５０の浄化空気の吐出性能の向上に相当影響を及ぼしたことが分かる。
【０５６４】
また、図５２及び図５３を参照して、従来の空気浄化機の風量と本実施形態の携帯用空気浄化機の風量測定結果を検討すれば、送風ファンの回転速度が４５００ＲＰＭであるとき、従来の空気浄化機の風量（Ｏ）は、１２．２ＣＭＨと測定されており、本実施形態の携帯用空気浄化機の風量（Ｎ）は、１３．５ＣＭＨと測定された。すなわち、本実施形態の携帯用空気浄化機の風量（Ｎ）が従来の空気浄化機の風量（Ｏ）より約１０％程さらに高く測定された。
【０５６５】
また、送風ファンの回転速度が４９００ＲＰＭであるとき、従来の空気浄化機の風量（Ｏ）は、１３．８ＣＭＨと測定されており、本実施形態の携帯用空気浄化機の風量（Ｎ）は、１６．１ＣＭＨと測定された。すなわち、本実施形態の携帯用空気浄化機の風量（Ｎ）が従来の空気浄化機の風量（Ｏ）より約１６％程さらに高く測定された。
【０５６６】
上記実験の結果によれば、全条件で本実施形態の携帯用空気浄化機の風量（Ｎ）が従来の空気浄化機の風量（Ｏ）よりさらに高く測定された。かかる結果は、本実施形態の携帯用空気浄化機の浄化空気の吐出性能が従来の空気浄化機の浄化空気の吐出性能よりさらに優れることを示す。
【０５６７】
また、送風ファンの回転速度が増加するほど、従来の空気浄化機の風量（Ｎ）と本実施形態の携帯用空気浄化機の風量（Ｎ）がいずれも増加したが、本実施形態の携帯用空気浄化機の風量（Ｎ）の増加幅がさらに大きいことが分かる。
【０５６８】
このような結果は、送風ファンの回転速度が早くなるにつれて、ガイドベーンを通す空気の風量が増加するほど、ガイドベーンが携帯用空気浄化機の浄化空気の吐出性能の向上にさらに役に立てることを示す。
【０５６９】
上記のように、ガイドベーンを備える本実施形態の携帯用空気浄化機は、ガイドベーンを利用して前方に吐出される浄化空気の直進性を向上させることで、携帯用空気浄化機で浄化した空気が使用者の顔に到逹する量が増加し得るようにし、これにより、さらに向上した空気浄化性能を提供することができる。
【０５７０】
また、高価、高性能のファンではない、安い汎用のファンでさらに向上した空気吐出性能を提供することができるため、安い費用で高性能の携帯用空気浄化機を提供することができるようになる。
【０５７１】
また、本実施形態の携帯用空気浄化機は、ファンカバーの設計過程で、ファンカバーにガイドベーンが共に適用されるようにすることで、向上した空気浄化性能を提供し、且つ設計及び製造に要する費用の増加を抑えることができる。
【０５７２】
＜本発明の第３実施形態による携帯用空気浄化機＞
［携帯用空気浄化機の構成］
図５４は、本発明の第３実施形態による携帯用空気浄化機と連結される装置の一例を示す図面であり、図５５は、本発明の第３実施形態による携帯用空気浄化機の構成を示す構成図である。
【０５７３】
図５４を参照すれば、本発明の第３実施形態による携帯用空気浄化機６０は、本発明の第１実施形態による携帯用空気浄化機１０（図１参照）と、本発明の第２実施形態による携帯用空気浄化機５０（図１４参照）のうちいずれか構成を含む形態に提供することができる。
【０５７４】
本発明の第３実施形態による携帯用空気浄化機６０は、センサ装置３０又は移動端末機４０等の装置と通信を行うことができる。通信を行うことによって、携帯用空気浄化機６０は、センサ装置３０及び移動端末機４０と各種情報やデータ、命令等を送受信することができる。
【０５７５】
図５４及び図５５を参照すれば、センサ装置３０は、携帯用空気浄化機６０の周辺又は携帯用空気浄化機６０が配置された室内空間の空気質を感知する様々なセンサを含んでいてもよい。例えば、センサは、ホコリセンサ、ガスセンサ等を含んでいてもよい。センサモジュール６００は、センサを利用して空気質を感知し、感知データを携帯用空気浄化機６０又は移動端末機４０に伝送することができる。
【０５７６】
携帯用空気浄化機６０は、センサモジュール６００から受信される感知データに基づいて、空気質が低下することを判断し、この場合、自動でオンされて空気浄化機能を行うことができる。その後、携帯用空気浄化機６０は、センサモジュール６００から受信される感知データに基づいて、空気質が向上することを判断し、自動でオフされて、空気浄化機能を中止することができる。
【０５７７】
本明細書において、携帯用空気浄化機６０のオン／オフは、空気浄化動作のオン／オフを意味し、通信動作は、携帯用空気浄化機６０のオン／オフと関わらずに行うことができる。
【０５７８】
移動端末機４０の使用者は、センサモジュール６００から受信される感知データに基づいて空気質を確認し、確認された空気質に基づいて、携帯用空気浄化機６０をオン又はオフさせることができる。
【０５７９】
実施形態に従って、携帯用空気浄化機６０は、携帯用空気浄化機６０の動作及び状態に対する各種情報を移動端末機４０に提供することができる。例えば、携帯用空気浄化機６０は、送風ファンの風量や駆動時間、フィルタモジュール５５０の状態、バッテリー５６０の残量等の各種情報を移動端末機４０に提供することができる。
【０５８０】
移動端末機４０は、使用者の入力等によって携帯用空気浄化機６０のオン／オフを遠隔に制御するための制御命令を携帯用空気浄化機６０に伝送することができる。
【０５８１】
すなわち、携帯用空気浄化機６０は、センサモジュール６００又は移動端末機４０との通信によって、各種情報や命令等を送受信することができる。
【０５８２】
携帯用空気浄化機６０は、ワンルーム、事務室、車内、及び区画した室内空間で使用することができる。特に、携帯用空気浄化機６０は、大型空気浄化機に比べて、浄化能力が相対的に少ないことがあるため、これにより、一定面積未満の室内空間で使用されるのが好ましい。
【０５８３】
一実施形態として、携帯用空気浄化機は、車内に位置されてもよい。携帯用空気浄化機６０は、車内の構造物上に上げられてもよい。携帯用空気浄化機６０は、約六面体状に形成されるため、比較的に平たい面に立てられるか又は横にされる形態に配置することができる。すなわち、携帯用空気浄化機６０の姿勢又は設置位置に制約がないため、携帯用空気浄化機６０は、多様な姿勢に置かれて使用することができる。
【０５８４】
ただし、携帯用空気浄化機６０が運転者の手が届かない位置に置かれる場合も存在し得る。このとき、同乗者が乗らない状況では、運転者は、携帯用空気浄化機６０を円滑に操作できないことがある。また、運転者が車の走行中に携帯用空気浄化機６０にオンさせるように操作することは、面倒であり事故リスクが増加し得る。
【０５８５】
よって、本発明の実施形態による携帯用空気浄化機６０は、車の搭乗状態を感知して自動で動作することで、上述した面倒及び事故リスクを予防することができる。搭乗状態は、車の始動がオンとなった状態、すなわち、始動のオン後、停車中又は走行中を意味し得る。すなわち、搭乗状態は、車内に運転者又は同乗者が乗った状態に該当するため、携帯用空気浄化機６０が動作しなければならない状態であってもよい。
【０５８６】
本実施形態による携帯用空気浄化機６０は、無線通信部６５０、センサモジュール６００、出力部６６０、メモリ部６７０及び制御部６８０を含んでいてもよい。
【０５８７】
無線通信部６５０、センサモジュール６００、メモリ部６７０及び制御部６８０のうち少なくとも一つは、本発明の第１実施形態によるメインＰＣＢ１９０（図３参照）又は本発明の第２実施形態によるメインＰＣＢ５９５（図１５参照）に含まれていてもよい。また、無線通信部６５０、メモリ部６７０及び制御部６８０は、少なくとも一部が一つの統合チップ（ｃｈｉｐ）状に具現されるか、それぞれ別途のチップ又は回路等に具現することができる。
【０５８８】
無線通信部６５０は、携帯用空気浄化機６０とセンサモジュール６００、又は携帯用空気浄化機６０と移動端末機４０との間の無線通信を可能にする通信モジュールを含んでいてもよい。例えば、無線通信部６５０は、近距離通信モジュール６５１、移動通信モジュール６５３及び位置情報モジュール６５５を含んでいてもよい。
【０５８９】
近距離通信モジュール６５１は、センサモジュール６００又は移動端末機４０との通信を行うことができる。例えば、近距離通信モジュール６５１は、低電力無線通信方式（例えば、ＢＬＥ（Ｂｌｕｅｔｏｏｔｈ（登録商標） ｌｏｗ ｅｎｅｒｇｙ））を支援する通信モジュールを含み、通信機能を行う時に消耗する電力を最小限にすることができる。その他も、近距離通信モジュール６５１は、ブルーツース通信モジュール、ＮＦＣ通信モジュール等、多様な近距離通信方式を支援するモジュールを含んでいてもよい。
【０５９０】
移動通信モジュール６５３は、移動端末機４０又はサーバー（未図示）等との通信を行うことができる。例えば、移動通信モジュール６５３は、ＬＴＥ（ｌｏｎｇ ｔｅｒｍ ｅｖｏｌｕｔｉｏｎ）、ワイパイ等の無線通信方式を支援するモジュールを含んでいてもよい。
【０５９１】
位置情報モジュール６５５は、携帯用空気浄化機６０の位置情報を獲得するためのものであって、ＧＰＳ（ｇｌｏｂａｌ ｐｏｓｉｔｉｏｎｉｎｇ ｓｙｓｔｅｍ）のような多様な衛星航法システムに従って位置情報を獲得するモジュールを含んでいてもよい。他の例として、制御部６８０は、位置情報モジュール６５５のみならず、移動通信モジュール６５３を利用して携帯用空気浄化機６０の位置情報を獲得することもできる。
【０５９２】
センサモジュール６００は、携帯用空気浄化機６０が配置された空間（例えば、運送手段（ｖｅｈｉｃｌｅ）の内部）の状態変化を感知するための少なくても一つのセンサを含んでいてもよい。例えば、センサモジュール６００は、ホコリセンサ６１０と震動センサ６２０及び加速度センサ６３０を含んでいてもよい。他の例として、震動センサ６２０は、加速度センサとしても具現可能であるところ、震動センサ６２０と加速度センサ６３０は、別途分離されたセンサではない、一つのセンサに該当し得る。
【０５９３】
震動センサ６２０は、運送手段の始動中又は走行中に携帯用空気浄化機６０へ伝達する震動を感知する。そして、加速度センサ６３０は、運送手段の走行によって変化する加速度を感知することができる。センサモジュール６００は、震動センサ６２０及び／又は加速度センサ６３０から獲得される感知データを制御部６８０に伝送することができる。感知データは、震動データ及び／又は加速度データを含んでいてもよい。
【０５９４】
他の例として、センサモジュール６００は、携帯用空気浄化機６０ではないセンサ装置３０に備えることもできる。この場合、携帯用空気浄化機６０は、感知データを無線通信部６５０を介して受信することができる。
【０５９５】
出力部６６０は、携帯用空気浄化機６０の動作に係る情報や知らせ等を出力することができる。例えば、出力部６６０は、情報や知らせを視覚的形態に出力する光源やディスプレイに具現されるか、情報や知らせを音声形態に出力するスピーカー等に具現することができる。
【０５９６】
メモリ部６７０は、携帯用空気浄化機６０を動作するための各種情報やアルゴリズム等のデータを貯蔵することができる。特に、メモリ部６７０は、センサモジュール６００から獲得された感知データから運送手段の状態を感知するための比較データ（以下、学習データと言う。）を貯蔵することができる。
【０５９７】
前記学習データは、搭乗状態を感知するための搭乗データを含んでいてもよい。搭乗データは、運送手段の始動がオンされて、停車中であるときの震動パターン又は加速度パターン、及び運送手段が走行中であるときの震動パターン又は加速度パターンを含んでいてもよい。
【０５９８】
前記学習データは、製品の出庫時、既に貯蔵された形態に提供されるか、移動端末機４０やサーバーから受信して貯蔵されてもよい。また、学習データは、移動端末機４０やサーバー等によって定期的又は非定期的にアップデートされてもよい。学習データに対する詳細な説明は、後述する。
【０５９９】
制御部６８０は、携帯用空気浄化機６０の全般的な動作を制御する少なくとも一つのコントローラを含んでいてもよい。
【０６００】
制御部６８０は、センサモジュール６００から獲得された感知データを利用して搭乗状態の有無を感知することができる。搭乗状態は、車等のような運送手段の始動がオンされた状態で停車中であるか走行中である状態を意味し得る。すなわち、搭乗状態は、運送手段内に運転者や同乗者、乗客等、人が存在する状態に該当し得る。
【０６０１】
例えば、携帯用空気浄化機６０が車内に備えられている場合、搭乗状態は、車に運転者等が乗って始動した状態に該当し得る。又は、使用者が携帯用空気浄化機６０を携帯する場合、搭乗状態は、使用者がバスや電車等の運送手段に乗った状態を含んでいてもよい。
【０６０２】
制御部６８０は、搭乗状態が感知される場合、ファンモータ１３２を駆動して空気浄化動作を自動で行うことができる。このとき、感知動作は、制御部６８０に含まれた少なくとも一つのコントローラのうち、低電力駆動コントローラによって行われる。よって、感知動作が周期的又は連続的に行われても、感知動作によって消耗する電力を最小限にすることができる。制御部６８０が搭乗状態を感知する動作については追ってより詳説する。
【０６０３】
一方、制御部６８０は、空気浄化動作のために送風ファン、より具体的には、送風ファンを回転させるファンモータ１３２の駆動を制御することができる。ファンモータ１３２は、駆動時に送風ファンに回転力を付与し、送風ファンの回転によって空気が流動し得る。
【０６０４】
特に、ファンモータ１３２が周波数調節が可能なＢＬＤＣモータ等に具現される場合、制御部６８０は、風量調節ボタン１８５の操作や移動端末機４０との通信を介して獲得される風量調節の要請、又はセンサモジュール６００から受信される感知の結果に基づいて、ファンモータ１３２の回転速度を調節することによって風量を調節することができる。このとき、ファンモータ１３２の制御動作は、制御部６８０に含まれたコントローラのうち低電力駆動コントローラと異なるコントローラによって行うことができる。
【０６０５】
［携帯用空気浄化機の動作制御］
図５６は、図５４に示した携帯用空気浄化機の動作制御過程を示す流れ図である。
【０６０６】
図５５及び図５６を参照すれば、携帯用空気浄化機６０は、センサモジュール６００から感知データを獲得し（Ｓ１００）、獲得された感知データをメモリ部６７０に貯蔵済み搭乗データと比較することができる（Ｓ１１０）。
【０６０７】
センサモジュール６００の震動センサ６２０及び／又は加速度センサ６３０は、外部から伝達される震動を感知するか速度変化を感知し、感知の結果に基づいて、震動データ及び／又は加速度データを含む感知データを生成することができる。センサモジュール６００は、生成された感知データを制御部６８０に伝送することができる。
【０６０８】
制御部６８０は、センサモジュール６００から獲得した感知データをメモリ部６７０に貯蔵された搭乗データと比較することによって、現在の状態が搭乗状態に該当するか否かを感知することができる。
【０６０９】
比較の結果、感知データと搭乗データとの類似度が基準値より高い場合（Ｓ１２０のＹＥＳ）、携帯用空気浄化機６０は、現在の状態が搭乗状態であることを感知し、ファンモータ１３２を駆動するように制御することができる（Ｓ１３０）。
【０６１０】
制御部６８０は、感知データと搭乗データの類似度を算出し、算出された類似度が基準値より高いか基準値以上である場合、現在、車が搭乗状態であることを感知することができる。
【０６１１】
例えば、類似度は、感知データに含まれた震動データ及び／又は加速度データのパターンと、搭乗データに含まれた複数の震動データ及び／又は加速度データのパターンそれぞれとの類似度のうち、最も高い類似度を意味し得る。類似度は、相関度（ｃｏｒｒｅｌａｔｉｏｎ）分析等のような各種公知の類似度測定技法のうち少なくとも一つを利用して算出することができる。
【０６１２】
制御部６８０は、搭乗状態が感知される場合、運転者や同乗者が車内に存在すると判断し、ファンモータ１３２を駆動して、空気浄化動作を自動で行うことができる。
【０６１３】
他の例として、制御部６８０は、搭乗状態が感知されても、センサモジュール６００から受信されるデータに基づいて判断される空気質に基づいて、空気浄化動作を行うか否かを決定することもできる。すなわち、制御部６８０は、現在の状態が搭乗状態だとしても、空気質が基準より高い場合には、ファンモータ１３２を駆動しないか駆動を中断することができる。
【０６１４】
図５７〜図５９は、車の始動又は走行の有無によって携帯用空気浄化機のセンサモジュールによって感知される感知データの例を示した図面である。
【０６１５】
図５５〜図５９を参照すれば、センサモジュール６００は、所定時間の間（例えば、第１時点（Ｔ１）から第２時点（Ｔ２）の間）、震動センサ６２０及び／又は加速度センサ６３０を利用して感知データを獲得することができる。
【０６１６】
図５７は、車の始動がオフされた状態で、センサモジュール６００によって感知される感知データの一例を示す。
【０６１７】
図５５及び図５７を参照すれば、車の始動がオフされた場合、エンジンの駆動等による震動が発生しないで、車の速度変化もない場合がある。よって、震動センサ６２０によって獲得される震動データ及び加速度センサ６３０によって獲得される加速度データは、変わりなく０を維持するパターンを有してもよい。
【０６１８】
メモリ部６７０に貯蔵された学習データに含まれた搭乗データには、図５７に示したパターンの震動データ及び加速度データが貯蔵されていないこともある。これにより、制御部６８０は、図５７に示したような震動データ及び加速度データが獲得される場合、現在の状態が搭乗状態ではないと感知して、ファンモータ１３２を駆動させなくてもよい。
【０６１９】
図５８は、車の始動がオンされた後、車が停車中である状態で、センサモジュール６００によって感知される感知データの一例を示す。
【０６２０】
図５５及び図５８を参照すれば、車の始動がオンされた場合、エンジンの駆動等によって震動が発生し得る。一方、車が停車中であるため、速度の変化はなくてもよい。この場合、震動センサ６２０は、所定振幅の震動が大きな変化なしに維持されるパターンの震動データを獲得することができ、加速度センサ６３０は、変わりなく０を維持するパターンの加速度データを獲得することができる。
【０６２１】
車の始動がオンされたことは、車内に運転者や同乗者が搭乗している可能性が高い。これにより、メモリ部６７０に貯蔵された学習データに含まれた搭乗データには、図５８に類似するパターンの震動データ及び加速度データが含まれていてもよい。
【０６２２】
すなわち、図５８に示したような震動データ及び加速度データが獲得される場合、制御部６８０は、現在の状態を搭乗状態と感知し、ファンモータ１３２を駆動して空気浄化動作を行うことができる。
【０６２３】
図５９は、車が走行中である状態で、センサモジュール６００によって感知される感知データの一例を示す。
【０６２４】
図５５及び図５９を参照すれば、車が走行中である場合、エンジンの駆動や路面の状態等によって震動が不規則的に発生し得る。また、車が走行中であるため、速度の変化が発生し得る。この場合、震動センサ６２０は、図５９に示したように、不規則的なパターンを有する震動データを獲得することができ、加速度センサ６３０も不規則的なパターンを有する加速度データを獲得することができる。
【０６２５】
車が走行中であることは、車内に運転者が搭乗していることを意味し得る。これにより、メモリ部６７０に貯蔵された学習データに含まれた搭乗データには、図５９に類似するパターンの震動データ及び加速度データが含まれていてもよい。
【０６２６】
すなわち、図５９に示したような震動データ及び加速度データが獲得される場合、制御部６８０は、現在の状態を搭乗状態と感知し、ファンモータ１３２を駆動して空気浄化動作を行うことができる。
【０６２７】
他の例として、制御部６８０は、震動データのみを利用して搭乗状態の有無を感知することもできる。すなわち、図５８又は図５９に示したような震動データが獲得される場合、制御部６８０は、現在の状態を搭乗状態と感知することができる。
【０６２８】
すなわち、携帯用空気浄化機６０は、センサモジュール６００から獲得された感知データを利用して、携帯用空気浄化機６０が配置された運送手段の状態を感知することができる。運送手段の状態は、運送手段内の使用者の存在有無に係り、携帯用空気浄化機６０は、感知の結果、使用者が存在すると判断される搭乗状態で、空気浄化動作を自動で行うことができる。
【０６２９】
これにより、使用者は、運送手段が搭乗するたびに携帯用空気浄化機６０を操作しなければならない不都合を解消することができる。また、運転者が運転中に携帯用空気浄化機６０を操作する場合に発生し得る事故リスクを効果的に防ぐことができる。
【０６３０】
図６０は、本発明の実施形態による携帯用空気浄化機が搭乗状態を感知するために使用される学習データを獲得する動作の一例を示す流れ図であり、図６１は、図６０に示した実施形態に係り、移動端末機が携帯用空気浄化機から受信された感知データを利用して学習データを生成する過程を示す一例示図である。
【０６３１】
図５５及び図６０を参照すれば、携帯用空気浄化機６０は、センサモジュール６００から感知データを獲得し（Ｓ２００）、獲得された感知データを移動端末機４０に伝送することができる（Ｓ２１０）。
【０６３２】
移動端末機４０は、受信された感知データが搭乗状態での感知データであるか否かを確認し、確認の結果、現在の状態が搭乗状態である場合、感知データに基づいて搭乗データをアップデートすることができる。例えば、移動端末機４０は、感知データの震動パターン及び／又は加速度パターンが搭乗データに含まれるように搭乗データをアップデートすることができる。
【０６３３】
これに関して、図５５及び図６１を参照すれば、携帯用空気浄化機６０の制御部６８０は、センサモジュール６００から感知データ（Ｓ_ＤＡＴＡ）を獲得することができる。制御部６８０は、獲得された感知データ（Ｓ_ＤＡＴＡ）を無線通信部６５０を介して移動端末機４０に伝送することができる。
【０６３４】
移動端末機４０は、受信された感知データ（Ｓ_ＤＡＴＡ）が搭乗状態での感知データであるか否かを確認することができる。例えば、移動端末機４０は、ディスプレイを介して使用者が現在の運送手段に搭乗中であるか否かを確認するためのインターフェースを表示することができる。使用者は、表示されたインターフェースに基づいて、現在の運送手段に搭乗中であるか否かに対する情報を入力することができる。
【０６３５】
入力された情報が「運送手段に搭乗中」に該当する場合、移動端末機４０は、感知データ（Ｓ_ＤＡＴＡ）に基づいて搭乗データをアップデートすることができる。上述したように、移動端末機４０は、感知データ（Ｓ_ＤＡＴＡ）に含まれた震動パターン及び／又は加速度パターンが搭乗データに含まれるように搭乗データをアップデートすることができるが、必ずしもそうではない。
【０６３６】
一方、図５５及び図６０を参照すれば、携帯用空気浄化機６０は、移動端末機４０から感知データに基づいた学習データを受信する（Ｓ２２０）。そして、携帯用空気浄化機６０は、受信された学習データをメモリ部６７０に貯蔵することができる（Ｓ２３０）。
【０６３７】
移動端末機４０は、アップデートされた搭乗データを含む学習データを携帯用空気浄化機６０に伝送することができる。携帯用空気浄化機６０は、受信された学習データをメモリ部６７０に貯蔵することができる。その後、センサモジュール６００から感知データが獲得されると、制御部６８０は、学習データを利用して現在の状態が搭乗状態であるか否かを感知することができる。
【０６３８】
すなわち、携帯用空気浄化機６０は、センサモジュール６００から獲得された感知データを移動端末機４０に伝送し、移動端末機４０から感知データに基づいてアップデートされる搭乗データを獲得することができる。すなわち、一種のデータ学習が可能であるため、携帯用空気浄化機６０は、搭乗状態をより正確に感知することができる。
【０６３９】
図６２は、本発明の第３実施形態による携帯用空気浄化機の制御動作の他の例を示す流れ図である。
【０６４０】
図６２を参照すれば、携帯用空気浄化機６０は、センサモジュール６００から感知データを獲得し（Ｓ３００）、獲得された感知データをメモリ部６７０に貯蔵された学習データと比較することができる（Ｓ３１０）。
【０６４１】
Ｓ３００ステップとＳ３１０ステップは、図６のＳ１００ステップ及びＳ１１０ステップに類似してもよい。
【０６４２】
ただし、図６２における学習データは、上述した搭乗データのみならず、多様な状況それぞれに対応するデータを含んでいてもよい。
【０６４３】
例えば、学習データは、携帯用空気浄化機６０が家庭内に位置した状況、事務室に位置した状況、室外に位置した状況等、多様な状況それぞれに対応するデータを含んでいてもよい。
【０６４４】
携帯用空気浄化機６０は、比較の結果に基づいて、感知データに対応する状況を認知することができる（Ｓ３２０）。
【０６４５】
例えば、制御部６８０は、学習データに含まれた各データのうち、感知データと類似度が最も高いデータを抽出し、抽出したデータに対応する状況を認知することができる。
【０６４６】
他の例として、制御部６８０は、位置情報モジュール６５５から携帯用空気浄化機６０の位置情報を獲得し、獲得された位置情報及び／又は感知データを利用して携帯用空気浄化機６０の状況を認知することもできる。
【０６４７】
携帯用空気浄化機６０は、認知された状況に対応するモードでファンモータ１３２を駆動して、空気浄化動作を行うことができる（Ｓ３３０）。
【０６４８】
すなわち、制御部６８０は、認知された状況に対応するモードに基づいて、ファンモータ１３２を互いに異なる強度に駆動することができる。
【０６４９】
例えば、携帯用空気浄化機６０が事務室に位置した状況と室外に位置した状況とを比較すると、室外に位置した状況で、風量の強度がより強い必要がある。これにより、制御部６８０は、室外に位置した状況での風量強度を、事務室に位置した状況での風量強度より強くファンモータ１３２を駆動することができる。
【０６５０】
すなわち、携帯用空気浄化機６０は、センサモジュール６００から獲得された感知データ及び位置情報モジュール６５５等から獲得された位置情報に基づいて、携帯用空気浄化機６０の状況を認知し、認知された状況に対応する最適のモードで空気浄化動作を行うことができる。これにより、携帯用空気浄化機６０に対する使用便宜性を極大化することができ、製品の満足度も向上し得る。
【０６５１】
＜本発明の第４実施形態による携帯用空気浄化機＞
［携帯用空気浄化機の構成］
図６３は、本発明の第４実施形態による携帯用空気浄化機の構成を示す構成図である。
【０６５２】
図６３を参照すれば、本発明の第４実施形態による携帯用空気浄化機７０は、照度センサ６４０をさらに含んでいてもよい。照度センサ６４０は、携帯用空気浄化機７０の周辺の照度を感知し、感知データを携帯用空気浄化機７０の制御部６８０又は移動端末機４０に伝送することができる。
【０６５３】
すなわち、本実施形態による携帯用空気浄化機７０のセンサモジュール６００は、ホコリセンサ６１０と震動センサ６２０と加速度センサ６３０及び照度センサ６４０を含んでいてもよく、制御部６８０は、これらセンサを利用して携帯用空気浄化機７０の動作を制御することができる。
【０６５４】
［携帯用空気浄化機の動作制御の第１例］
図６４は、図６３に示した携帯用空気浄化機の動作制御過程の第１例を示す流れ図であり、図６５は、図６３に示した携帯用空気浄化機の動作制御過程の第２例を示す流れ図である。
【０６５５】
以下では、図６３及び図６５を参照して、本実施形態の携帯用空気浄化機の動作制御過程の第１例及び第２例を説明する。
【０６５６】
図６３を参照すれば、本実施形態の携帯用空気浄化機７０は、携帯可能なホコリ測定機として使用されることができる。すなわち、携帯用空気浄化機７０は、空気浄化のための作動なしに、ただ空気中のホコリ濃度を測定するための用途に使用することができる。
【０６５７】
本実施形態の携帯用空気浄化機７０は、携帯が容易であるように小さくて軽い形態に提供されるため、使用者が携帯用空気浄化機７０を携帯しながら使用者の所望の場所でのホコリ濃度を測定するために好適である。
【０６５８】
このような携帯用空気浄化機７０は、上記のように使用者が所望の場所で特定時点のホコリ濃度を容易に且つ便利に測定するようにする利点を提供する。
【０６５９】
一方、本実施形態の携帯用空気浄化機７０は、特定地点、特定時点でのホコリ濃度を測定する機能のみならず、複数個の地点で測定された結果を収集して、これに基づいて位置別のホコリ濃度が記録されたマップ（Ｍａｐ）を生成する機能を提供することもできる。以下では、上記機能を提供するための携帯用空気浄化機７０の制御過程を説明する。
【０６６０】
図６３及び図６４を参照すれば、携帯用空気浄化機７０は、センサモジュール６００から感知データを獲得し（Ｓ４００）、これと共に位置情報モジュール６５５から位置データを獲得する（Ｓ４１０）。
【０６６１】
センサモジュール６００のホコリセンサ６１０は、空気中のホコリを感知し、感知の結果に基づいて、ホコリ濃度データを含む感知データを生成することができる。センサモジュール６００は、生成された感知データを制御部６８０に伝送することができる。
【０６６２】
位置情報モジュール６５５は、ホコリセンサ６１０が空気中のホコリを感知した時点での位置を感知し、感知の結果に基づいて位置データを生成することができる。位置情報モジュール６５５は、生成された位置データを制御部６８０に伝送することができる。
【０６６３】
制御部６８０は、センサモジュール６００から送信された感知データと位置情報モジュール６５５から送信された位置データに基づいて、 位置別のホコリ濃度 に対するデータ（以下、「位置別のホコリ濃度データ」と言う。）を生成する（Ｓ４２０）。
【０６６４】
上記過程（Ｓ４００〜 Ｓ４２０）を繰り返し、これにより、所定以上のホコリ濃度データが収集されると、制御部６８０は、収集されたホコリ濃度データに基づいて、位置別のホコリ濃度が記録されたマップを生成する（Ｓ４３０）。
【０６６５】
制御部６８０は、多くの位置で収集されたホコリ濃度データに基づいてマップを生成し、これにより、マップには各位置別のホコリ濃度が記録される。
【０６６６】
ホコリ濃度データの生成に基礎となる位置データが同じホコリ濃度データが繰り返して収集されると、制御部６８０は、これらホコリ濃度データに記録された感知データの平均値を算出することができる。すなわち、制御部６８０は、同じ位置で生成されたホコリ濃度データに含まれた感知データの平均値を算出し、算出された感知データの平均値に基づいて、該位置でのホコリ濃度をマップに記録することができる。
【０６６７】
上記のよう生成されたマップは、メモリ部６７０に貯蔵される（Ｓ４４０）。このようにメモリ部６７０に貯蔵されたマップは、使用者に該空間での各位置別の空気汚染状態を表示するためのデータとして利用することができる。
【０６６８】
例えば、前記マップが移動端末機４０に送信され、マップに貯蔵された情報、すなわち、各位置別の空気汚染状態が移動端末機４０を介して使用者に表示されてもよい。このとき、移動端末機４０では、マップに貯蔵された空間の形状とともに該空間内での各位置別のホコリ濃度が表示されてもよい。
【０６６９】
一例として、各位置別のホコリ濃度は、ホコリの存在を表示する色相の濃度に表示されてもよい。例えば、移動端末機４０の画面には、ホコリ濃度が高い位置であるほど濃い濃度の色相が、ホコリ濃度が低い位置であるほど低い濃度の色相が表示されてもよい。
【０６７０】
これにより、使用者は、移動端末機４０の画面に示した情報によって、使用者が生活する空間でどの位置の空気汚染度が高いか容易に且つ早く確認することができる。また、使用者は、使用者が生活する空間でどの位置の空気汚染度が高いかを確認することで、空気汚染の原因、空気汚染源の位置等を把握するのに要する情報を容易に且つ早く獲得することができるようになる。
【０６７１】
また、携帯用空気浄化機７０は、空気質の測定が行われる空間を複数個の区分領域に区分し、各区分領域別の空気汚染度に対するデータを獲得して提供することもできる。
【０６７２】
このために制御部６８０は、上記のように生成されたマップに貯蔵された空間を複数個の区分領域に区分し（Ｓ４６０）、各々の区分領域別のホコリ濃度に対するデータを抽出する（Ｓ４７０）。そして、制御部６８０は、複数個の区分領域のうち、ホコリ濃度が既に設定済み基準濃度以上である区分領域を汚染領域と判定する（Ｓ４６０）。
【０６７３】
その後、制御部６８０は、マップに汚染領域の位置を記録し（Ｓ４７０）、このようなデータは、メモリ部６７０に貯蔵される（Ｓ４８０）。このように貯蔵されたデータは、携帯用空気浄化機７０の動作制御のためのデータとして利用することができる。
【０６７４】
すなわち、上記のように生成されたマップは、使用者が各位置別に空気汚染状態を確認することができるためのデータのみならず、携帯用空気浄化機７０の動作制御のためのデータとして利用することもできる。
【０６７５】
図６３及び図６５を参照すれば、使用者が携帯用空気浄化機７０を携帯して移動するとき、位置情報モジュール６５５が携帯用空気浄化機７０の位置をリアルタイムで感知する動作を行うことができる（Ｓ５００）。
【０６７６】
制御部６８０は、位置情報モジュール６５５によって獲得されたリアルタイム位置データに基づいて、携帯用空気浄化機７０の位置が汚染領域であるか否かを判別する（Ｓ５１０）。
【０６７７】
位置情報モジュール６５５によって感知される携帯用空気浄化機７０の位置がメモリ部６７０に記録された汚染領域である場合（Ｓ５２０）、制御部６８０は、ファンモータ１３２が駆動されるように携帯用空気浄化機７０の動作を制御することができる（Ｓ５３０）。
【０６７８】
このとき、制御部６８０は、ホコリセンサ６１０を利用して生成される感知データに関係なく、ファンモータ１３２が駆動されるように携帯用空気浄化機７０の動作を制御することができる。
【０６７９】
すなわち、制御部６８０は、ホコリセンサ６１０によってリアルタイムで感知されるホコリ濃度が既に設定済み基準濃度より低い場合であっても、位置情報モジュール６５５によって感知される携帯用空気浄化機７０の位置がメモリ部６７０に記録された汚染領域でさえあれば、必ずファンモータ１３２が駆動されるように携帯用空気浄化機７０の動作を制御することができる。
【０６８０】
多くの回数のホコリ濃度の測定と長い期間のデータが蓄積された結果、汚染領域と判定された領域では、ある瞬間ではホコリ濃度が低く測定される場合があるとしても、ホコリ濃度がさらに上昇する可能性が高い。汚染領域と判定された領域は、ホコリ引き起こし因子と近接した領域であるか、ホコリの流入が容易に行われる領域であるからである。
【０６８１】
また、汚染領域に携帯用空気浄化機７０が位置した瞬間にホコリセンサ６１０の誤作動が行われ、これにより、ホコリ濃度が実際より低く測定される可能性もある。
【０６８２】
かかる点を考慮して、本実施形態では、位置情報モジュール６５５によって感知される携帯用空気浄化機７０の位置がメモリ部６７０に記録された汚染領域でさえあれば、必ずファンモータ１３２が駆動されるようにする制御部６８０の動作制御が行われる。
【０６８３】
これにより、普段、空気汚染度の高い領域に使用者が進入さえすれば、携帯用空気浄化機７０が空気浄化の動作を自動で行うことになり、これにより、本実施形態の携帯用空気浄化機７０は、使用者が汚染した環境に露出する可能性を低くして、使用者がさらに快適な環境で生活できるように寄与することができるようになる。
【０６８４】
［携帯用空気浄化機の動作制御の第３例］
図６６は、図６３に示した携帯用空気浄化機の動作制御過程の第３例を示す流れ図である。
【０６８５】
図６３及び図６６を参照すれば、本実施形態の携帯用空気浄化機７０は、照度センサ６４０によって獲得された感知データを利用して携帯用空気浄化機７０の動作を制御することができる。  
【０６８６】
一例として、携帯用空気浄化機７０は、照度センサ６４０によって測定される携帯用空気浄化機７０の周辺照度が既に設定済み基準照度以下である場合、携帯用空気浄化機７０が載せられた車の位置がトンネルの内部であると見なして、空気浄化動作を開始することができる。
【０６８７】
このために携帯用空気浄化機７０は、センサモジュール６００から感知データを獲得する（Ｓ６００）。センサモジュール６００の照度センサ６４０は、携帯用空気浄化機７０の周辺照度を感知し、感知の結果に基づいて、照度に対するデータ（以下、「照度データ」と言う。）を含む感知データを生成することができる。センサモジュール６００は、生成された感知データを制御部６８０に伝送することができる。
【０６８８】
制御部６８０は、照度センサ６４０によって獲得された感知データに含まれた照度データを既に設定済み基準照度と比較する（Ｓ６１０）。このとき、基準照度は、車がトンネルの内部にあるとき、車内の照度に対応するか、それより少し高い数値に設定されるのが好ましい。
【０６８９】
比較の結果、照度センサ６４０によって感知された携帯用空気浄化機７０の周辺照度が基準照度より低いと（Ｓ６２０）、位置情報モジュール６５５の動作が行われ、制御部６８０は、位置情報モジュール６５５から位置データを獲得する（Ｓ６３０）。
【０６９０】
位置情報モジュール６５５は、照度センサ６４０が携帯用空気浄化機７０の周辺照度を感知した時点での位置を感知し、感知の結果に基づいて位置データを生成することができる。位置情報モジュール６５５は、生成された位置データを制御部６８０に伝送することができる。本実施形態では、位置情報モジュール６５５は、ＧＰＳ信号を受信するＧＰＳ受信機を含むことを例示する。
【０６９１】
制御部６８０は、位置情報モジュール６５５によって生成された位置データに基づいて、携帯用空気浄化機７０がトンネルの内部にあるか否かを判断する。もし携帯用空気浄化機７０の乗せられた車がトンネルの内部にあるか否かを照度センサ６４０によって生成した照度データのみで判断されると、実際に合わない不正確な結果が出られる。トンネルの内部でなくても、照度が基準照度より低い場合は、いくらでもあるからである。
【０６９２】
そうだとして、携帯用空気浄化機７０の位置を把握し続けるために位置情報モジュール６５５を作動し続けるようになれば、ＧＰＳ受信機を利用してＧＰＳ信号を受信する位置情報モジュール６５５の特性上、電力消費量が必要以上に増加するようになる。
【０６９３】
携帯用空気浄化機７０は、車の電源に連結せずにバッテリーのみを利用して動作することができ、この場合、電力消費量が増加するだけ携帯用空気浄化機７０の動作可能時間が短縮する。よって、携帯用空気浄化機７０の位置を続けて把握するために位置情報モジュール６５５を作動し続けることは、好ましい方法ではない。
【０６９４】
かかる点を考慮して、本実施形態の携帯用空気浄化機７０は、周辺照度が基準照度より低い場合にのみ、位置情報モジュール６５５による位置データが獲得されるように動作されてもよい。
【０６９５】
これにより、携帯用空気浄化機７０の不要な電力消費を抑え、且つ携帯用空気浄化機７０の位置を正確性高く把握することができるようになる。
【０６９６】
本実施形態によれば、制御部６８０は、ＧＰＳ信互機を介して受信されたＧＰＳ信号を利用して、携帯用空気浄化機７０がトンネルの内部にあるか否かを判断する（Ｓ６４０）。その結果、携帯用空気浄化機７０がトンネルの内部にあると確認されると、制御部６８０は、ファンモータ１３２が駆動されるように携帯用空気浄化機７０の動作を制御することができる（Ｓ６６０）。
【０６９７】
もし携帯用空気浄化機７０がトンネルの内部にあると確認されないと、制御部６８０は、位置情報モジュール６５５でＧＰＳ信号が受信されるか否かを確認することができる（Ｓ６５０）。
【０６９８】
位置情報モジュール６５５でＧＰＳ信号が受信されている状態であれば、制御部６８０は、位置情報モジュール６５５で提供される位置データを信頼し、携帯用空気浄化機７０がトンネルの内部にないと判断することができる。
【０６９９】
もし位置情報モジュール６５５でＧＰＳ信号が受信されなければ、制御部６８０は、携帯用空気浄化機７０がトンネルの内部にあると判断し、これにより、ファンモータ１３２が駆動されるように携帯用空気浄化機７０の動作を制御することができる（Ｓ６６０）。
【０７００】
通常、トンネルの内部では、ＧＰＳ信号の受信率が急激に低下する。そして、このようなトンネルの内部の照度は、トンネルの外部に比べて低いのが一般的である。かかる点を考慮して、制御部６８０は、携帯用空気浄化機７０の周辺照度が基準照度より低い条件とＧＰＳ信号の受信が行われない条件を同時に満す場合、携帯用空気浄化機７０がトンネルの内部にあると見なすことができる。
【０７０１】
トンネルの内部には、トンネルを通す車から排出される煤煙等のような多量の汚染物質が排出される。トンネルの内部は、トンネルの外部に比べて換気が十分になされにくい条件下にあるため、トンネルの内部の空気質は、トンネルの外部に比べて悪いのが一般的である。
【０７０２】
よって、トンネルの外部では、携帯用空気浄化機７０を利用した空気浄化が必要でないとしても、車がトンネルの内部に進入すれば、携帯用空気浄化機７０の作動が必要となる。
【０７０３】
特に、最近、開通する道路には多くのトンネルが配置されるため、トンネルを通すたびに、携帯用空気浄化機７０の電源を入れてから切る作業を繰り返すのにかなり不都合であるようになる。また、トンネルの内部に進入するとき、携帯用空気浄化機７０を動作させることを忘れる場合がよく発生し得るし、この場合、車両の内部空気がトンネルの内部の汚染した空気によって汚染し得る問題点が発生する。
【０７０４】
本実施形態によれば、車がトンネルの内部を進入するとき、携帯用空気浄化機７０が自動でトンネルの進入を感知し、車内で空気浄化が行われるように自動で作動することができる。
【０７０５】
これにより、トンネルの内部を通すたびに、携帯用空気浄化機７０の操作を繰り返さなければならない不都合なしに、車内環境を快適に維持することができるようになる。また、運転者が運転中に携帯用空気浄化機７０を操作する場合に発生し得る事故リスクを効果的に防ぐことができるようになる。
【０７０６】
［携帯用空気浄化機の動作制御の第４例］
図６７は、図６３に示した携帯用空気浄化機の動作制御過程の第４例を示す流れ図である。
【０７０７】
図６３及び図６７を参照すれば、本実施形態の携帯用空気浄化機７０は、震動センサ６２０と照度センサ６４０及び加速度センサ６３０によって獲得された感知データを利用して、携帯用空気浄化機７０の動作を制御することができる。
【０７０８】
一例として、携帯用空気浄化機７０は、照度センサ６４０によって測定される携帯用空気浄化機７０の周辺照度が既に設定済み基準照度以下である条件と、搭乗状態が感知される条件を同時に満す場合、携帯用空気浄化機７０が乗せられた車の位置がトンネルの内部であると見なして、空気浄化動作を開始することができる。
【０７０９】
このために携帯用空気浄化機６０は、センサモジュール６００から感知データを獲得し（Ｓ７００）、獲得された感知データをメモリ部６７０に貯蔵された搭乗データと比較することができる（Ｓ７１０）。
【０７１０】
比較の結果、感知データと搭乗データの類似度が基準値より高い場合（Ｓ７２０のＹＥＳ）、携帯用空気浄化機７０は、現在の状態が搭乗状態であることを感知するようになる。
【０７１１】
上記過程（Ｓ７００〜 Ｓ７２０）は、本発明の第３実施形態による携帯用空気浄化機６０（図５５参照）の動作制御過程の初期過程（Ｓ１００〜Ｓ１２０過程；図４８参照）に類似する形態で行われるため、これに対する詳説は省略する。
【０７１２】
上記のように、携帯用空気浄化機７０が搭乗状態であると感知されると、携帯用空気浄化機７０は、センサモジュール６００から感知データを獲得する（Ｓ７３０）。センサモジュール６００は、生成された感知データを制御部６８０に伝送することができる。
【０７１３】
制御部６８０は、照度センサ６４０によって獲得された感知データに含まれた照度データを既に設定済み基準照度と比較する（Ｓ７４０）。比較の結果、照度センサ６４０によって感知された携帯用空気浄化機７０の周辺照度が基準照度より低いと（Ｓ７５０）、位置情報モジュール６５５の動作が行われ、制御部６８０は、位置情報モジュール６５５から位置データを獲得する（Ｓ７６０）。
【０７１４】
制御部６８０は、ＧＰＳ信互機を介して受信されたＧＰＳ信号を利用して、携帯用空気浄化機７０がトンネルの内部にあるか否かを判断する（Ｓ７７０）。その結果、携帯用空気浄化機７０がトンネルの内部にあると確認されると、制御部６８０は、ファンモータ１３２が駆動されるように携帯用空気浄化機７０の動作を制御することができる（Ｓ７９０）。
【０７１５】
もし携帯用空気浄化機７０がトンネルの内部にあると確認されなければ、制御部６８０は、位置情報モジュール６５５からＧＰＳ信号が受信されるか否かを確認することができる（Ｓ７８０）。
【０７１６】
位置情報モジュール６５５からＧＰＳ信号が受信されている状態であれば、制御部６８０は、位置情報モジュール６５５から提供される位置データを信頼し、携帯用空気浄化機７０がトンネルの内部にないと判断することができる。
【０７１７】
もし位置情報モジュール６５５でＧＰＳ信号が受信されなければ、制御部６８０は、携帯用空気浄化機７０がトンネルの内部にあると判断し、これにより、ファンモータ１３２が駆動されるように携帯用空気浄化機７０の動作を制御することができる（Ｓ７９０）。
【０７１８】
上記過程（Ｓ７３０〜Ｓ７９０）は、図６６に示したＳ６００〜Ｓ６６０に示した内容に類似する形態で行われるため、これに対する詳説は省略する。
【０７１９】
上記のような携帯用空気浄化機７０の動作制御過程で注目すべき点は、携帯用空気浄化機７０がトンネルの内部にあるか否かに対する判断の正確性を高めるために搭乗データがさらに利用されるという点である。
【０７２０】
照度センサ６４０によって獲得された感知データと、位置情報モジュール６５５によって獲得された位置データのみで携帯用空気浄化機７０の位置判断が行われる場合、たまにトンネルの内部でないのに、トンネルの内部であると携帯用空気浄化機７０の位置判断が行われる可能性がある。
【０７２１】
例えば、建物内の暗い場所では照度が低く測定されて、ＧＰＳ受信が十分に行われないことがある。このような場所は、トンネルの内部でないものの、照度とＧＰＳの受信有無だけからなる判断によっては、トンネルの内部であると識別される可能性がある。
【０７２２】
かかる点を考慮して、本実施形態の携帯用空気浄化機７０は、搭乗データを利用して使用者の車の搭乗有無が確認された状態でのみ、照度の感知及び位置データの確認が行われるように動作することができる。
【０７２３】
これにより、本実施形態の携帯用空気浄化機７０は、その位置をより正確性高く把握して、信頼性の高い動作性能を提供することができるようになる。
【０７２４】
本発明は、図面に示した実施形態を参考にして説明したが、これは、例示的なものに過ぎないし、該技術が属する分野における通常の知識を有する者であれば、これにより多様な変形及び均等な他の実施形態が可能であるという点を理解するだろう。よって、本発明の真な技術的保護の範囲は、下記の特許請求の範囲によって定めなければならない。
【図１】
0006941238.tif 000002
【図２】
0006941238.tif 000003
【図３】
0006941238.tif 000004
【図４】
0006941238.tif 000005
【図５】
0006941238.tif 000006
【図６】
0006941238.tif 000007
【図７】
0006941238.tif 000008
【図８】
0006941238.tif 000009
【図９】
0006941238.tif 000010
【図１０】
0006941238.tif 000011
【図１１】
0006941238.tif 000012
【図１２】
0006941238.tif 000013
【図１３】
0006941238.tif 000014
【図１４】
0006941238.tif 000015
【図１５】
0006941238.tif 000016
【図１６】
0006941238.tif 000017
【図１７】
0006941238.tif 000018
【図１８】
0006941238.tif 000019
【図１９】
0006941238.tif 000020
【図２０】
0006941238.tif 000021
【図２１】
0006941238.tif 000022
【図２２】
0006941238.tif 000023
【図２３】
0006941238.tif 000024
【図２４】
0006941238.tif 000025
【図２５】
0006941238.tif 000026
【図２６】
0006941238.tif 000027
【図２７】
0006941238.tif 000028
【図２８】
0006941238.tif 000029
【図２９】
0006941238.tif 000030
【図３０】
0006941238.tif 000031
【図３１】
0006941238.tif 000032
【図３２】
0006941238.tif 000033
【図３３】
0006941238.tif 000034
【図３４】
0006941238.tif 000035
【図３５】
0006941238.tif 000036
【図３６】
0006941238.tif 000037
【図３７】
0006941238.tif 000038
【図３８】
0006941238.tif 000039
【図３９】
0006941238.tif 000040
【図４０】
0006941238.tif 000041
【図４１】
0006941238.tif 000042
【図４２】
0006941238.tif 000043
【図４３】
0006941238.tif 000044
【図４４】
0006941238.tif 000045
【図４５】
0006941238.tif 000046
【図４６】
0006941238.tif 000047
【図４７】
0006941238.tif 000048
【図４８】
0006941238.tif 000049
【図４９】
0006941238.tif 000050
【図５０】
0006941238.tif 000051
【図５１】
0006941238.tif 000052
【図５２】
0006941238.tif 000053
【図５３】
0006941238.tif 000054
【図５４】
0006941238.tif 000055
【図５５】
0006941238.tif 000056
【図５６】
0006941238.tif 000057
【図５７】
0006941238.tif 000058
【図５８】
0006941238.tif 000059
【図５９】
0006941238.tif 000060
【図６０】
0006941238.tif 000061
【図６１】
0006941238.tif 000062
【図６２】
0006941238.tif 000063
【図６３】
0006941238.tif 000064
【図６４】
0006941238.tif 000065
【図６５】
0006941238.tif 000066
【図６６】
0006941238.tif 000067
【図６７】
0006941238.tif 000068